(57)【要約】【課題】ヒートポンプ部の室外の熱交換器の内管の空気を水に置換する空気・水置換動作を行う際に、追い焚き管路に残った湯水が浴槽内に入ることを抑えることができる給湯暖房システムを提供すること。【解決手段】給湯暖房システム２では、制御装置７０は、季節が夏季になった場合に、浴槽系統の管路のうちの少なくとも一部と暖房系統の管路のうちの少なくとも一部とを利用して、第２の液体熱交換器３０２の内管３５３の空気を排出し第２の液体熱交換器３０２の内管３５３に水を入れて内管３５３の空気を水に置換するとともに、風呂往き管に通水し、第１の風呂往き管６１９、第２の風呂往き管６２１、第３の風呂往き管６２２、および第３の風呂戻り管６２５を有する追い焚き動作時の風呂往き管を流れる水を風呂往き管に接続された排水管２９９を通して排出する置換動作の制御を実行する。【選択図】図２１
2019117015.tif 000002
【特許請求の範囲】
【請求項１】
水供給源から供給された水を貯留するタンクを有するタンク部と、
供給された前記水をバーナの燃焼により加熱する燃焼装置を有するガス湯沸かし部と、
熱媒体を循環させる熱媒体循環路を有し、前記熱媒体と供給された前記水との間において熱交換を行うヒートポンプ部と、
前記燃焼装置および前記ヒートポンプ部の少なくともいずれかと、浴槽と、を接続し水を循環させる浴槽系統の管路と、
前記燃焼装置および前記ヒートポンプ部の少なくともいずれかと、暖房装置と、を接続し水を循環させる暖房系統の管路と、
前記タンク部と前記ガス湯沸かし部と前記ヒートポンプ部との動作を制御する制御装置と、
を備え、
前記浴槽系統の管路は、前記暖房系統の管路に接続され、
前記浴槽系統の管路の一部は、前記暖房系統の管路の一部と共通する部分を有しており、
前記浴槽系統の管路は、前記浴槽へ接続されて前記浴槽へ前記水を送る風呂往き管と前記浴槽に接続されて前記浴槽から前記水を戻す風呂戻り管とを有し、
前記制御装置は、季節が夏季になった場合に、前記浴槽系統の管路のうちの少なくとも一部と前記暖房系統の管路のうちの少なくとも一部とを利用して、前記液体熱交換器の内管の空気を排出し前記液体熱交換器の前記内管に水を入れて前記内管の前記空気を水に置換するとともに、前記風呂往き管に通水し前記風呂往き管を流れる水を前記風呂往き管に接続された排水管を通して排出する置換動作の制御を実行することを特徴とする給湯暖房システム。
【請求項２】
前記室外の温度を検出する外気温センサをさらに備え、
前記制御装置は、前記外気温センサからの温度信号を受けて、季節が前記夏季になったと判断すると、前記置換動作の制御を実行することを特徴とする請求項１に記載の給湯暖房システム。
【請求項３】
前記ガス湯沸かし部は、前記浴槽に向かって流れる水の量を制御する湯量サーボを有し、
前記制御装置は、前記湯量サーボを制御することにより、前記置換動作において前記内管で圧縮された前記空気が前記浴槽内に出る量を制御することを特徴とする請求項１または２に記載の給湯暖房システム。
【請求項４】
前記ガス湯沸かし部は、前記置換動作の制御が実行されるときに流れる水の経路の途中に設けられたシスターンを有し、
前記シスターンの内部の水は、前記置換動作が所定時間実行されることで新たな水に置換されることを特徴とする請求項１〜３のいずれか１項に記載の給湯暖房システム。
【請求項５】
前記ガス湯沸かし部は、前記置換動作の制御が実行されるときに流れる水の経路の途中に設けられたシスターンを有し、
前記シスターンの内部の水は、抜かれた後に新たな水が注水されることで前記新たな水に置換されることを特徴とする請求項１〜３のいずれか１項に記載の給湯暖房システム。
【発明の詳細な説明】
【技術分野】
【０００１】
本発明は、給湯暖房システムに関し、具体的には給湯機能と追い焚き機能と暖房機能と蓄熱機能とを有する給湯暖房システムに関する。
【背景技術】
【０００２】
特許文献１には、コージェネレーションシステムが開示されている。このコージェネレーションシステムは、特許文献１の段落番号［０００２］と段落番号［０００４］とに記載されているように、電力を発電するともに、その際に発生する排熱を、給湯や暖房等に利用している。家庭用のコージェネレーションシステムは、発電部と貯留タンクとを備え、発電部と貯留タンクとの間を環状に結ぶ熱回収用回路が設けられている。
コージェネレーションシステムは、発電部で発生した熱を利用して、熱回収用回路を流れる湯水を昇温して、貯留タンクに溜める、蓄熱運転を行う。
【０００３】
特許文献１に記載されたコージェネレーションシステムでは、特許文献１の段落番号［００１０」から［００１３］に記載されているように、発熱温度は高いがその排熱量が少ないために、蓄熱運転で湯水の温度を昇温させるときに、熱回収用回路を流れる湯水の流速を極めて遅くすることにより、循環流量を少なくして運転しなければならない。このように熱回収用回路を流れる湯水の流速を極めて遅くすると、あたかも熱回収用回路に湯水が滞留しているような状態になる。
【０００４】
【先行技術文献】
【特許文献】
【０００５】
【特許文献１】特許第５８４６４１３号公報
【発明の概要】
【発明が解決しようとする課題】
【０００６】
ところが、冬季に外気の温度が極めて低くなるときには、熱回収用回路の周囲は冷気で満たされる。このため、このコージェネレーションシステムを運用すると、熱回収用回路が周囲の冷気によって冷却されるので、熱回収用回路内の湯水が凍結してしまうおそれがある。
従来、熱回収用回路の湯水が凍結する可能性のある条件下においては、一時的に熱回収用回路を流れる湯水の流速を速くして、凍結を防止する方策が提案されている。
【０００７】
このように、熱回収用回路の湯水が凍結する可能性のある条件下において、一時的に熱回収用回路を流れる湯水の流速を速くする運転制御は、コージェネレーションシステムの故障を防止するために、熱回収用回路の湯水が凍結する可能性のある冬季の期間に、頻繁に繰り返して実行されなければならない。そのため、運転制御が複雑になったり、煩雑になったりするという問題がある。
そこで、冬季に、周囲の冷気が、熱回収用回路内の水を凍結させてしまうのを防止するために、熱回収用回路の不使用時に熱回収用回路内の水を抜くことが、一策として考えられる。
【０００８】
ところで、熱回収用回路内の水抜きにあたって、例えば、追い焚き管路を用いる構造が採用される場合がある。しかし、そうすると、冬季に、熱回収用回路内の水が抜かれている状態であっても、浴槽内の湯水の追い焚きを行う追い焚き動作が追い焚き管路を用いて行われることから、追い焚き管路には湯水が充満して残っている。
このように、追い焚き管路に湯水が充満して残っている状態で、季節が夏季になったからといって、熱回収用回路内の空気を水に再び置換しようとすると、次のような課題がある。
【０００９】
すなわち、夏季に注水を開始すると、追い焚き管路に残った湯水が浴槽内に入り込んで、浴槽内が湯水により水浸しになる。
【００１０】
本発明は、前記課題を解決するためになされたものであり、ヒートポンプ部の室外の熱交換器の内管の空気を水に置換する空気・水置換動作を行う際に、追い焚き管路に残った湯水が浴槽内に入ることを抑えることができる給湯暖房システムを提供することを目的とする。
【課題を解決するための手段】
【００１１】
前記課題は、本発明によれば、水供給源から供給された水を貯留するタンクを有するタンク部と、供給された前記水をバーナの燃焼により加熱する燃焼装置を有するガス湯沸かし部と、熱媒体を循環させる熱媒体循環路を有し、前記熱媒体と供給された前記水との間において熱交換を行うヒートポンプ部と、前記燃焼装置および前記ヒートポンプ部の少なくともいずれかと、浴槽と、を接続し水を循環させる浴槽系統の管路と、前記燃焼装置および前記ヒートポンプ部の少なくともいずれかと、暖房装置と、を接続し水を循環させる暖房系統の管路と、前記タンク部と前記ガス湯沸かし部と前記ヒートポンプ部との動作を制御する制御装置と、を備え、前記浴槽系統の管路は、前記暖房系統の管路に接続され、前記浴槽系統の管路の一部は、前記暖房系統の管路の一部と共通する部分を有しており、前記浴槽系統の管路は、前記浴槽へ接続されて前記浴槽へ前記水を送る風呂往き管と前記浴槽に接続されて前記浴槽から前記水を戻す風呂戻り管とを有し、前記制御装置は、季節が夏季になった場合に、前記浴槽系統の管路のうちの少なくとも一部と前記暖房系統の管路のうちの少なくとも一部とを利用して、前記液体熱交換器の内管の空気を排出し前記液体熱交換器の前記内管に水を入れて前記内管の前記空気を水に置換するとともに、前記風呂往き管に通水し前記風呂往き管を流れる水を前記風呂往き管に接続された排水管を通して排出する置換動作の制御を実行することを特徴とする給湯暖房システムにより解決される。
【００１２】
上記構成によれば、制御装置は、季節が夏季になると、浴槽系統の管路のうちの少なくとも一部と暖房系統の管路のうちの少なくとも一部とを利用して、液体熱交換器の内管の空気を排出し液体熱交換器の内管に水を入れて液体熱交換器の内管の空気を水に置換するとともに、風呂往き管に通水し風呂往き管を流れる水を風呂往き管に接続された排水管を通して排出する置換動作の制御を実行する。このため、浴槽系統の管路のうちの少なくとも一部を有する追い焚き管路に残った湯水を風呂往き管に接続された排出管を通して排出することができる。これにより、ヒートポンプ部の室外の熱交換器の内管の空気を水に置換する置換動作を行う際に、追い焚き管路に残った湯水が浴槽内に入ることを抑えることができる。また、水が例えば冬季から夏季まで流れていない液体熱交換器の内管を流れた不衛生な水が、浴槽内に入ることを抑えることができる。
【００１３】
好ましくは、前記室外の温度を検出する外気温センサをさらに備え、前記制御装置は、前記外気温センサからの温度信号を受けて、季節が前記夏季になったと判断すると、前記置換動作の制御を実行することを特徴とする。
上記構成によれば、制御装置は、夏季を確認してから、自動注水により液体熱交換器の内管の空気を水に置換する置換動作を実行することができる。
【００１４】
好ましくは、前記ガス湯沸かし部は、前記浴槽に向かって流れる水の量を制御する湯量サーボを有し、前記制御装置は、前記湯量サーボを制御することにより、前記置換動作において前記内管で圧縮された前記空気が前記浴槽内に出る量を制御することを特徴とする。
上記構成によれば、置換動作において液体熱交換器の内管で圧縮された空気が浴槽内に勢いよく出て、例えば「プシュ」などという大きな音が浴室内に反響することを抑えることができる。
【００１５】
好ましくは、前記ガス湯沸かし部は、前記置換動作の制御が実行されるときに流れる水の経路の途中に設けられたシスターンを有し、前記シスターンの内部の水は、前記置換動作が所定時間実行されることで新たな水に置換されることを特徴とする。
上記構成によれば、シスターンの内部に不衛生な水が入ってきた場合であっても、シスターンの内部の水をきれいな水に置換することができる。このため、シスターン内から浴槽等に不衛生な水が入ることを防ぐことができる。
【００１６】
好ましくは、前記ガス湯沸かし部は、前記置換動作の制御が実行されるときに流れる水の経路の途中に設けられたシスターンを有し、前記シスターンの内部の水は、抜かれた後に新たな水が注水されることで前記新たな水に置換されることを特徴とする。
上記構成によれば、シスターンの内部に不衛生な水が入ってきた場合であっても、シスターンの内部の水は、抜かれた後に新たな水が注水されることで新たな水に置換される。このため、シスターン内から浴槽等に不衛生な水が入ることを防ぐことができる。
【発明の効果】
【００１７】
本発明によれば、ヒートポンプ部の室外の熱交換器の内管の空気を水に置換する空気・水置換動作を行う際に、追い焚き管路に残った湯水が浴槽内に入ることを抑えることができる給湯暖房システムを提供することができる。
【図面の簡単な説明】
【００１８】
【図１】本発明の第１の実施形態に係る給湯暖房システムを表す平面図である。
【図２】本実施形態に係る給湯暖房システムを表す配管図である。
【図３】本実施形態に係る給湯暖房システムの給水予熱動作を説明する図である。
【図４】本実施形態に係る給湯暖房システムの給湯動作および蓄熱利用給湯動作を説明する図である。
【図５】本実施形態に係る給湯暖房システムのドレン排出動作を説明する図である。
【図６】本実施形態に係る給湯暖房システムのドレン排出動作を説明する図である。
【図７】本実施形態に係る給湯暖房システムの第１の湯張り動作および蓄熱湯張り動作を説明する図である。
【図８】本実施形態に係る給湯暖房システムの第２の湯張り動作を説明する図である。
【図９】本実施形態に係る給湯暖房システムの第１の追い焚き動作を説明する図である。
【図１０】本実施形態に係る給湯暖房システムの第２の追い焚き動作を説明する図である。
【図１１】本実施形態に係る給湯暖房システムの第３の追い焚き動作を説明する図である。
【図１２】本実施形態に係る給湯暖房システムの浴湯熱ヒートポンプ部回収動作を説明する図である。
【図１３】本実施形態に係る給湯暖房システムの浴湯熱回収動作を説明する図である。
【図１４】本実施形態に係る給湯暖房システムの低温暖房動作を説明する図である。
【図１５】本実施形態に係る給湯暖房システムの低温低負荷暖房動作を説明する図である。
【図１６】本実施形態に係る給湯暖房システムの低温低負荷暖房動作を説明する図である。
【図１７】本実施形態に係る給湯暖房システムの第１の高温暖房動作を説明する図である。
【図１８】本実施形態に係る給湯暖房システムの第２の高温暖房動作を説明する図である。
【図１９】本実施形態に係る給湯暖房システムの水（液体）抜き動作例を説明する図である。
【図２０】風呂往き管と風呂戻り管との判別方法を説明する図である。
【図２１】第２の液体熱交換器の内管の空気・水置換動作を説明する図である。
【図２２】本発明の第２の実施形態に係る給湯暖房システムを表す配管図である。
【図２３】本実施形態に係る給湯暖房システムの給水予熱動作を説明する図である。
【図２４】本実施形態に係る給湯暖房システムの給湯動作および蓄熱利用給湯動作を説明する図である。
【図２５】本実施形態に係る給湯暖房システムのドレン排出動作を説明する図である。
【図２６】本実施形態に係る給湯暖房システムのドレン排出動作を説明する図である。
【図２７】本実施形態に係る給湯暖房システムの第１の湯張り動作および蓄熱湯張り動作を説明する図である。
【図２８】本実施形態に係る給湯暖房システムの第２の湯張り動作および蓄熱湯張り動作を説明する図である。
【図２９】本実施形態に係る給湯暖房システムの第１の追い焚き動作を説明する図である。
【図３０】本実施形態に係る給湯暖房システムの第２の追い焚き動作を説明する図である。
【図３１】本実施形態に係る給湯暖房システムの第３の追い焚き動作を説明する図である。
【図３２】本実施形態に係る給湯暖房システムの浴湯熱ヒートポンプ部回収動作を説明する図である。
【図３３】本実施形態に係る給湯暖房システムの浴湯熱ヒートポンプ部回収動作を説明する図である。
【図３４】本実施形態に係る給湯暖房システムの浴湯熱回収動作を説明する図である。
【図３５】本実施形態に係る給湯暖房システムの低温暖房動作を説明する図である。
【図３６】本実施形態に係る給湯暖房システムの低温低負荷暖房動作を説明する図である。
【図３７】本実施形態に係る給湯暖房システムの低温低負荷暖房動作を説明する図である。
【図３８】本実施形態に係る給湯暖房システムの第１の高温暖房動作を説明する図である。
【図３９】本実施形態に係る給湯暖房システムの第２の高温暖房動作を説明する図である。
【発明を実施するための形態】
【００１９】
以下に、本発明の好ましい実施形態を、図面を参照して詳しく説明するが、理解の便宜のため、まず、本発明の実施形態の主要な特徴を列記し、その後、該実施形態を詳細に説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００２０】
〔特徴１：小型化〕
本実施形態の給湯暖房システム２は、タンク部１０と、ガス湯沸かし部２０と、ヒートポンプ部３０と、暖房装置４０と、浴槽５０と、を備える。これらの各装置は、管、各種の弁、および圧力調整用のシスターン２３７等を介して相互に連結されている。特に、従来では、暖房装置４０と浴槽５０とを管で直接つなぐと、暖房装置４０内の汚水が浴槽水に混入する恐れがある等の問題がある。そのため、暖房経路（暖房系統の管路）と浴槽経路（浴槽系統の管路）とを管で繋げることは非常識であり、水―水熱交換機を用いて熱交換するのが常識であった。
【００２１】
これに対して、本実施形態の給湯暖房システム２は、暖房経路と浴槽経路において共通する管路（以下、「共通管」という）６９１、６９２（図２の塗りつぶし部分参照）を有し、風呂往き三方弁（風呂往き切替弁）２４６（図２参照）および風呂戻り四方弁（風呂戻り切替弁）２４９（図２参照）を利用することで暖房経路と浴槽経路とを変更できるようにしている。従って、比較的大きなスペースをとる水―水熱交換機が不要となった分、管路の小型化を図ることができる。また、風呂往き三方弁２４６および風呂戻り四方弁２４９を用いることで、浴槽５０の水が、暖房装置４０の水と混合することを抑えることができる。
【００２２】
また、所定の装置に存在する余分な熱ないし湯水をその他の装置に回すようにコントロールすることで（即ち、熱を融通し合うことで）、装置の小型化も図っている。
かくして、小さなスペースしかないマンションや狭小住宅等であっても、高効率の給湯暖房システム２を利用することができる。
そして、このように各装置を管などで繋ぐことで、各装置間を湯水が流通可能となる。これにより、「機能性の向上」「効率性の向上」「快適性の向上」「コストダウン」を更に図れるようになった。以下、これを説明する。
【００２３】
〔特徴２：機能性の向上〕
本実施形態では、機能性の向上を図っている。
例えば、本実施形態に係る給湯暖房システム２は、浴槽５０の残湯などをタンク部１０の熱交換器（図２の場合、プレート熱交換器）１０３に送ることで、該残湯の熱をタンク部１０に回収可能な「浴湯熱回収機能」を有している。この機能によれば、エネルギーの無駄を省いて、タンク部１０内に温水を作ることが出来ると共に、浴槽５０の残湯を冷却して菌の繁殖を抑制できる。そして、本実施形態では、この浴湯熱回収機能を向上させている。一例をあげれば、浴槽５０の湯をヒートポンプ部３０まで送って、ヒートポンプ部３０でその熱を回収すると共に、冷房時にヒートポンプ部３０から生じる廃熱を加えた上で、タンク部１０まで湯を送る。これにより、タンク部１０での熱回収機能を向上させている。
【００２４】
また、本実施形態のタンク部１０は例えばマンションのパイプシャフトに収容可能なほど小型である。そこで、タンク部１０の湯が所定の温度になったら、その湯を他の装置に回して利用し、タンク部１０では可及的に次々に新たな湯を生成できる状態にする。これにより、大型の貯湯タンク並みの機能を発揮させている。例えば、本実施形態に係る給湯暖房システム２は、ヒートポンプ部３０の冷房運転時の廃熱を利用してタンク部１０に湯を生成する「廃熱回収機能」を有している。この廃熱回収の際に、湯張りの予約がされている場合において、タンク部１０の湯が基準の温度になったら、タンク部１０の湯を率先して浴槽５０に送る。そして、タンク部１０内の湯が所定量に低下したら再び廃熱回収機能を利用してタンク部１０に湯を生成し、その湯を再び浴槽５０に送るという動作を繰り返している。これにより、小型のタンク部１０であっても、浴槽５０への所定量の湯張りが可能となる。
【００２５】
〔特徴３：効率性の向上〕
次に、本実施形態では、上記各装置の効率の向上を図っている。
例えば、ヒートポンプ部３０の起動時の効率向上を図っている。即ち、ヒートポンプ部３０は、停止時に室外の気体熱交換器３０３が冷却機になって、気体熱交換器３０３内の熱媒体（例えばＲ２９０、Ｒ３２）が液体になる。そうすると、次回の起動に時間を要して効率が悪化するという特性を有する。そこで、気体熱交換器３０３内における熱媒体の液化を防止する構造ないし制御を採用することで、ヒートポンプ部３０の効率の向上を図っている。熱媒体の液化の防止手段としては、本実施形態では、ヒートポンプ部３０の停止に先立ち、第１の液体熱交換器３０１内で液体となる熱媒体の量を増やす為に、第１の液体熱交換器３０１の残熱をタンク部１０に回して、第１の液体熱交換器３０１内及びその周辺の熱媒体循環路３５１内の圧力を気体熱交換器３０３よりも下げて、熱媒体が気体熱交換器３０３に回らないように制御する方法が用いられている。これにより、気体熱交換器３０３内での熱媒体の液化を防止して、ヒートポンプ部３０の起動時の効率が向上する。さらに、タンク部１０の湯を効率よく生成することもできる。
【００２６】
また、本実施形態では、管路内での自然放熱量を抑制することでも効率の向上を図っている。即ち、上述のように各装置を互いに管で連結すると、湯が流れる管の経路の切替えに伴って、該切替え前に使用していた管が使われなくなる。そして、そこに湯が残ってしまう場合がある。そこで、管の経路を切り替える際に、湯が残る所定の管に湯を残さないように制御したり、或いは、所定の管に湯が残っても、その湯を送り出してから経路を切り替えたりしている。これにより、湯が管に取り残される事態を防止して無駄を省き、効率の向上を図ることができる。
【００２７】
また、本実施形態では、ヒートポンプ部３０に低い温度の液体（湯水）を送り込むことで、フルパワーで運転することが高効率なヒートポンプ部３０の効率を上げることができる。
例えば、ヒートポンプ部３０だけでは加熱不足なために、ヒートポンプ部３０とガス湯沸かし部２０との双方を用いて加熱する場合、先ずヒートポンプ部３０で加熱する。その後、所定の不足分の熱を加えるために、ガス湯沸かし部２０で加熱するという順序にしている。これにより、ヒートポンプ部３０には低い給水温度の液体が送り込まれ、効率を上げることができる。
【００２８】
また、浴槽５０の湯を保温だけする場合は、効率性を考慮してヒートポンプ部３０だけで保温するのが理想的である。しかし、熱い湯がヒートポンプ部３０に送り込まれると、ヒートポンプ部３０の高効率性が没却される。そこで、浴槽５０の湯を一旦タンク部１０に回し、タンク部１０で奪熱して温水を生成した後に、低い給水温度の液体をヒートポンプ部３０に送り込んでいる。これにより、ヒートポンプ部３０の効率を上げることができる。
【００２９】
また、本実施形態では、ヒートポンプ部３０だけで加熱した湯を暖房装置４０や浴槽５０に送り込む際、できるだけガス湯沸かし部２０を介さない経路にしている。これにより、ガス湯沸かし部２０の風呂熱交換器２０７から自然放熱される事態を回避して、効率を上げることができる。
【００３０】
〔特徴４：快適性の向上〕
次に、本実施形態では、快適性の向上を図っている。
例えば、本実施形態では、夏場に涼しい浴室内でシャワーを浴びることができる。即ち、ヒートポンプ部３０で冷却した水を暖房装置４０に送ることで浴室を冷房することができる。また、このヒートポンプ部３０で冷却した際に発生した熱をタンク部１０で回収して湯を生成することができる。そして、タンク部１０の湯の温度が所定温度よりも低い場合には、ガス湯沸かし部２０で不足分を加熱し、この加熱した湯をシャワーとして使用することができる。
【００３１】
また、本実施形態では、目標設定温度などが異なるために通常は同時期に終了することがない浴室の暖房と追焚とを同時期に終了させることで、暖かい浴室に入浴することができる。また、寒暖の差で生じる脳卒中や心臓発作などを防止することができる。即ち、本実施形態では、ガス湯沸かし部２０で加熱した熱い湯を、暖房装置４０への暖房経路と浴槽５０への追焚経路の双方に振り分けている。この際、暖房装置４０を通過した後の冷えた湯を追焚経路にコントロールしながら混合している。これにより、浴槽５０に火傷するような熱湯を送り込むことなく、暖房終了時間と追焚終了時間とを同期させることができる。
【００３２】
この点、ガス湯沸かし部２０から暖房装置４０への湯の通常の供給ルートを逆にして、ガス湯沸かし部２０、暖房装置４０、浴槽５０の順に湯を送り込むことでも、除々に湯温が低下していく。そのため、浴槽５０に火傷するような熱湯を送り込むことなく、暖房終了時間と追焚終了時間とを同期させることができる。さらに、この場合、暖房装置４０から浴槽５０に湯を送り込む際、風呂往き管６２１、６２２と風呂戻り管６２３、６２４の双方で浴槽５０に湯を送り込んで、最短での入浴が可能となる。
【００３３】
〔特徴５：トラブルの回避〕
以上のように、本発明の実施形態では、「小型化」「機能性の向上」「効率性の向上」「快適性の向上」を図っているが、そのような構成及び／又は制御を行う結果、種々のトラブルが発生する恐れが想定される。そこで、本実施形態では、該トラブルを回避するための更なる構成ないし制御を行っている。
【００３４】
例えば、上述のように、本実施形態は、浴槽５０の残湯の熱をタンク部１０で回収する「浴湯熱回収機能」を有している。この浴湯熱回収の経路には、シスターン２３７が存在しないように調整弁を設けている。これにより、開放型のシスターン２３７から湯が溢れ出て、シスターン２３７を格納する例えばマンションのパイプシャフトやそれに通じる廊下等が濡れる恐れを防止している。
【００３５】
また、ヒートポンプ部３０をマンションのパイプシャフト内に設置した場合、発生したドレン水を通常の室外機のようにそのまま排出すると、パイプシャフトを通じて廊下等が濡れる恐れがある。この点、本実施形態では、ヒートポンプ部３０と浴室の排水口とを管で接続して、発生したドレン水をその排水口内に排水するようにしている。
【００３６】
また、各装置を相互に連結している本実施形態では、浴槽５０以外の装置で発生したレジオネラ菌等が浴槽水に混入する恐れを防止している。例えば、所定の装置を使用しない時期（例えば暖房装置４０を使用しない春や秋）に、その装置及びその周辺の管内で滞留水が発生して、そこに菌が発生する恐れがある。これに対して、一定期間不使用な装置及び管がある場合、或いはそれが想定される場合、該不使用な装置及び管内の排水及び／又は注水を行い、換水を行うようにしている。この点、管路にある風呂ポンプ２３５を用いて換水作業を行うと、様々な経路があること等から、時間がかかってしまう。そのため、水道局から供給される水を、水圧をコントロールしながら不使用の装置及び管内に注水して、短時間で換水するのが好ましい。
【００３７】
また、上述のように、ヒートポンプ部３０の冷房運転時の廃熱（排熱）を利用してタンク部１０に湯を貯める「廃熱（排熱）回収機能」を有している。この廃熱（排熱）回収機能は、冷房運転時にのみ行われる。そのため、冬期にはこの廃熱回収のための経路内の水が凍結する恐れがある。そこで、本実施形態では、冬期が到来したら、或いは、温度が所定の基準値を下回ったら、廃熱回収のための経路内の水を自動で抜くように制御している。さらに、この水を抜いた後に、夏が到来したら、或いは温度が所定の基準値を上回ったら、廃熱回収のための経路内に自動注水するのが好ましい。これにより、夏場の冷房及び廃熱回収機能を問題なく行うことができる。
【００３８】
また、上述のように、種々の場面で自動注水を行うと、使用者が命令もしていないのに、押し出された水が浴槽に入って水浸しになる恐れがある。これに対して、本実施形態では、自動注水した際に押し出される水が排水口に回るように弁を制御している。
また、上述のように排水を行った場合、その後、注水をしても管内に空気が混入する恐れがある。そこで、排水作業を行った後には、浴槽５０又はシスターン２３７を通らない運転経路があっても、浴槽５０又はシスターン２３７を通るように経路を変更して空気抜き運転するようにしている。
【００３９】
〔特徴６：コストダウン〕
本実施形態では、給水管１５１は、ガス湯沸かし部２０、及び共通管６９１を介して、シスターン２３７と連結している。そうすると、シスターン２３７内の水量が所定の基準値を下回ったら、給水管１５１、ガス湯沸かし部２０、及び共通管６９１を介して、シスターン２３７に給水することができる。これにより、従来必要であったシスターン専用の補給水電磁弁が不要となり、コストダウンを図ることができる。
【００４０】
〔実施形態〕
図１は、本発明の第１の実施形態に係る給湯暖房システムを表す平面図である。
なお、図１（ａ）は、本実施形態に係る給湯暖房システムを表す正面図である。図１（ｂ）は、本実施形態に係る給湯暖房システムを表す側面図である。
【００４１】
本実施形態に係る給湯暖房システム２は、ガス湯沸かし部２０とヒートポンプ部３０とを組み合わせたハイブリッド器具であり、例えば集合住宅の各住戸や戸建て住宅等に用いられるセントラルヒーティング等の用途に適用される。ヒートポンプ部３０は、吸気部３１と排気部３２とを有し、ガス湯沸かし部２０を挟むように配置されている。言い換えれば、ガス湯沸かし部２０は、ヒートポンプ部３０の吸気部３１と、ヒートポンプ部３０の排気部３２と、の間において、ヒートポンプ部３０と並んで配置されている。
【００４２】
ガス湯沸かし部２０は、例えば上下方向に長く形成された長方形状の筐体２１を有する。ガス湯沸かし部２０の筐体２１は、前面カバーにより覆われている。筐体２１の前面カバーには、複数の吸気口２２８と、排気口２２６と、が設けられている。吸気口２２８は、前面カバーの前面および側面に設けられている。排気口２２６は、前面カバーの前面の上部に設けられている。
【００４３】
ヒートポンプ部３０は、例えば上から見てほぼＵ字型に形成された筐体３３を有し、ガス湯沸かし部２０の左右の領域および後の領域にわたって配置されている。ヒートポンプ部３０の吸気部３１の前面カバーには、ほぼ全面に渡って複数の吸気口３１５が設けられている。また、ヒートポンプ部３０の排気部３２の前面カバーには、ほぼ全面に渡って複数の排気口３２５が設けられている。なお、ガス湯沸かし部２０の吸気口２２８および排気口２２６、ならびにヒートポンプ部３０の吸気口３１５および排気口３２５のそれぞれの配置および数は、図１に表した例には限定されない。
【００４４】
図２は、本実施形態に係る給湯暖房システムを表す配管図である。
図２に表したように、本実施形態に係る給湯暖房システム２は、タンク部１０と、ガス湯沸かし部２０と、ヒートポンプ部３０と、暖房装置４０と、制御装置７０と、を備える。タンク部１０と、ガス湯沸かし部２０と、ヒートポンプ部３０と、制御装置７０と、は図１に表した筐体２１および筐体３３の内部に設けられている。
【００４５】
タンク部１０は、タンク１０１と、減圧弁１０２と、プレート熱交換器１０３と、を有する。
タンク１０１は、水供給源（例えば水道）から供給された水を貯留する。タンク１０１の容量は、例えば約１０リットル（Ｌ）以上、２０Ｌ以下程度である。但し、タンク１０１の容量は、これだけには限定されない。タンク１０１は、密閉型であり、外側のうちの少なくとも一部を断熱材によって覆われている。
【００４６】
なお、本実施形態に係る給湯暖房システム２が備える各管路を流れる液体は、水だけには限定されない。但し、本実施形態の説明では、給湯暖房システム２の各管路を流れる液体が水である場合を例に挙げる。また、本願明細書において、単に「水」という場合には、加熱されていない冷水だけではなく、加熱された温水あるいは湯が「水」に含まれることがある。
【００４７】
タンク１０１の表面には、第１のタンク表面サーミスタ１１１と、第２のタンク表面サーミスタ１１２と、プレート熱交換器１０３と、が設けられている。タンク１０１の内部には、タンク内サーミスタ１１３が設けられている。第１のタンク表面サーミスタ１１１と、第２のタンク表面サーミスタ１１２と、タンク内サーミスタ１１３と、はこの順にタンク１０１の下部から上部に向かって略均等間隔で設けられている。第１のタンク表面サーミスタ１１１は、プレート熱交換器１０３の下端部に対応するタンク１０１の表面の温度を検出する。第２のタンク表面サーミスタ１１２は、プレート熱交換器１０３の上端部に対応するタンク１０１の表面の温度を検出する。タンク内サーミスタ１１３は、タンク１０１の上部に接続された湯導入管１５３に排出される水の温度を検出する。
【００４８】
減圧弁１０２は、水供給源から供給された水を導く給水管１５１の途中に設けられ、逆止弁を有する。減圧弁１０２は、水供給源から供給された水の圧力を下げる。また、減圧弁１０２は、減圧弁１０２を通過した後の水の圧力を略一定にして安定化させる。
【００４９】
プレート熱交換器１０３は、タンク１０１の下部の表面に設けられている。プレート熱交換器１０３は、プレート熱交換器１０３の内部を流れる水（例えば温水）と、タンク１０１の内部に貯留された水（例えば冷水）と、の間においてプレート熱交換器１０３の外装とタンク１０１の外装とがある２重絶縁の形で熱交換を行うことができる。プレート熱交換器１０３は、いわゆる液−液熱交換器である。
【００５０】
減圧弁１０２の下流側において、給水管１５１は、タンク１０１の下部に接続されている。また、減圧弁１０２とタンク１０１との間における給水管１５１には、給水管１５１から分岐した水導入管１５２が接続されている。水導入管１５２には、水制御弁１１４と、水量センサ１１５と、水温サーミスタ１１６と、が設けられている。水制御弁１１４は、弁の開度を調整し、水導入管１５２を流れる水の流量を制御する。水量センサ１１５は、水導入管１５２を流れる水の流量を検出する。水温サーミスタ１１６は、水導入管１５２を流れる水の温度を検出する。減圧弁１０２とタンク１０１との間における給水管１５１から分岐した管の端部には、水抜き栓１０４が設けられている。
【００５１】
タンク１０１の上部には、湯導入管１５３が接続されている。湯導入管１５３には、湯制御弁１１７と、湯量センサ１１８と、湯温サーミスタ１１９と、が設けられている。湯制御弁１１７は、弁の開度を調整し、湯導入管１５３を流れる湯の流量を制御する。湯量センサ１１８は、湯導入管１５３を流れる湯の流量を検出する。湯温サーミスタ１１９は、湯導入管１５３を流れる湯の温度を検出する。
【００５２】
水導入管１５２および湯導入管１５３は、混合水導入管１５４として合流している。水導入管１５２を流れた水と、湯導入管１５３を流れた水と、は混合水導入管１５４で混合水として合流し、ガス湯沸かし部２０に向かって流れる。混合水導入管１５４には、混合サーミスタ１２１が設けられている。混合サーミスタ１２１は、混合水導入管１５４を流れる水の温度を検出する。
【００５３】
ガス湯沸かし部２０は、燃焼装置２０１と、中和器２３１と、ドレンタンク２３３と、風呂ポンプ２３５と、回収ポンプ２３６と、シスターン２３７と、を有する。
【００５４】
燃焼装置２０１の燃焼室２０２には、第１のバーナ２０３と、第２のバーナ２０４と、給湯潜熱熱交換器２０５と、給湯熱交換器２０６と、風呂熱交換器２０７と、が設けられている。また、燃焼装置２０１には、点火プラグ２１５と、フレームロッド２１６と、過熱防止装置（温度ヒューズ）２１７と、が取り付けられている。
【００５５】
第１のバーナ２０３および第２のバーナ２０４は、給湯熱交換器２０６および風呂熱交換器２０７の近傍に設けられ、給湯熱交換器２０６および風呂熱交換器２０７を加熱する。給湯熱交換器２０６は、多数のフィンを有し、第１のバーナ２０３および第２のバーナ２０４の少なくともいずれかにより加熱される。風呂熱交換器２０７は、給湯熱交換器２０６と同様に、多数のフィンを有し、第１のバーナ２０３および第２のバーナ２０４の少なくともいずれかにより加熱される。給湯潜熱熱交換器２０５は、給湯熱交換器２０６および風呂熱交換器２０７の上側に設けられ、燃焼室２０２の排ガスに含まれる潜熱を回収する。すなわち、給湯潜熱熱交換器２０５は、第１のバーナ２０３および第２のバーナ２０４の少なくともいずれかの燃焼により給湯熱交換器２０６および風呂熱交換器２０７が熱交換を行った後の燃焼排気と接触する位置に設けられている。このようにして、燃焼装置２０１は、第１のバーナ２０３および第２のバーナ２０４の少なくともいずれかの燃焼により、供給された水を加熱することができる。
【００５６】
燃焼室２０２には、燃焼ファン２０８と、ガス管６０１と、が接続されている。ガス管６０１は、第１のガス分岐管６０２および第２のガス分岐管６０３を介して燃焼室２０２に接続されている。
【００５７】
燃焼ファン２０８は、第１のバーナ２０３および第２のバーナ２０４の燃焼に必要な空気を燃焼室２０２に送る。ガス管６０１は、第１のガス分岐管６０２と、第２のガス分岐管６０３と、に分岐している。ガス管６０１は、第１のガス分岐管６０２を介して、第１のバーナ２０３に対して燃焼に必要なガスを導く。また、ガス管６０１は、第２のガス分岐管６０３を介して、第２のバーナ２０４に対して燃焼に必要なガスを導く。
【００５８】
ガス管６０１には、元ガス電磁弁２１１と、ガス比例弁２１２と、が設けられている。第１のガス分岐管６０２には、第１のガス電磁弁２１３が設けられている。第２のガス分岐管６０３には、第２のガス電磁弁２１４が設けられている。元ガス電磁弁２１１は、第１のバーナ２０３および第２のバーナ２０４に対するガスの供給および停止を制御する。ガス比例弁２１２は、対応する第１のバーナ２０３および第２のバーナ２０４への供給燃料量を弁開度でもって制御する。第１のガス電磁弁２１３および第２のガス電磁弁２１４は、対応する第１のバーナ２０３および第２のバーナ２０４への燃料供給・停止を制御する。
【００５９】
燃焼装置２０１の燃焼室２０２には、ドレン（水）の受け部としての給湯受け皿２２５がさらに設けられている。燃焼室２０２において燃焼排気中に存在する水蒸気が比較的低い温度の給湯潜熱熱交換器２０５の表面で結露し滴下すると、滴下したドレンは、給湯受け皿２２５に溜められる。給湯受け皿２２５は、ドレン排出管６３９を通して中和器２３１に接続されている。
【００６０】
中和器２３１は、中和器水位電極２３２を有し、ドレン排出管６３９を通して給湯受け皿２２５から導かれたドレンの中和処理を行う。ドレンタンク２３３は、水位電極２３４を有し、中和器２３１により中和処理されたドレンを貯留する。図２に表した矢印Ａ３および矢印Ａ４のように、ドレンタンク２３３から溢れたドレンは、適宜排水される。
【００６１】
シスターン２３７は、水位電極２３８と、オーバーフロー弁２３９と、を有する容器であり、内部に水を貯留している。シスターン２３７は、オーバーフロー弁２３９が開くことにより大気開放される。つまり、シスターン２３７は、空気抜きの貯留槽として機能する。オーバーフロー弁２３９の開閉動作は、制御装置７０により制御される。つまり、オーバーフロー弁２３９は、所定以上の圧力がかかると自動的に開く動作を行うわけではなく、制御装置７０から送信された信号に基づいて開閉動作を行う。
【００６２】
ヒートポンプ部３０は、熱媒体循環路３５１と、第１の液体熱交換器３０１と、第２の液体熱交換器３０２と、気体熱交換器３０３と、圧縮機３０４と、膨張弁３０５と、ファン３０６と、四方切替弁３０７と、除霜弁３０８と、を有する。熱媒体循環路３５１は、例えばフロンガスＲ４１０Ａなどの熱媒体を循環させる管路であり、第１の液体熱交換器３０１および第２の液体熱交換器３０２の内部を通過している。気体熱交換器３０３、圧縮機３０４および膨張弁３０５は、熱媒体循環路３５１に接続されている。第１の液体熱交換器３０１は、熱媒体循環路３５１により気体熱交換器３０３と直列に接続されている。第２の液体熱交換器３０２は、熱媒体循環路３５１により気体熱交換器３０３と直列に接続されている。
【００６３】
第１の液体熱交換器３０１は、熱媒体循環路３５１を流れる熱媒体と、ガス湯沸かし部２０から第１の液体熱交換器３０１の内部に導かれた水（液体）と、の間において非接触で熱交換を行うことができる。すなわち、第１の液体熱交換器３０１の内部において、熱媒体循環路３５１は、ガス湯沸かし部２０からヒートポンプ部３０に向かって供給された水が通る第１の液体熱交換器３０１の内管３５２と熱的に接続されている。第１の液体熱交換器３０１は、いわゆる液−液熱交換器である。
【００６４】
第２の液体熱交換器３０２は、熱媒体循環路３５１を流れる熱媒体と、タンク部１０のプレート熱交換器１０３から第２の液体熱交換器３０２の内部に導かれた水（液体）と、の間において非接触で熱交換を行うことができる。すなわち、第２の液体熱交換器３０２の内部において、熱媒体循環路３５１は、タンク部１０からヒートポンプ部３０に向かって供給された水が通る第２の液体熱交換器３０２の内管３５３と熱的に接続されている。第２の液体熱交換器３０２は、第１の液体熱交換器３０１と同様に、いわゆる液−液熱交換器である。
【００６５】
気体熱交換器３０３は、ファン３０６によって送風された外気（気体）と、熱媒体循環路３５１を流れる熱媒体と、の間で熱交換を行う。
【００６６】
圧縮機３０４は、熱媒体循環路３５１の内部の熱媒体を圧縮する。具体的には、圧縮機３０４には、比較的高温で低圧の気体状態の熱媒体が供給される。熱媒体は、圧縮機３０４によって圧縮され、高温高圧の気体状態になる。圧縮機３０４は、図２に表した矢印Ａ５のように、圧縮後の高温高圧の気体状態の熱媒体を四方切替弁３０７に供給する。このとき、高温高圧の気体状態は、液体になりやすい（液体になる寸前）の状態である。
【００６７】
膨張弁３０５は、熱媒体循環路３５１の内部の熱媒体を減圧する。具体的には、膨張弁３０５には、比較的低温で高圧の液体状態の熱媒体が供給される。熱媒体は、膨張弁３０５を通過することによって減圧され、低温低圧の液体状態になる。このとき、低温低圧の液体状態は、気体になりやすい（気体になる寸前）の状態である。
【００６８】
四方切替弁３０７は、熱媒体循環路３５１の内部における熱媒体の流れを切り替える。圧縮機３０４から送り出された熱媒体が四方切替弁３０７を介して第１の液体熱交換器３０１に供給される場合には、高温高圧の気体状態の熱媒体が第１の液体熱交換器３０１に供給される。そのため、この場合において、第１の液体熱交換器３０１は、暖房機として機能し、ガス湯沸かし部２０から供給された水を加熱する。このとき、第１の液体熱交換器３０１の内部において熱媒体循環路３５１を流れる熱媒体は、熱交換の結果として熱を奪われる。そして、第２の液体熱交換器３０２には、膨張弁３０５を通過した低温低圧の液体状態の熱媒体が気体熱交換器３０３を介して供給される。そのため、この場合において、第２の液体熱交換器３０２は、冷房機として機能する。
【００６９】
一方で、圧縮機３０４から送り出された熱媒体が四方切替弁３０７を介して第２の液体熱交換器３０２に供給される場合には、高温高圧の気体状態の熱媒体が第２の液体熱交換器３０２に供給される。そのため、この場合において、第２の液体熱交換器３０２は、暖房機として機能し、タンク部１０のプレート熱交換器１０３から供給された水を加熱する。このとき、第２の液体熱交換器３０２の内部において熱媒体循環路３５１を流れる熱媒体は、熱交換の結果として熱を奪われる。そして、第１の液体熱交換器３０１には、膨張弁３０５を通過した低温低圧の液体状態の熱媒体が供給される。そのため、この場合において、第１の液体熱交換器３０１は、冷房機として機能し、ガス湯沸かし部２０から供給された水を冷却する。
【００７０】
このように、第１の液体熱交換器３０１が冷房機として機能し、第２の液体熱交換器３０２が暖房機として機能する場合には、熱媒体は、図２に表した四方切替弁３０７の破線部分を通過する。一方で、第１の液体熱交換器３０１が暖房機として機能し、第２の液体熱交換器３０２が冷房機として機能する場合には、熱媒体は、図２に表した四方切替弁３０７の実線部分を通過する。
【００７１】
除霜弁３０８は、熱媒体循環路３５１から分岐した熱媒体バイパス管３５４に設けられている。除霜弁３０８は、弁の開度を調整して膨張弁３０５による熱媒体の減圧の度合を調整することにより、第１の液体熱交換器３０１、第２の液体熱交換器３０２および気体熱交換器３０３の少なくともいずれかに付着した霜を取り除くことができる。
【００７２】
熱媒体循環路３５１には、圧力センサ３１４が設けられている。圧力センサ３１４は、熱媒体循環路３５１を循環する熱媒体の圧力を検出することができる。
【００７３】
暖房装置４０は、高温暖房装置４０１と、低温暖房装置４０２と、を有する。高温暖房装置４０１としては、例えば浴室暖房機などが挙げられる。低温暖房装置４０２としては、例えば温水マットなどが挙げられる。
【００７４】
高温暖房装置４０１には、予め設定された温度（例えば約８０℃程度）の湯がガス湯沸かし部２０から熱動弁４０４を介して供給される。例えば、高温暖房装置４０１が浴室暖房機である場合には、暖房ファン４０３が駆動することにより、浴室の内部に温風が供給される。高温暖房装置４０１を通過した湯は、液体合流部４０５を介してシスターン２３７に導かれる。
【００７５】
低温暖房装置４０２には、予め設定された温度（例えば約６０℃程度）の湯がガス湯沸かし部２０に設けられた低温往き熱動弁２４１を介して供給される。低温暖房装置４０２を通過した湯は、液体合流部４０５を介してシスターン２３７に導かれる。
【００７６】
制御装置７０は、タンク部１０と、ガス湯沸かし部２０と、ヒートポンプ部３０と、暖房装置４０と、に電気的に接続されており、タンク部１０と、ガス湯沸かし部２０と、ヒートポンプ部３０と、暖房装置４０と、の動作を制御する。
【００７７】
次に、タンク部１０と、ガス湯沸かし部２０と、ヒートポンプ部３０と、暖房装置４０と、浴槽５０と、の相互の接続について、図面を参照して説明する。
本実施形態に係る給湯暖房システム２では、タンク部１０は、ガス湯沸かし部２０に対して管路で接続されている。ガス湯沸かし部２０は、ヒートポンプ部３０と、暖房装置４０と、浴槽５０と、に対して管路で接続されている。ヒートポンプ部３０は、ガス湯沸かし部２０を介して暖房装置４０および浴槽５０に管路で接続されている。暖房装置４０は、ガス湯沸かし部２０を介して浴槽５０に管路で接続されている。
【００７８】
この際、ガス湯沸かし部２０とタンク部１０とを直接接続するための管路、およびヒートポンプ部３０において生成された熱をタンク部１０に回収するための管路を除き、タンク部１０と、ガス湯沸かし部２０と、ヒートポンプ部３０と、暖房装置４０と、浴槽５０と、は第１の共通管６９１（図２に表した塗りつぶし部分参照）および第２の共通管６９２（図２に表した塗りつぶし部分参照）の少なくとも一部を介して互いに接続されている。すなわち、浴槽系統の管路の一部は、暖房系統の管路の一部と共通している。
【００７９】
第１の共通管６９１は、風呂熱交換器２０７の出口管６０９と、第１の風呂往き管６１９と、を有し、風呂熱交換器２０７の入口管６０８と、風呂往き三方弁２４６と、に接続されている。図２に表した矢印Ａ１のように、第１の共通管６９１を流れる水は、風呂熱交換器２０７から浴槽５０に向かって流れる。第１の共通管６９１の上流側の端部は、風呂熱交換器２０７の内部において、風呂熱交換器２０７の入口管６０８に接続されている。第１の共通管６９１の下流側の端部は、風呂往き三方弁２４６に接続されている。
【００８０】
第２の共通管６９２は、第３の風呂戻り管６２５と、風呂ポンプ入口管６２６と、風呂ポンプ出口管６１４と、風呂熱交換器２０７の入口管６０８と、を有し、風呂戻り四方弁２４９と、風呂熱交換器２０７の出口管６０９と、に接続されている。図２に表した矢印Ａ２のように、第２の共通管６９２を流れる水は、風呂ポンプ２３５から風呂熱交換器２０７に向かって流れる。第２の共通管６９２の上流側の端部は、風呂戻り四方弁２４９に接続されている。第２の共通管６９２の下流側の端部は、風呂熱交換器２０７の内部において、風呂熱交換器２０７の出口管６０９に接続されている。
【００８１】
〔ガス湯沸かし部と浴槽との接続〕
まず、ガス湯沸かし部２０と、浴槽５０と、の接続について説明する。ここで説明する管路は、ガス湯沸かし部２０と浴槽５０とを接続する浴槽系統の管路の一例である。ガス湯沸かし部２０と浴槽５０とを接続する管路は、第１の共通管６９１と、第２の風呂往き管６２１と、第３の風呂往き管６２２と、第１の風呂戻り管６２３と、第２の風呂戻り管６２４と、第２の共通管６９２と、を有する。
【００８２】
第１の共通管６９１のうちの風呂熱交換器２０７の出口管６０９は、風呂往き四方弁２４５を介して第１の風呂往き管６１９に接続されている。第１の風呂往き管６１９は、風呂往き三方弁２４６を介して第２の風呂往き管６２１に接続されている。第２の風呂往き管６２１は、循環金具（図示せず）を介して浴槽５０に接続された第３の風呂往き管６２２に接続されている。風呂往き三方弁２４６は、第１の風呂往き管６１９に導かれた水が、浴槽５０に導かれる状態と、暖房装置４０の高温暖房装置４０１に導かれる状態と、を切り替える。すなわち、風呂往き三方弁２４６は、第１の風呂往き管６１９に導かれた水が、第２の風呂往き管６２１に導かれる状態と、第１の高温暖房往き管６２７に導かれる状態と、を切り替える。風呂往き三方弁２４６は、水が浴槽系統の管路を流れる状態と、水が暖房系統の管路を流れる状態と、を切り替える切替弁に相当する。
【００８３】
浴槽５０には、第３の風呂往き管６２２とは異なる第１の風呂戻り管６２３が循環金具（図示せず）を介して接続されている。第１の風呂戻り管６２３は、第２の風呂戻り管６２４に接続され、風呂戻り四方弁２４９を介して第２の共通管６９２のうちの第３の風呂戻り管６２５に接続されている。第３の風呂戻り管６２５は、プレート四方弁２５１を介して風呂ポンプ入口管６２６に接続されている。風呂ポンプ入口管６２６は、風呂ポンプ２３５を介して風呂ポンプ出口管６１４に接続されている。そして、風呂ポンプ出口管６１４は、風呂熱交換器２０７の入口管６０８に接続されている。
【００８４】
風呂熱交換器２０７の出口管６０９には、第１の風呂往きサーミスタ２５６が設けられている。第１の風呂往きサーミスタ２５６は、風呂熱交換器２０７の出口管６０９を流れる水の温度を検出する。
【００８５】
第２の風呂往き管６２１には、第２の風呂往きサーミスタ２５７が設けられている。第２の風呂往きサーミスタ２５７は、第２の風呂往き管６２１を流れる水の温度を検出する。第３の風呂往き管６２２には、第１のドレン切替三方弁２４７が設けられている。第１のドレン切替三方弁２４７は、第３の風呂往き管６２２を流れる水が、浴槽５０に導かれる状態と、排出される状態と、を切り替える。第２の風呂戻り管６２４には、電磁弁２４８が設けられている。
【００８６】
風呂ポンプ入口管６２６には、第２のドレン切替三方弁２５２と、風呂水流スイッチ２５３と、風呂戻りサーミスタ２５４と、水位センサ２５５と、がこの順に上流側（浴槽５０側）から下流側（風呂ポンプ２３５側）に向かって設けられている。風呂水流スイッチ２５３は、水が風呂ポンプ入口管６２６を流れていることを検出する。風呂戻りサーミスタ２５４は、風呂ポンプ入口管６２６を流れる水の温度を検出する。
【００８７】
〔ガス湯沸かし部と暖房装置との接続〕
続いて、ガス湯沸かし部２０と、暖房装置４０と、の接続について説明する。ここで説明する管路は、ガス湯沸かし部２０と暖房装置４０とを接続する暖房系統の管路の一例である。ガス湯沸かし部２０と浴槽５０との接続に関して前述した第１の共通管６９１は、風呂往き三方弁２４６を介して第１の高温暖房往き管６２７に接続されている。第１の高温暖房往き管６２７は、第２の高温暖房往き管４５１に接続されている。第２の高温暖房往き管４５１は、熱動弁４０４を介して高温暖房装置４０１の内部を通過し、高温暖房戻り管４５２に接続されている。高温暖房戻り管４５２は、液体合流部４０５を介して暖房戻り管６２８に接続されている。暖房戻り管６２８は、シスターン２３７に接続されている。
【００８８】
シスターン２３７には、暖房戻り管６２８とは異なるシスターン出口管６２９が接続されている。シスターン出口管６２９は、風呂戻り四方弁２４９を介して第２の共通管６９２に接続されている。風呂戻り四方弁２４９は、浴槽５０の内部の水が第２の共通管６９２に導かれる状態と、高温暖房装置４０１および低温暖房装置４０２を流れた水がシスターン２３７を介して第２の共通管６９２に導かれる状態と、を切り替える。風呂戻り四方弁２４９は、水が浴槽系統の管路を流れる状態と、水が暖房系統の管路を流れる状態と、を切り替える切替弁に相当する。第２の共通管６９２は、ガス湯沸かし部２０と浴槽５０との接続に関して前述した通りである。
【００８９】
第２の風呂往き管６２１と、第１の高温暖房往き管６２７と、には、浴槽バイパス管６３１が接続されている。そして、浴槽バイパス管６３１には、電磁弁２５８が設けられている。第１の風呂往き管６１９を流れた水が第１の高温暖房往き管６２７に導かれる状態において、電磁弁２５８は、弁の開度を調整し、浴槽バイパス管６３１を通して第２の風呂往き管６２１に水を導くことができる。すなわち、浴槽バイパス管６３１および電磁弁２５８は、第１の高温暖房往き管６２７と第２の風呂往き管６２１との両方に任意の流量比で水を導くことができる。
【００９０】
風呂熱交換器２０７の出口管６０９には、風呂熱交換器２０７の出口管６０９から分岐した第１の低温能力管６３２が接続されている。第１の低温能力管６３２は、第１の低温能力四方弁２５９を介して第２の低温能力管６３３に接続されている。第２の低温能力管６３３は、第２の低温能力四方弁２６１を介して第３の低温能力管６３４に接続されている。そして、第３の低温能力管６３４は、シスターン２３７に接続されている。
【００９１】
また、第２の低温能力管６３３は、第２の低温能力四方弁２６１を介して第１の暖房往き管６１７および第２の暖房往き管６３５に接続されている。第２の暖房往き管６３５は、蓄熱三方弁２６２を介して第３の暖房往き管６３６および第４の暖房往き管６３７に接続されている。
【００９２】
第３の暖房往き管６３６は、低温往き熱動弁２４１を介して低温暖房往き管４５３に接続されている。低温暖房往き管４５３は、低温暖房装置４０２の内部を通過し、低温暖房戻り管４５４に接続されている。低温暖房戻り管４５４は、液体合流部４０５を介して暖房戻り管６２８に接続されている。暖房戻り管６２８と、シスターン２３７と、シスターン出口管６２９と、第２の共通管６９２と、の接続は、前述した通りである。
【００９３】
第１の低温能力管６３２には、低温能力切替弁２６３が設けられている。低温能力切替弁２６３は、弁の開度を調整し、第１の低温能力管６３２を流れる水の流量を制御する。つまり、低温能力切替弁２６３は、弁の開度を調整し、風呂熱交換器２０７の出口管６０９を通って第１の風呂往き管６１９に導かれる水の流量と、風呂熱交換器２０７の出口管６０９を通って第１の低温能力管６３２に導かれる水の流量と、の比率を制御する。低温能力切替弁２６３は、弁を閉じることにより、第１の低温能力管６３２を流れる水を止めることができる。すなわち、低温能力切替弁２６３は、止水機能を有する。
【００９４】
〔ガス湯沸かし部とヒートポンプ部との接続〕
続いて、ガス湯沸かし部２０と、ヒートポンプ部３０と、の接続について説明する。第２の共通管６９２のうちの風呂ポンプ出口管６１４には、風呂ポンプ出口管６１４から分岐した第１の液体熱交換器３０１の入口管６１５が接続されている。第１の液体熱交換器３０１の入口管６１５は、第１の液体熱交換器３０１の内管３５２を介して第１の液体熱交換器３０１の出口管６１６に接続されている。第１の液体熱交換器３０１の出口管６１６は、第２の共通管６９２のうちの風呂熱交換器２０７の入口管６０８に接続されている。
【００９５】
風呂ポンプ出口管６１４と、第１の液体熱交換器３０１の入口管６１５と、の接続部には、ヒートポンプ入口三方弁２４３が設けられている。ヒートポンプ入口三方弁２４３は、風呂ポンプ２３５から送り出された水が第１の液体熱交換器３０１の入口管６１５に導かれる状態と、風呂熱交換器２０７の入口管６０８に直接的に導かれる状態と、を切り替える。
【００９６】
第１の液体熱交換器３０１の入口管６１５には、入口サーミスタ３１１が設けられている。入口サーミスタ３１１は、第１の液体熱交換器３０１の入口管６１５を流れる水であって、第１の液体熱交換器３０１に流入する直前の水の温度を検出する。第１の液体熱交換器３０１の出口管６１６には、出口サーミスタ３１２が設けられている。出口サーミスタ３１２は、第１の液体熱交換器３０１の出口管６１６を流れる水であって、第１の液体熱交換器３０１から流出した直後の水の温度を検出する。
【００９７】
第１の液体熱交換器３０１の出口管６１６には、第１の液体熱交換器３０１の出口管６１６から分岐した水抜き管３５７が接続されている。水抜き管３５７の端部には、水抜き栓３１３が設けられている。また、出口サーミスタ３１２よりも下流側の第１の液体熱交換器３０１の出口管６１６には、第１の液体熱交換器３０１の出口管６１６から分岐した第１の暖房往き管６１７が接続されている。
【００９８】
第１の液体熱交換器３０１の出口管６１６と、第１の暖房往き管６１７と、の接続部には、ヒートポンプ出口三方弁２４４が設けられている。ヒートポンプ出口三方弁２４４は、第１の液体熱交換器３０１を流れた水が風呂熱交換器２０７の入口管６０８に導かれる状態と、第１の暖房往き管６１７に導かれる状態と、を切り替える。第１の液体熱交換器３０１の出口管６１６と、第１の暖房往き管６１７と、には、暖房バイパス管６１８が接続されている。そして、暖房バイパス管６１８には、電磁弁２６４が設けられている。
【００９９】
第１の液体熱交換器３０１を流れた水が風呂熱交換器２０７の入口管６０８に導かれる状態において、電磁弁２６４は、弁の開度を調整し、暖房バイパス管６１８を通して第１の暖房往き管６１７に水を導くことができる。すなわち、暖房バイパス管６１８および電磁弁２６４は、風呂熱交換器２０７の入口管６０８と第１の暖房往き管６１７との両方に任意の流量比で水を導くことができる。
【０１００】
〔ヒートポンプ部と浴槽との接続〕
続いて、ヒートポンプ部３０と、浴槽５０と、の接続について説明する。ここで説明する管路は、ヒートポンプ部３０と浴槽５０とを接続する浴槽系統の管路の一例である。ガス湯沸かし部２０と、ヒートポンプ部３０と、の接続に関して前述したように、第１の液体熱交換器３０１の出口管６１６は、ヒートポンプ出口三方弁２４４を介して第１の暖房往き管６１７に接続されている。第１の暖房往き管６１７は、第２の低温能力四方弁２６１を介して第２の暖房往き管６３５に接続されている。第２の暖房往き管６３５は、蓄熱三方弁２６２を介して第４の暖房往き管６３７に接続されている。第４の暖房往き管６３７は、風呂往き四方弁２４５を介して第１の共通管６９１に接続されている。蓄熱三方弁２６２は、第２の暖房往き管６３５を流れる水が、第３の暖房往き管６３６に導かれる状態と、第４の暖房往き管６３７に導かれる状態と、を切り替える。
【０１０１】
第１の共通管６９１と、浴槽５０と、の接続は、ガス湯沸かし部２０と、浴槽５０と、の接続に関して前述した通りである。また、第２の共通管６９２と、浴槽５０と、の接続は、ガス湯沸かし部２０と、浴槽５０と、の接続に関して前述した通りである。そして、ガス湯沸かし部２０と、ヒートポンプ部３０と、の接続に関して前述したように、第２の共通管６９２のうちの風呂ポンプ出口管６１４は、ヒートポンプ入口三方弁２４３を介して第１の液体熱交換器３０１の入口管６１５に接続されている。
【０１０２】
〔ヒートポンプ部と暖房装置との接続〕
続いて、ヒートポンプ部３０と、暖房装置４０と、の接続について説明する。ここで説明する管路は、ヒートポンプ部３０と暖房装置４０とを接続する暖房系統の管路の一例である。ヒートポンプ部３０と、浴槽５０と、の接続に関して前述したように、第１の液体熱交換器３０１の出口管６１６は、ヒートポンプ出口三方弁２４４を介して第１の暖房往き管６１７に接続されている。第１の暖房往き管６１７は、第２の低温能力四方弁２６１と、第２の暖房往き管６３５と、蓄熱三方弁２６２と、第４の暖房往き管６３７と、風呂往き四方弁２４５と、を介して第１の共通管６９１に接続されている。第１の共通管６９１のうちの第１の風呂往き管６１９と、第１の高温暖房往き管６２７と、第２の高温暖房往き管４５１と、高温暖房装置４０１と、高温暖房戻り管４５２と、暖房戻り管６２８と、シスターン２３７と、シスターン出口管６２９と、の接続は、ガス湯沸かし部２０と、暖房装置４０と、の接続に関して前述した通りである。
【０１０３】
また、第２の暖房往き管６３５は、蓄熱三方弁２６２を介して第３の暖房往き管６３６に接続されている。第３の暖房往き管６３６と、低温暖房往き管４５３と、低温暖房戻り管４５４と、暖房戻り管６２８と、シスターン２３７と、シスターン出口管６２９と、の接続は、ガス湯沸かし部２０と、暖房装置４０と、の接続に関して前述した通りである。
【０１０４】
シスターン出口管６２９は、風呂戻り四方弁２４９を介して第２の共通管６９２に接続されている。そして、ガス湯沸かし部２０と、ヒートポンプ部３０と、の接続に関して前述したように、第２の共通管６９２のうちの風呂ポンプ出口管６１４は、ヒートポンプ入口三方弁２４３を介して第１の液体熱交換器３０１の入口管６１５に接続されている。
【０１０５】
〔タンク部とガス湯沸かし部との接続〕
続いて、タンク部１０と、ガス湯沸かし部２０と、の接続について説明する。ここで説明する管路は、タンク部１０とガス湯沸かし部２０とを接続するタンク系統の管路の一例である。タンク部１０の混合水導入管１５４は、給湯潜熱熱交換器２０５の入口管６０４に接続されている。なお、給湯潜熱熱交換器２０５の入口管６０４は、タンク部１０の混合水導入管１５４と同じ管であってもよいし、タンク部１０の混合水導入管１５４とは別の管であってもよい。つまり、タンク部１０の混合水導入管１５４を流れる水が、給湯潜熱熱交換器２０５の入口管６０４に導かれればよい。
【０１０６】
給湯潜熱熱交換器２０５の入口管６０４には、水量センサ２２１と、バイパスサーボ２２２と、が設けられている。水量センサ２２１は、給湯潜熱熱交換器２０５の入口管６０４を流れる水の流量を検出する。バイパスサーボ２２２は、給湯潜熱熱交換器２０５の入口管６０４と、給湯バイパス管６１１と、の接続部に設けられ、給湯バイパス管６１１に導かれる水の量を制御する。なお、給湯バイパス管６１１は、給湯潜熱熱交換器２０５の入口管６０４と、給湯熱交換器２０６の出口管６０７と、に接続されている。
【０１０７】
給湯潜熱熱交換器２０５の入口管６０４は、給湯潜熱熱交換器２０５の出口管６０５に接続されている。給湯潜熱熱交換器２０５の出口管６０５の端部には、水抜き栓２２７が設けられている。また、給湯潜熱熱交換器２０５の出口管６０５には、給湯潜熱熱交換器２０５の出口管６０５から分岐した給湯熱交換器２０６の入口管６０６が接続されている。給湯熱交換器２０６の入口管６０６には、水管サーミスタ２１８が設けられている。水管サーミスタ２１８は、給湯熱交換器２０６の入口管６０６を流れる水の温度を検出する。
【０１０８】
給湯熱交換器２０６の入口管６０６は、給湯熱交換器２０６の出口管６０７に接続されている。給湯熱交換器２０６の出口管６０７には、熱交換サーミスタ２１９と、給湯サーミスタ２２３と、湯量サーボ２２４と、が設けられている。熱交換サーミスタ２１９は、給湯熱交換器２０６の出口管６０７を流れる水であって、給湯熱交換器２０６を通過した直後の水の温度を検出する。給湯サーミスタ２２３は、給湯熱交換器２０６の出口管６０７を流れる水であって、給湯熱交換器２０６の出口管６０７と給湯バイパス管６１１との接続部よりも下流側（湯量サーボ２２４側）の水の温度を検出する。湯量サーボは、給湯管６１２に導かれる湯の量を制御する。
【０１０９】
〔タンク部とヒートポンプ部との接続〕
続いて、タンク部１０と、ヒートポンプ部３０と、の接続について説明する。ここで説明する管路は、タンク部１０とヒートポンプ部３０とを接続するタンク系統の管路の一例である。第２の液体熱交換器３０２の内管３５３は、第２の液体熱交換器３０２の出口管３５５を介してガス湯沸かし部２０の回収ポンプ２３６に接続されている。回収ポンプ２３６は、熱回収循環路６１３に接続されている。熱回収循環路６１３は、プレート熱交換器１０３の内部を通り、第２の液体熱交換器３０２の入口管３５６に接続されている。なお、熱回収循環路６１３は、プレート四方弁２５１を介して第２の共通管６９２に接続されている。
【０１１０】
回収ポンプ２３６とプレート入口サーミスタ１２３との間の熱回収循環路６１３には、電磁弁２４２が設けられている。電磁弁２４２と、プレート熱交換器１０３と、の間の熱回収循環路６１３には、プレート入口サーミスタ１２３が設けられている。プレート入口サーミスタ１２３は、熱回収循環路６１３を流れる水であって、プレート熱交換器１０３に流入する直前の水の温度を検出する。
【０１１１】
次に、本実施形態に係る給湯暖房システム２の基本動作について、図面を参照して説明する。
なお、以下の各図面において、三方弁の近傍に記載された三方弁イラストは、塗り潰された部分同士が互いに連通している状態（連通状態）であることを表し、塗り潰された部分と塗り潰されていない部分が互いに連通していない状態（非連通状態）であることを表している。
【０１１２】
〔給水予熱動作〕
図３は、本実施形態に係る給湯暖房システムの給水予熱動作を説明する図である。
給水予熱動作は、ヒートポンプ部３０において生成された熱により、タンク１０１の内部に貯留された水を加熱する動作である。図３に表した塗りつぶし部分は、給水予熱動作において水が流れる管路を表している。制御装置７０が給水予熱動作の制御を実行すると、風呂ポンプ２３５が駆動する。また、ヒートポンプ部３０の圧縮機３０４は、四方切替弁３０７を介して第１の液体熱交換器３０１に熱媒体を供給する。そのため、給水予熱動作において、第１の液体熱交換器３０１は、暖房機として機能する。一方で、給水予熱動作において、第２の液体熱交換器３０２は、冷房機として機能する。
【０１１３】
図３に表した矢印Ａ１７のように、風呂ポンプ２３５が駆動すると、第２の共通管６９２のうちの風呂ポンプ入口管６２６を流れる水は、風呂ポンプ２３５から送り出され、ヒートポンプ入口三方弁２４３と、第１の液体熱交換器３０１の入口管６１５と、を介して第１の液体熱交換器３０１に流入する。第１の液体熱交換器３０１に流入する水の温度は、例えば約３０℃程度である。
【０１１４】
第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。図３に表した矢印Ａ６のように、第１の液体熱交換器３０１の出口管６１６を流れる水は、ヒートポンプ出口三方弁２４４を介して第１の暖房往き管６１７に導かれる。
【０１１５】
第１の暖房往き管６１７を流れる水は、第２の低温能力四方弁２６１と、第２の暖房往き管６３５と、蓄熱三方弁２６２と、第４の暖房往き管６３７と、風呂往き四方弁２４５と、タンク往き管６３８と、を介して熱回収循環路６１３に導かれる。図３に表した矢印Ａ７および矢印Ａ８のように、熱回収循環路６１３を流れる水は、プレート熱交換器１０３の内部を通り、プレート四方弁２５１を介して第２の共通管６９２のうちの風呂ポンプ入口管６２６に導かれる。
【０１１６】
このとき、タンク１０１の内部に貯留された水は、プレート熱交換器１０３の内部における熱回収循環路６１３を流れる水により加熱される。加熱された水は、タンク１０１内の上部に移動する。これにより、タンク１０１内の上部には、高温（例えば約４５℃程度）の水の層が形成される。タンク１０１内の下部には、低温（例えば約１５℃程度）の水の層が形成される。
【０１１７】
〔給湯動作・蓄熱利用給湯動作〕
図４は、本実施形態に係る給湯暖房システムの給湯動作および蓄熱利用給湯動作を説明する図である。
給湯動作は、水供給源（例えば水道）から供給された水を加熱し、給湯栓に供給する動作である。蓄熱利用給湯動作は、タンク１０１の内部に貯留された水であってタンク１０１の内部で加熱された水を給湯栓に供給する動作である。図４に表した塗りつぶし部分は、給湯動作および蓄熱利用給湯動作において水が流れる管路を表している。
【０１１８】
給湯栓が開かれると、制御装置７０は、水制御弁１１４および湯制御弁１１７の少なくともいずれかを開く。そうすると、水供給源から供給される水の圧力によって、水が混合水導入管１５４を流れ、ガス湯沸かし部２０に供給される。水供給源から供給される水の温度は、例えば約１５℃程度である。
【０１１９】
ガス湯沸かし部２０に供給される水の温度（混合サーミスタ１２１の検出温度）が給湯設定温度よりも低い場合には、制御装置７０は、給湯動作の制御を実行し、燃焼装置２０１を作動させる。すなわち、燃焼装置２０１の内部を流れる水は、第１のバーナ２０３および第２のバーナ２０４の少なくともいずれかにより加熱される。給湯潜熱熱交換器２０５において加熱された水の温度は、例えば約３０℃程度である。給湯熱交換器２０６において加熱された水の温度は、例えば約７０℃程度である。
【０１２０】
加熱された水（湯）は、給湯熱交換器２０６の出口管６０７を通り、バイパスサーボ２２２により給湯バイパス管６１１に導かれた水と混合し、湯量サーボ２２４を介して給湯栓に供給される。給湯栓に導かれる水の温度は、例えば約４２℃程度である。制御装置７０は、給湯栓に供給される水の温度が、給湯設定温度と一致するように、第１のバーナ２０３および第２のバーナ２０４の出力を制御する。
【０１２１】
タンク１０１に貯留された水の温度（タンク内サーミスタ１１３の検出温度）が給湯設定温度よりも高い場合には、制御装置７０は、蓄熱利用給湯動作の制御を実行し、水制御弁１１４および湯制御弁１１７のそれぞれの開度を調整する。このとき、タンク１０１に貯留された水の温度は、例えば通常約４５℃、最大約６０℃程度である。
【０１２２】
水導入管１５２を流れた水と、湯導入管１５３を流れた水と、は混合水導入管１５４で混合水として合流し、燃焼装置２０１を介して給湯栓に供給される。このとき、燃焼装置２０１は、燃焼動作を行わない。つまり、燃焼装置２０１を流れる水は、第１のバーナ２０３および第２のバーナ２０４によっては加熱されない。混合水導入管１５４を流れる水および給湯栓に供給される水の温度は、例えば約４２℃程度である。このように、制御装置７０は、給湯栓に供給される水の温度が、給湯設定温度と一致するように、水制御弁１１４および湯制御弁１１７のそれぞれの開度を制御する。蓄熱利用給湯動作において水が流れる管路は、給湯動作において水が流れる管路と同じである。
【０１２３】
〔ドレン排水動作〕
図５および図６は、本実施形態に係る給湯暖房システムのドレン排出動作を説明する図である。
ドレン排出動作は、ドレンタンク２３３に貯留されたドレンを排出するとともに、管路の洗浄を行う動作である。図５に表した塗りつぶし部分は、ドレンタンク２３３に貯留されたドレンを排出する動作において水が流れる管路を表している。図６に表した塗りつぶし部分は、管路の洗浄を行う動作において水が流れる管路を表している。
【０１２４】
使用者が自動ボタン（図示せず）を押すと、制御装置７０は、ドレンタンク２３３に溜まったドレンを排出する動作（ドレン排出動作）の制御を実行した後に、湯張り動作の制御を実行する。湯張り動作が実行されているときに、多量のドレンが発生することがあるため、制御装置７０は、湯張り動作の制御を実行する前にドレン排出動作の制御を実行する。そして、制御装置７０は、ドレン排出動作の制御を実行した後に、湯張り動作において水が流れる管路の洗浄を行う動作（洗浄動作）の制御を実行する。なお、自動ボタンは、浴槽５０に自動湯張りを行う動作（湯張り動作）のオンオフスイッチである。
【０１２５】
制御装置７０がドレン排出動作の制御を実行すると、風呂ポンプ２３５が駆動する。そうすると、図５に表した矢印Ａ９のように、ドレンタンク２３３に貯留されたドレン（水）は、第１のドレンタンク出口管６４１および第２のドレンタンク出口管６４２を介して第２の共通管６９２のうちの風呂ポンプ入口管６２６に導かれる。第１のドレンタンク出口管６４１は、ドレンタンク２３３に接続されている。また、第１のドレンタンク出口管６４１は、第１の低温能力四方弁２５９を介して第２のドレンタンク出口管６４２に接続されている。第２のドレンタンク出口管６４２は、第２のドレン切替三方弁２５２を介して風呂ポンプ入口管６２６に接続されている。なお、第１のドレンタンク出口管６４１には、逆止弁２６５が設けられている。
【０１２６】
図５に表した矢印Ａ２のように、風呂ポンプ入口管６２６を流れたドレンは、風呂ポンプ２３５により風呂ポンプ出口管６１４に送り出される。続いて、図５に表した矢印Ａ１のように、風呂ポンプ出口管６１４を流れたドレンは、第１の共通管６９１を流れる。第１の共通管６９１のうち第１の風呂往き管６１９を流れたドレンは、風呂往き三方弁２４６を介して第２の風呂往き管６２１および第３の風呂往き管６２２に導かれる。第３の風呂往き管６２２に導かれたドレンは、第１のドレン切替三方弁２４７を介して排出される。
【０１２７】
続いて、図６に表したように、制御装置７０は、洗浄動作の制御を実行し、水制御弁１１４を開く。そうすると、水供給源から供給される水の圧力によって、水が水導入管１５２および混合水導入管１５４を流れ、ガス湯沸かし部２０に供給される。ガス湯沸かし部２０に供給された水は、給湯潜熱熱交換器２０５および給湯熱交換器２０６を流れ、湯量サーボ２２４に導かれる。湯量サーボ２２４に導かれた水は、第１の注湯管６４３と、第２の注湯管６４４と、第３の注湯管６４５と、を流れ、第２の共通管６９２のうちの風呂ポンプ入口管６２６に導かれる。
【０１２８】
第１の注湯管６４３は、注湯電磁弁２６６と、逆止弁２６７と、逆止弁２６８と、を介して第２の注湯管６４４に接続されている。第２の注湯管６４４は、注湯三方弁２７１を介して第３の注湯管６４５に接続されている。第３の注湯管６４５は、第２の共通管６９２のうちの風呂ポンプ入口管６２６に接続されている。第２の注湯管６４４には、湯量センサ２６９が設けられている。湯量センサ２６９は、第２の注湯管６４４を流れる湯の流量を検出する。また、逆止弁２６７、２６８の近傍には、大気開放弁２９４が設けられている。
【０１２９】
風呂ポンプ入口管６２６に導かれた水は、ドレン排出動作に関して前述した管路と同じ管路を流れ、第１のドレン切替三方弁２４７を介して排出される。このとき、風呂ポンプ２３５は、停止している。
【０１３０】
〔第１の湯張り動作・蓄熱湯張り動作〕
図７は、本実施形態に係る給湯暖房システムの第１の湯張り動作および蓄熱湯張り動作を説明する図である。
第１の湯張り動作は、水供給源（例えば水道）から供給された水を加熱し、浴槽５０に供給する動作である。蓄熱湯張り動作は、タンク１０１の内部に貯留された水であってタンク１０１の内部で加熱された水を浴槽５０に供給する動作である。図７に表した塗りつぶし部分は、第１の湯張り動作および蓄熱湯張り動作において水が流れる管路を表している。
【０１３１】
使用者が自動ボタン（図示せず）を押すと、制御装置７０は、図６に関して前述したドレン排出動作の制御を実行した後に、第１の湯張り動作または蓄熱湯張り動作の制御を実行する。第１の湯張り動作および蓄熱湯張り動作において、制御装置７０は、水制御弁１１４および湯制御弁１１７の少なくともいずれかを開く。そうすると、水供給源から供給される水の圧力によって、水が混合水導入管１５４を流れ、ガス湯沸かし部２０に供給される。水供給源から供給される水の温度は、例えば約１５℃程度である。
【０１３２】
ガス湯沸かし部２０に供給される水の温度（混合サーミスタ１２１の検出温度）が湯張り設定温度よりも低い場合には、制御装置７０は、第１の湯張り動作の制御を実行し、燃焼装置２０１を作動させる。燃焼装置２０１において加熱された水（湯）は、給湯熱交換器２０６の出口管６０７を通り、湯量サーボ２２４に導かれる。これは、図４に関して前述した通りである。給湯潜熱熱交換器２０５において加熱された水の温度は、例えば約３０℃程度である。給湯熱交換器２０６において加熱された水の温度は、例えば約７０℃程度である。
【０１３３】
湯量サーボ２２４に導かれた水は、第１の注湯管６４３を流れ、注湯電磁弁２６６と、逆止弁２６７と、逆止弁２６８と、を介して第２の注湯管６４４に導かれる。第２の注湯管６４４に導かれた水は、注湯三方弁２７１を介して第３の注湯管６４５に導かれる。
【０１３４】
図７に表した矢印Ａ１１および矢印Ａ１２のように、第３の注湯管６４５に導かれた水は、第３の注湯管６４５と風呂ポンプ入口管６２６との接続部を介して風呂ポンプ入口管６２６の両側に分岐して流れる。図７に表した矢印Ａ１１の方向に導かれた水は、第２の共通管６９２のうちの第３の風呂戻り管６２５と、第２の風呂戻り管６２４と、第１の風呂戻り管６２３と、を流れ、循環金具（図示せず）を介して浴槽５０に供給される。一方で、図７に表した矢印Ａ１２の方向に導かれた水は、第２の共通管６９２のうちの風呂ポンプ出口管６１４と、風呂熱交換器２０７の入口管６０８と、第１の共通管６９１と、を流れ、循環金具（図示せず）を介して浴槽５０に供給される。つまり、第１の湯張り動作において、燃焼装置２０１において加熱された水（湯）は、風呂往き管６１９、６２１、６２２および風呂戻り管６２３、６２４、６２５の両方を用いて浴槽５０に供給される。
【０１３５】
浴槽５０に導かれる水の温度は、例えば約４２℃程度である。制御装置７０は、浴槽５０に供給される水の温度が、湯張り設定温度と一致するように、第１のバーナ２０３および第２のバーナ２０４の出力を制御する。
【０１３６】
タンク１０１に貯留された水の温度（タンク内サーミスタ１１３の検出温度）が湯張り設定温度よりも高い場合には、制御装置７０は、蓄熱湯張り動作の制御を実行し、水制御弁１１４および湯制御弁１１７のそれぞれの開度を調整する。このとき、タンク１０１に貯留された水の温度は、例えば約４０℃〜６０℃程度である。
【０１３７】
水導入管１５２を流れた水と、湯導入管１５３を流れた水と、は混合水導入管１５４で混合水として合流し、燃焼装置２０１を介して湯量サーボ２２４に導かれる。このとき、燃焼装置２０１は、燃焼動作を行わない。つまり、燃焼装置２０１を流れる水は、第１のバーナ２０３および第２のバーナ２０４によっては加熱されない。混合水導入管１５４を流れる水および浴槽５０に供給される水の温度は、例えば約４２℃程度である。このように、制御装置７０は、浴槽５０に供給される水の温度が、湯張り設定温度と一致するように、水制御弁１１４および湯制御弁１１７のそれぞれの開度を制御する。蓄熱湯張り動作において水が流れる管路は、第１の湯張り動作において水が流れる管路と同じである。
【０１３８】
そして、制御装置７０は、浴槽５０の内部の水位が循環金具（図示せず）よりも上になると第１の湯張り動作および蓄熱湯張り動作を一時中断し、浴槽５０の内部の水位を確認する。続いて、制御装置７０は、浴槽５０の内部の水位が設定水位になるまで第１の湯張り動作または蓄熱湯張り動作の制御を実行する。
【０１３９】
〔第２の湯張り動作〕
図８は、本実施形態に係る給湯暖房システムの第２の湯張り動作を説明する図である。
図８を参照して説明する第２の湯張り動作は、ガス湯沸かし部２０およびヒートポンプ部３０を用いて、水供給源（例えば水道）から供給された水を加熱し、浴槽５０に供給する動作である。例えばタンク１０１に湯が貯留されていない状態で、夏場などにおいて湯張り設定温度が４０℃以下である場合には、ヒートポンプ部３０を用いることで高い効率の湯張り動作を実現することができる。図８に表した塗りつぶし部分は、第２の湯張り動作において水が流れる管路を表している。
【０１４０】
使用者が湯張り設定温度を４０℃以下に設定し自動ボタン（図示せず）を押すと、制御装置７０は、ガス湯沸かし部２０およびヒートポンプ部３０を用いた第２の湯張り動作の制御を実行する。制御装置７０が第２の湯張り動作の制御を実行すると、水供給源（例えば水道）から供給された水は、第３の注湯管６４５と風呂ポンプ入口管６２６との接続部に導かれる。これは、図７に関して前述した通りである。
【０１４１】
なお、第２の湯張り動作において、給湯熱交換器２０６で加熱された水の温度は、約７０℃程度ではなく、例えば約６０℃程度である。また、湯量サーボ２２４に導かれる水の温度は、約４２℃程度ではなく、例えば約３０℃程度である。この点において、第２の湯張り動作は、図７に関して前述した第１の湯張り動作または蓄熱湯張り動作とは異なる。
【０１４２】
図８に表した矢印Ａ１１および矢印Ａ１２のように、第３の注湯管６４５に導かれた水は、第３の注湯管６４５と風呂ポンプ入口管６２６との接続部を介して風呂ポンプ入口管６２６の両側に分岐して流れる。図８に表した矢印Ａ１１の方向に導かれた水は、浴槽５０に供給される。これは、図７に関して前述した通りである。図８に表した矢印Ａ１１の方向に導かれて浴槽５０に供給される水の温度は、例えば約３０℃程度である。
【０１４３】
一方で、図８に表した矢印Ａ１２の方向に導かれた水は、第２の共通管６９２のうちの風呂ポンプ出口管６１４を流れ、ヒートポンプ入口三方弁２４３を介して第１の液体熱交換器３０１の入口管６１５に導かれる。第１の液体熱交換器３０１の入口管６１５に導かれた水は、第１の液体熱交換器３０１の内管３５２および出口管６１６を流れ、風呂熱交換器２０７の入口管６０８に導かれる。
【０１４４】
このとき、ヒートポンプ部３０の圧縮機３０４は、四方切替弁３０７を介して第１の液体熱交換器３０１に熱媒体を供給する。そのため、第２の湯張り動作において、第１の液体熱交換器３０１は、暖房機として機能する。一方で、第２の湯張り動作において、第２の液体熱交換器３０２は、冷房機として機能する。そのため、第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。
【０１４５】
風呂熱交換器２０７の入口管６０８に導かれた水は、風呂熱交換器２０７において加熱され、第１の共通管６９１と、第２の風呂往き管６２１と、第３の風呂往き管６２２と、を流れて浴槽５０に供給される。風呂熱交換器２０７において加熱され、浴槽５０に供給される水の温度は、例えば約６０℃程度である。その他の動作は、図７に関して前述した第１の湯張り動作と同じである。
【０１４６】
〔第１の追い焚き動作〕
図９は、本実施形態に係る給湯暖房システムの第１の追い焚き動作を説明する図である。
第１の追い焚き動作は、浴槽５０の内部の水を循環させて加熱し、加熱された水を浴槽５０に戻す動作である。図９に表した塗りつぶし部分は、第１の追い焚き動作において水が流れる管路を表している。
【０１４７】
使用者が自動ボタン（図示せず）を押し、図７に関して前述した第１の湯張り動作および図８に関して前述した第２の湯張り動作が完了すると、制御装置７０は、浴槽５０の内部の水位を確認し、浴槽５０の内部の水の温度が設定温度と一致するように第１の追い焚き動作の制御を実行する。あるいは、使用者が追い焚きボタン（図示せず）を押すと、制御装置７０は、浴槽５０の内部の水の温度が設定温度と一致するように第１の追い焚き動作の制御を実行する。
【０１４８】
制御装置７０が第１の追い焚き動作の制御を実行すると、風呂ポンプ２３５が駆動する。そうすると、図９に表した矢印Ａ２のように、浴槽５０の内部の水は、第１の風呂戻り管６２３と、第２の風呂戻り管６２４と、第２の共通管６９２のうちの第３の風呂戻り管６２５と、を流れ、風呂ポンプ２３５を介して風呂熱交換器２０７の入口管６０８に導かれる。このとき、風呂熱交換器２０７の入口管６０８を流れる水の温度は、例えば約３０℃程度である。
【０１４９】
風呂熱交換器２０７を流れる水は、第１のバーナ２０３および第２のバーナ２０４の少なくともいずれかにより加熱される。風呂熱交換器２０７において加熱された水の温度は、例えば約６０℃程度である。風呂熱交換器２０７において加熱された水は、第１の共通管６９１と、第２の風呂往き管６２１と、第３の風呂往き管６２２と、を流れて浴槽５０の内部に供給される。
【０１５０】
〔第２の追い焚き動作〕
図１０は、本実施形態に係る給湯暖房システムの第２の追い焚き動作を説明する図である。
図９に関して前述した第１の追い焚き動作では、ガス湯沸かし部２０を用いて浴槽５０から導かれた水を加熱する一方で、図１０を参照して説明する第２の追い焚き動作では、ガス湯沸かし部２０およびヒートポンプ部３０を用いて浴槽５０から導かれた水を加熱する。図１０に表した塗りつぶし部分は、第２の追い焚き動作において水が流れる管路を表している。
【０１５１】
例えば、浴槽５０の内部に水が残っている状態で使用者が追い焚きボタン（図示せず）を押し、水の温度が比較的低い場合には、制御装置７０は、浴槽５０の内部の水の温度が設定温度と一致するように第２の追い焚き動作の制御を実行する。
【０１５２】
制御装置７０が第２の追い焚き動作の制御を実行すると、風呂ポンプ２３５が駆動する。そうすると、図１０に表した矢印Ａ１７のように、浴槽５０の内部の水は、風呂ポンプ２３５を介して第２の共通管６９２のうちの風呂ポンプ出口管６１４を流れる。このとき、第２の共通管６９２を流れる水の温度は、例えば約３０℃程度である。
【０１５３】
風呂ポンプ出口管６１４を流れる水は、ヒートポンプ入口三方弁２４３を介して第１の液体熱交換器３０１の入口管６１５に導かれる。第１の液体熱交換器３０１の入口管６１５に導かれた水は、第１の液体熱交換器３０１の内管３５２および出口管６１６を流れ、風呂熱交換器２０７の入口管６０８に導かれる。
【０１５４】
このとき、ヒートポンプ部３０の圧縮機３０４は、四方切替弁３０７を介して第１の液体熱交換器３０１に熱媒体を供給する。そのため、第２の追い焚き動作において、第１の液体熱交換器３０１は、暖房機として機能する。一方で、第２の追い焚き動作において、第２の液体熱交換器３０２は、冷房機として機能する。そのため、第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。
【０１５５】
風呂熱交換器２０７の入口管６０８に導かれた水は、風呂熱交換器２０７において加熱され、第１の共通管６９１と、第２の風呂往き管６２１と、第３の風呂往き管６２２と、を流れて浴槽５０に供給される。風呂熱交換器２０７において加熱され、浴槽５０に供給される水の温度は、例えば約６０℃程度である。
【０１５６】
〔第３の追い焚き動作〕
図１１は、本実施形態に係る給湯暖房システムの第３の追い焚き動作を説明する図である。
図１１を参照して説明する第３の追い焚き動作では、ヒートポンプ部３０を用いて浴槽５０から導かれた水を加熱する。図１１に表した塗りつぶし部分は、第３の追い焚き動作において水が流れる管路を表している。
【０１５７】
使用者が自動ボタン（図示せず）を押し、図７に関して前述した第１の湯張り動作および図８に関して前述した第２の湯張り動作が完了すると、制御装置７０は、浴槽５０の内部の水の温度を約３０分毎に確認する。浴槽５０の内部の水の温度と、設定温度と、の差が０．５℃以上である場合には、制御装置７０は、浴槽５０の内部の水の温度が設定温度と一致するように第３の追い焚き動作の制御を実行する。図１１を参照して説明する第３の追い焚き動作は、いわゆる自動運転中の保温動作である。
【０１５８】
例えば、制御装置７０は、水位センサ２５５の検出水位に基づいて使用者が浴槽５０に入ったことを検知すると、ヒートポンプ部３０の運転を開始し、浴槽５０の内部の水の温度低下の程度を確認する。そして、例えば夏場のように温度低下の程度が小さい場合には、制御装置７０は、図１１を参照して説明する第３の追い焚き動作の制御を実行する。一方で、例えば冬場のように温度低下の程度が大きい場合には、制御装置７０は、図１０に関して前述した第２の追い焚き動作の制御を実行する。
【０１５９】
制御装置７０が第３の追い焚き動作を実行すると、風呂ポンプ２３５が駆動する。そうすると、浴槽５０の内部の水は、第２の共通管６９２のうちの第３の風呂戻り管６２５を流れる。このとき、第２の共通管６９２を流れる水の温度は、例えば約３０℃程度である。
【０１６０】
第３の風呂戻り管６２５を流れた水は、プレート四方弁２５１を介してプレート往き管６４６に導かれる。図１１に表した矢印Ａ７のように、プレート往き管６４６に導かれた水は、熱回収循環路６１３を流れ、プレート熱交換器１０３に流入する。図１１に表した矢印Ａ８のように、プレート熱交換器１０３に流入した水は、タンク１０１に貯留された水により冷却され、プレート四方弁２５１を介して第２の共通管６９２のうちの風呂ポンプ入口管６２６に導かれる。風呂ポンプ入口管６２６を流れる水の温度は、例えば約１５℃程度である。言い換えれば、タンク１０１に貯留された水は、プレート熱交換器１０３を流れる水により加熱される。
【０１６１】
図１１に表した矢印Ａ１７のように、風呂ポンプ入口管６２６に導かれた水は、風呂ポンプ２３５を介して風呂ポンプ出口管６１４を流れ、ヒートポンプ入口三方弁２４３を介して第１の液体熱交換器３０１の入口管６１５に導かれる。第１の液体熱交換器３０１の入口管６１５に導かれた水は、第１の液体熱交換器３０１の内管３５２および出口管６１６を流れる。
【０１６２】
このとき、ヒートポンプ部３０の圧縮機３０４は、四方切替弁３０７を介して第１の液体熱交換器３０１に熱媒体を供給する。そのため、第３の追い焚き動作において、第１の液体熱交換器３０１は、暖房機として機能する。一方で、第３の追い焚き動作において、第２の液体熱交換器３０２は、冷房機として機能する。そのため、第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。
【０１６３】
図１１に表した矢印Ａ６のように、第１の液体熱交換器３０１から流出した水は、ヒートポンプ出口三方弁２４４を介して第１の暖房往き管６１７に導かれる。第１の暖房往き管６１７に導かれた水は、第２の低温能力四方弁２６１を介して第２の暖房往き管６３５に導かれる。第２の暖房往き管６３５に導かれた水は、風呂往き四方弁２４５を介して第１の共通管６９１のうちの第１の風呂往き管６１９に導かれる。第１の風呂往き管６１９に導かれた水は、第２の風呂往き管６２１と、第３の風呂往き管６２２と、を流れて浴槽５０に供給される。
【０１６４】
〔浴湯熱ヒートポンプ部回収動作〕
図１２は、本実施形態に係る給湯暖房システムの浴湯熱ヒートポンプ部回収動作を説明する図である。
浴湯熱ヒートポンプ部回収動作は、浴槽５０に残った湯を循環させ、その湯の熱をヒートポンプ部３０を介してタンク１０１に貯留された水で回収する動作である。図１２に表した塗りつぶし部分は、浴湯熱ヒートポンプ部回収動作において水が流れる管路を表している。
【０１６５】
自動運転が終了したときに浴槽５０の内部に湯が残っている場合には、制御装置７０は、浴湯熱ヒートポンプ部回収動作の制御を実行する。自動運転が終了したときに浴槽５０の内部に湯が残っている例としては、例えば、使用者が自動ボタン（図示せず）を押して自動運転を手動で停止させた場合や、保温動作が４時間を経過して自動運転が自動的に停止した場合などが挙げられる。
【０１６６】
制御装置７０が浴湯熱ヒートポンプ部回収動作を実行すると、風呂ポンプ２３５が駆動する。そうすると、浴槽５０の内部の水は、第２の共通管６９２のうちの第３の風呂戻り管６２５を流れる。このとき、第３の風呂戻り管６２５を流れる水の温度は、例えば約４５℃程度である。第３の風呂戻り管６２５を流れた水は、プレート四方弁２５１を介して風呂ポンプ入口管６２６に導かれる。風呂ポンプ入口管６２６に導かれた水は、図１１に関して前述した第３の追い焚き動作における管路と同じ管路を流れ、第１の液体熱交換器３０１の内管３５２および出口管６１６を流れる。
【０１６７】
このとき、ヒートポンプ部３０の圧縮機３０４は、四方切替弁３０７を介して第２の液体熱交換器３０２に熱媒体を供給する。そのため、浴湯熱ヒートポンプ部回収動作において、第１の液体熱交換器３０１は、冷房機として機能する。一方で、浴湯熱ヒートポンプ部回収動作において、第２の液体熱交換器３０２は、暖房機として機能する。そのため、第１の液体熱交換器３０１の内管３５２を流れる水は、第１の液体熱交換器３０１の内部における熱媒体循環路３５１を流れる熱媒体により冷却される。第１の液体熱交換器３０１から流出した水の温度は、例えば約１５℃程度である。図１２に表した矢印Ａ６のように、第１の液体熱交換器３０１から流出した水は、図１１に関して前述した第３の追い焚き動作における管路と同じ管路を流れて浴槽５０に戻る。
【０１６８】
一方で、制御装置７０が浴湯熱ヒートポンプ部回収動作を実行すると、回収ポンプ２３６が駆動する。そうすると、図１２に表した矢印Ａ１３および矢印Ａ１４のように、第２の液体熱交換器３０２から流出し第２の液体熱交換器３０２の出口管３５５を流れる水は、回収ポンプ２３６により熱回収循環路６１３に送り出される。このとき、前述したように、浴湯熱ヒートポンプ部回収動作において、第２の液体熱交換器３０２は、暖房機として機能する。そのため、第２の液体熱交換器３０２から流出した水の温度は、例えば約６０℃程度である。
【０１６９】
図１２に表した矢印Ａ７のように、回収ポンプ２３６により熱回収循環路６１３に送り出された水は、プレート熱交換器１０３に流入する。図１２に表した矢印Ａ８のように、プレート熱交換器１０３に流入した水は、タンク１０１に貯留された水により冷却され、プレート熱交換器１０３から流出する。プレート熱交換器１０３から流出した水の温度は、例えば約３０℃程度である。言い換えれば、タンク１０１に貯留された水は、プレート熱交換器１０３を流れる水により加熱される。図１２に表した矢印Ａ１５および矢印Ａ１６のように、プレート熱交換器１０３から流出した水は、第２の液体熱交換器３０２の入口管３５６に導かれて第２の液体熱交換器３０２に流入する。
【０１７０】
このようにして、浴湯熱ヒートポンプ部回収動作において、浴槽５０に残った湯の熱は、ヒートポンプ部３０を介してタンク１０１に貯留された水で回収される。
【０１７１】
〔浴湯熱回収動作〕
図１３は、本実施形態に係る給湯暖房システムの浴湯熱回収動作を説明する図である。
浴湯熱回収動作は、浴槽５０に残った湯を循環させ、その湯の熱をタンク１０１に貯留された水で回収する動作である。図１３に表した塗りつぶし部分は、浴湯熱回収動作において水が流れる管路を表している。
【０１７２】
自動運転が終了したときに浴槽５０の内部に湯が残っている場合には、制御装置７０は、浴湯熱回収動作の制御を実行する。ここで、図１２に関して前述した浴湯熱ヒートポンプ部回収動作では、浴槽５０の内部の水がヒートポンプ部３０を流れて浴槽５０に戻る一方で、図１３を参照して説明する浴湯熱回収動作では、浴槽５０の内部の水がタンク部１０を流れて浴槽５０に戻る。
【０１７３】
制御装置７０が浴湯熱回収動作を実行すると、風呂ポンプ２３５が駆動する。そうすると、浴槽５０の内部の水は、第２の共通管６９２のうちの第３の風呂戻り管６２５を流れる。このとき、第３の風呂戻り管６２５を流れる水の温度は、例えば約４０℃程度である。第３の風呂戻り管６２５を流れた水は、プレート四方弁２５１を介してプレート往き管６４６に導かれる。プレート往き管６４６に導かれた水は、熱回収循環路６１３を流れ、プレート熱交換器１０３に流入する。
【０１７４】
図１３に表した矢印Ａ８のように、プレート熱交換器１０３に流入した水は、タンク１０１に貯留された水により冷却され、プレート四方弁２５１を介して第２の共通管６９２のうちの風呂ポンプ入口管６２６に導かれる。風呂ポンプ入口管６２６を流れる水の温度は、例えば約３０℃程度である。言い換えれば、タンク１０１に貯留された水は、プレート熱交換器１０３を流れる水により加熱される。風呂ポンプ入口管６２６に導かれた水は、図９に関して前述した第１の追い焚き動作における管路と同じ管路を流れて浴槽５０に戻る。
【０１７５】
このようにして、浴湯熱回収動作において、浴槽５０に残った湯の熱は、タンク１０１に貯留された水で回収される。
【０１７６】
〔低温暖房動作〕
図１４は、本実施形態に係る給湯暖房システムの低温暖房動作を説明する図である。
低温暖房動作は、低温暖房装置４０２を運転させて居室（床面を含む）を暖房する動作である。図１４に表した塗りつぶし部分は、低温暖房動作において水が流れる管路を表している。
【０１７７】
使用者が低温暖房ボタン（図示せず）を押すと、制御装置７０は、低温暖房装置４０２が設置された居室の温度（例えば床面温度）を急速に上昇させるホットダッシュ運転の制御を実行する。ホットダッシュ運転は、水を循環させ、例えば約８０℃程度の高い温度の水を低温暖房装置４０２に供給する運転である。制御装置７０は、例えば約３０分間にわたってホットダッシュ運転を継続する。また、制御装置７０は、ホットダッシュ運転の開始と略同時にヒートポンプ部３０の運転を開始する。
【０１７８】
制御装置７０が低温暖房動作のうちのホットダッシュ運転の制御を実行すると、風呂ポンプ２３５が駆動する。そうすると、図１４に表した矢印Ａ１８のように、シスターン２３７の内部の水がシスターン出口管６２９を流れ、風呂戻り四方弁２４９を介して第２の共通管６９２のうちの第３の風呂戻り管６２５に導かれる。第３の風呂戻り管６２５に導かれた水は、プレート四方弁２５１を介して風呂ポンプ入口管６２６に導かれる。図１４に表した矢印Ａ１７のように、風呂ポンプ入口管６２６に導かれた水は、風呂ポンプ２３５により風呂ポンプ出口管６１４に送り出される。
【０１７９】
風呂ポンプ入口管６２６に導かれた水は、図１１に関して前述した第３の追い焚き動作における管路と同じ管路を流れ、第１の液体熱交換器３０１の内管３５２および出口管６１６を流れる。このとき、ヒートポンプ部３０は、運転を開始していても、運転開始から十分な時間が経過していないため熱交換を行う能力をまだ有していない。そのため、第１の液体熱交換器３０１を流れる水は、第１の液体熱交換器３０１において加熱されることはなく、冷却されることもない。シスターン２３７から風呂ポンプ２３５を介して第１の液体熱交換器３０１に流れる水の温度は、例えば約３０℃程度である。
【０１８０】
第１の液体熱交換器３０１の出口管６１６を流れた水は、風呂熱交換器２０７の入口管６０８に導かれる。風呂熱交換器２０７の入口管６０８に導かれた水は、風呂熱交換器２０７において加熱され、第１の共通管６９１のうちの風呂熱交換器２０７の出口管６０９に導かれる。風呂熱交換器２０７において加熱された水の温度は、例えば約８０℃程度である。
【０１８１】
風呂熱交換器２０７の出口管６０９に導かれた水は、第１の低温能力管６３２と、第２の低温能力管６３３と、第２の暖房往き管６３５と、第３の暖房往き管６３６と、を流れ、低温往き熱動弁２４１を介して低温暖房装置４０２に供給される。低温暖房装置４０２に供給された水は、液体合流部４０５を介して暖房戻り管６２８に導かれてシスターン２３７に戻る。
【０１８２】
居室が冷えている場合において、低温暖房動作のうちのホットダッシュ運転が開始された直後では、低温暖房装置４０２に供給された約８０℃程度の温度の水は、冷やされ、冷たい水としてシスターン２３７に戻る。ヒートポンプ部３０は、運転開始から所定時間が経過すると、熱交換を行う能力を有する。このとき、ヒートポンプ部３０の圧縮機３０４は、四方切替弁３０７を介して第１の液体熱交換器３０１に熱媒体を供給する。そのため、低温暖房動作において、第１の液体熱交換器３０１は、暖房機として機能する。一方で、低温暖房動作において、第２の液体熱交換器３０２は、冷房機として機能する。そして、ホットダッシュ運転の時間が経過してしばらくすると、シスターン２３７に戻る水の温度が上昇し始める。
【０１８３】
そこで、制御装置７０は、使用者が低温暖房ボタン（図示せず）を押してから例えば約３０分間にわたってホットダッシュ運転を行った後、定常運転の制御を実行する。定常運転は、水を循環させ、例えば約６０℃程度の温度の水を低温暖房装置４０２に供給する運転である。
【０１８４】
低温暖房動作のうちの定常運転において水が流れる管路は、低温暖房動作のうちのホットダッシュ運転において水が流れる管路と同じである。ホットダッシュ運転では、第１の液体熱交換器３０１を流れる水は加熱されない一方で、定常運転では、第１の液体熱交換器３０１を流れる水は第１の液体熱交換器３０１の内部における熱媒体循環路３５１を流れる熱媒体により加熱される。第１の液体熱交換器３０１から流出した水の温度は、例えば約４５℃程度である。
【０１８５】
風呂熱交換器２０７の入口管６０８に導かれた水は、風呂熱交換器２０７において加熱され、第１の共通管６９１のうちの風呂熱交換器２０７の出口管６０９に導かれる。風呂熱交換器２０７において加熱された水の温度は、例えば約６０℃程度である。これにより、例えば約６０℃程度の温度の水が低温暖房装置４０２に供給される。
【０１８６】
〔低温低負荷暖房動作〕
図１５および図１６は、本実施形態に係る給湯暖房システムの低温低負荷暖房動作を説明する図である。
低温低負荷暖房動作は、ヒートポンプ部３０を用いて、低温暖房装置４０２を運転させて居室（床面を含む）を暖房する動作である。図１５および図１６に表した塗りつぶし部分は、低温低負荷暖房動作において水が流れる管路を表している。
【０１８７】
図１４に関して前述したように、低温暖房動作のうちの定常運転においては、例えば約６０℃程度の温度の水が低温暖房装置４０２に供給される。ここで、居室の温度の過度の上昇を抑えるため、制御装置７０は、低温低負荷暖房動作の制御を実行する。低温低負荷暖房動作では、例えば約４０℃程度の温度の水が低温暖房装置４０２に供給される。
【０１８８】
図１５に表したように、制御装置７０が低温低負荷暖房動作の制御を実行すると、風呂ポンプ２３５が駆動する。そうすると、シスターン２３７の内部の水が、シスターン出口管６２９と、第２の共通管６９２のうちの第３の風呂戻り管６２５と、風呂ポンプ入口管６２６と、風呂ポンプ出口管６１４と、第１の液体熱交換器３０１の入口管６１５、内管３５２および出口管６１６と、を流れる。これは、図１４に関して前述した通りである。第１の液体熱交換器３０１から流出した水の温度は、例えば約４０℃程度である。
【０１８９】
第１の液体熱交換器３０１の出口管６１６に導かれた水は、ヒートポンプ出口三方弁２４４を介して第１の暖房往き管６１７に導かれる。第１の暖房往き管６１７に導かれた水は、第２の低温能力四方弁２６１を介して第２の暖房往き管６３５と、第３の暖房往き管６３６と、を流れ、低温往き熱動弁２４１を介して低温暖房装置４０２に供給される。これにより、例えば約４０℃程度の温度の水が低温暖房装置４０２に供給される。低温低負荷暖房動作では、ヒートポンプ部３０を用いて低温暖房装置４０２を運転させるため、エネルギー効率の向上を図ることができる。
【０１９０】
例えば居室の断熱性能が比較的高い場合には、低温暖房装置４０２に供給される水の温度が例えば約４０℃程度であっても、居室の温度が過度に上昇することがある。この場合には、図１６に表したように、制御装置７０は、ヒートポンプ部３０の運転開始／運転停止の制御ではなく、第１の液体熱交換器３０１において加熱された水をプレート熱交換器１０３に導く。すなわち、第２の低温能力四方弁２６１を介して第２の暖房往き管６３５に導かれた水は、蓄熱三方弁２６２と、第４の暖房往き管６３７と、風呂往き四方弁２４５と、タンク往き管６３８と、を介して熱回収循環路６１３に導かれる。図１６に表した矢印Ａ７および矢印Ａ８のように、熱回収循環路６１３を流れる水は、プレート熱交換器１０３の内部を通り、プレート四方弁２５１を介して第２の共通管６９２のうちの風呂ポンプ入口管６２６に導かれる。このとき、タンク１０１の内部に貯留された水は、プレート熱交換器１０３の内部における熱回収循環路６１３を流れる水により加熱される。
【０１９１】
このようにして、制御装置７０は、蓄熱三方弁２６２およびプレート四方弁２５１を切り替えることより、第１の液体熱交換器３０１において加熱された水が低温暖房装置４０２に導かれる状態と、プレート熱交換器１０３に導かれる状態と、を切り替える。これにより、低温低負荷暖房動作では、居室温度の過度の上昇が抑えられるとともに、ヒートポンプ部３０の効率の低下が抑えられる。
【０１９２】
〔第１の高温暖房動作〕
図１７は、本実施形態に係る給湯暖房システムの第１の高温暖房動作を説明する図である。
第１の高温暖房動作は、高温暖房装置４０１を運転させて居室（例えば浴室など）を暖房する動作である。図１７に表した塗りつぶし部分は、第１の高温暖房動作において水が流れる管路を表している。
【０１９３】
使用者が高温暖房ボタン（図示せず）を押すと、制御装置７０は、第１の高温暖房動作の制御を実行する。制御装置７０が第１の高温暖房動作の制御を実行すると、風呂ポンプ２３５が駆動する。そうすると、図１７に表した矢印Ａ１８のように、シスターン２３７の内部の水は、図１４に関して前述した低温暖房動作における管路と同じ管路を流れ、風呂ポンプより風呂ポンプ出口管６１４に送り出される。
【０１９４】
図１７に表した矢印Ａ２に表したように、風呂ポンプ入口管６２６に導かれた水は、風呂熱交換器２０７の入口管６０８に導かれる。風呂熱交換器２０７の入口管６０８に導かれた水は、風呂熱交換器２０７において加熱される。風呂熱交換器２０７において加熱された水の温度は、例えば約８０℃程度である。
【０１９５】
風呂熱交換器２０７において加熱された水は、第１の共通管６９１を流れ、風呂往き三方弁２４６を介して第１の高温暖房往き管６２７に導かれる。第１の高温暖房往き管６２７に導かれた水は、第２の高温暖房往き管４５１を流れて高温暖房装置４０１に供給される。高温暖房装置４０１に供給される水の温度は、例えば約８０℃程度である。高温暖房装置４０１に供給された水は、液体合流部４０５を介して暖房戻り管６２８に導かれてシスターン２３７に戻る。
【０１９６】
〔第２の高温暖房動作〕
図１８は、本実施形態に係る給湯暖房システムの第２の高温暖房動作を説明する図である。
図１８を参照して説明する第２の高温暖房動作は、図１７に関して前述した第１の高温暖房動作と同様に、高温暖房装置４０１を運転させて居室（例えば浴室など）を暖房する動作である。図１８に表した塗りつぶし部分は、第２の高温暖房動作において水が流れる管路を表している。
【０１９７】
使用者が高温暖房ボタン（図示せず）を押したときに、ヒートポンプ部３０が運転中である場合には、制御装置７０は、図１８を参照して説明する第２の高温暖房動作の制御を実行する。図１８に表した矢印Ａ１８のように、制御装置７０が第２の高温暖房動作の制御を実行すると、図１７に関して前述した第１の高温暖房動作と同様に、シスターン２３７の内部の水は、風呂ポンプ２３５により風呂ポンプ出口管６１４に送り出される。
【０１９８】
図１８に表した矢印Ａ１７のように、風呂ポンプ出口管６１４に導かれた水は、ヒートポンプ入口三方弁２４３を介して第１の液体熱交換器３０１の入口管６１５に導かれる。第１の液体熱交換器３０１の入口管６１５に導かれた水は、第１の液体熱交換器３０１の内管３５２および出口管６１６を流れる。
【０１９９】
このとき、ヒートポンプ部３０の圧縮機３０４は、四方切替弁３０７を介して第１の液体熱交換器３０１に熱媒体を供給する。そのため、第２の高温暖房動作において、第１の液体熱交換器３０１は、暖房機として機能する。一方で、第２の高温暖房動作において、第２の液体熱交換器３０２は、冷房機として機能する。そのため、第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。
【０２００】
風呂熱交換器２０７の入口管６０８に導かれた水は、風呂熱交換器２０７において加熱される。風呂熱交換器２０７において加熱された水の温度は、例えば約８０℃程度である。
【０２０１】
風呂熱交換器２０７において加熱された水は、図１７に関して前述した第１の高温暖房動作における管路と同じ管路を流れて高温暖房装置４０１に供給される。高温暖房装置４０１に供給される水の温度は、例えば約８０℃程度である。高温暖房装置４０１に供給された水は、液体合流部４０５を介して暖房戻り管６２８に導かれてシスターン２３７に戻る。
【０２０２】
〔凍結防止動作（水（液体）抜き動作）〕
次に、図１９を参照して、ヒートポンプ部３０の第２の液体熱交換器３０２の内管３５３内の水が冬季に凍結することを防止するために、第２の液体熱交換器３０２の内管３５３内の水を抜いて空気に置換する水抜き動作例（水・空気置換動作例）を説明する。
【０２０３】
図１９は、本実施形態に係る給湯暖房システムの水（液体）抜き動作例を説明する図である。
【０２０４】
図１９では、水・空気置換回路３００は、凍結防止動作（水（液体）抜き動作）の際に用いられる回路である。すなわち、水（液体）抜き動作の際には、室外に配置されている第２の液体熱交換器３０２の内管３５３内の水は、水・空気置換回路３００を通り、第３の風呂往き管６２２と第１のドレン切替三方弁２４７とを介して、排水管２９９より外部に排水される。また、浴槽５０側から取り込まれた空気は、水・空気置換回路３００を通り、第２の液体熱交換器３０２の内管３５３に導かれる。水・空気置換回路３００は、浴槽系統の管路と暖房系統の管路を利用して構成されている。言い換えれば、水・空気置換回路３００は、浴槽系統の管路のうちの少なくとも一部と、暖房系統の管路のうちの少なくとも一部と、を有する。図１９に表した塗りつぶし部分は、水・空気置換回路３００を表している。
【０２０５】
すでに説明したように、図１９に示す第２の液体熱交換器３０２は、熱媒体循環路３５１を流れる熱媒体と、タンク部１０のプレート熱交換器１０３から第２の液体熱交換器３０２の内管３５３に導かれた水（液体）と、の間において非接触で熱交換を行うことができる。すなわち、第２の液体熱交換器３０２では、熱媒体循環路３５１は、タンク部１０からヒートポンプ部３０に向かって供給された水が通る第２の液体熱交換器３０２の内管３５３との間で、熱的に接続されている。第２の液体熱交換器３０２の内部の熱媒体循環路３５１の部分は、気体熱交換器（空気熱交換器）３０３に直列に接続されている。
【０２０６】
周囲の気温が高い夏場（夏季）に、低温暖房装置４０２を用いて床冷房運転が実行されるときには、気体熱交換器（空気熱交換器）３０３ではなく、第２の液体熱交換器３０２から排出される熱が、第２の液体熱交換器３０２からプレート熱交換器１０３へ送られる。これにより、タンク１０１の内部に貯留された水は、プレート熱交換器１０３の内部を流れる水により加熱される。つまり、第２の液体熱交換器３０２から排出される熱は、タンク１０１に貯留された水で回収される。本実施形態の第２の液体熱交換器３０２は、ヒートポンプ部３０の冷房運転時に排熱回収をするための液体熱交換器であり、本発明の「液体熱交換器」に相当する。
【０２０７】
このように、第２の液体熱交換器３０２とプレート熱交換器１０３とは、ヒートポンプ部３０の冷房運転時の廃熱（排熱）を利用してタンク部１０に湯を貯める「廃熱（排熱）回収機能」を有している。この廃熱（排熱）回収機能は、ヒートポンプ部３０の冷房運転時にのみ行われる。そのため、夏季には、第２の液体熱交換器３０２の内管３５３に水が満たされる必要がある一方で、冬季には、周囲の冷気にさらされるとともに第２の液体熱交換器３０２内における熱媒体循環路３５１を流れる熱媒体により冷却される第２の液体熱交換器３０２の内管３５３内の水が、凍結するおそれがある。また、冬季にヒートポンプ部３０の暖房運転が実行されると、熱媒体循環路３５１を流れる熱媒体は、膨張弁３０５を通過することにより減圧され、低温低圧の液体状態になる。膨張弁３０５を通過した低温低圧の熱媒体は、気体熱交換器３０３において熱を奪う。このとき、湿度が比較的高いと、霜が気体熱交換器３０３に付着する。このように、冬季にヒートポンプ部３０の暖房運転が実行されると、霜が気体熱交換器３０３に付着するほどの低温の熱媒体が第２の液体熱交換器３０２に流れ込む。これによっても、第２の液体熱交換器３０２の内管３５３内の水が、凍結するおそれがある。
【０２０８】
すなわち、季節が夏季を過ぎて冬季になると、気体熱交換器（空気熱交換器）３０３は、周囲の冷気に満たされる。さらに、冬季においてヒートポンプ部３０の暖房運転が実行されると、第１の液体熱交換器３０１が暖房機として機能する一方で、第２の液体熱交換器３０２が冷房機として機能する。そのため、冬季においてヒートポンプ部３０の暖房運転が実行されると、低温の熱媒体が第２の液体熱交換器３０２内における熱媒体循環路３５１を流れる。これにより、第２の液体熱交換器３０２の内管３５３は、第２の液体熱交換器３０２における熱媒体循環路３５１を流れる低温の熱媒体により冷却される。そのため、第２の液体熱交換器３０２の内管３５３内に水が残っていると、この水が凍結してしまうおそれがある。この内管３５３内の水が凍結すると、ヒートポンプ部３０の動作に影響を与えてしまう。
そこで、ヒートポンプ部３０の気体熱交換器３０３と第２の液体熱交換器３０２との周囲が冷気で満たされるとともに、ヒートポンプ部３０の暖房運転時に第２の液体熱交換器３０２の内管３５３が熱媒体循環路３５１を流れる熱媒体により冷却される冬季では、水・空気置換回路３００を用いて、第２の液体熱交換器３０２の内管３５３内の水を、内管３５３から抜いて空気で置換するための水（液体）抜き動作（水・空気置換動作）が実行される。
【０２０９】
図１９に示すように、本実施形態に係る給湯暖房システム２には、外気温センサ９９と、水位センサ２５５と、が設けられている。外気温センサ９９と水位センサ２５５とは、電気的に制御装置７０に接続されている。
外気温センサ９９は、例えばヒートポンプ部３０の第２の液体熱交換器３０２の付近に配置されている。外気温センサ９９は、第２の液体熱交換器３０２の周囲の外気温度を検出して、制御装置７０に外気温度信号を送る。
【０２１０】
制御装置７０は、外気温度を常時監視して、夏季（春季、秋季）であるか、冬季であるかを判断する。制御装置７０は、外気温センサ９９から外気温度信号を受けて、外気温度が所定温度未満になるかどうかを監視している。制御装置７０は、外気温度が所定温度未満になる時間が所定時間継続した場合には、季節が冬季であると判断する。
水位センサ２５５は、浴槽５０内の水位を検出して、制御装置７０に水位信号を送る。これにより、制御装置７０は、浴槽５０内に水（湯水）があるか無いかを判断する。
【０２１１】
次に、図１９を参照して、ヒートポンプ部３０の第２の液体熱交換器３０２の凍結防止動作（水（液体）抜き動作）例を説明する。この水抜き動作例は、制御装置７０の指令により、水・空気置換回路３００を用いて実行される。
図１９に示す水・空気置換回路３００では、プレート四方弁２５１側に示す入口管３５６は、第２の液体熱交換器３０２の内管３５３の入口管３５６と同じである。図１９に表した矢印Ａ４４と矢印Ａ４５で示すように、プレート四方弁２５１は、第２の液体熱交換器３０２の入口管３５６を流れる水や空気が風呂ポンプ入口管６２６に導かれる状態に設定されている。
また、第２の液体熱交換器３０２の内管３５３の出口管３５５は、回収ポンプ２３６側に示す出口管３５５と同じである。図１９に表した矢印Ａ４６と矢印Ａ４７で示すように、プレート四方弁２５１は、第３の風呂戻り管６２５を流れる空気がプレート往き管６４６に導かれる状態に設定されている。
【０２１２】
制御装置７０は、風呂ポンプ２３５の駆動を開始し、回収ポンプ２３６を停止し、電磁弁２４８を開き、電磁弁２４２を閉じる。制御装置７０は、外気温センサ９９からの外気温度信号により外気温度を常時監視して、夏季（春季、秋季）であるか、冬季であるかを判断する。例えば、制御装置７０は、外気温度があらかじめ定めた温度未満である状態が、所定時間継続した場合には、冬季になったと判断する。
【０２１３】
制御装置７０は、水位センサ２５５から水位信号を受けることで、浴槽５０内には水が無いことを確認する。このように、浴槽５０内には水が無いことを確認する理由は、以下の通りである。すなわち、浴槽５０内に水が無いことを確認する理由は、第２の液体熱交換器３０２の内管３５３の水を排水して代わりに空気で置換する動作が実行される際に、浴槽５０内の水が吸い込まれ、第２の液体熱交換器３０２の内管３５３へ導かれないようにするためである。また、他の理由は、水の無い空の浴槽５０から、水・空気置換用の空気を取り込んで、第２の液体熱交換器３０２の内管３５３に送るためである。
【０２１４】
図１９において、制御装置７０が風呂ポンプ２３５の駆動を開始すると、第２の液体熱交換器３０２の内管３５３内に残っている水は、矢印Ａ４４と矢印Ａ４５で示すように、内管３５３内から第２の液体熱交換器３０２の入口管３５６、風呂ポンプ入口管６２６、風呂ポンプ２３５、風呂ポンプ出口管６１４に接続された風呂熱交換器２０７、第１の共通管６９１、第１の風呂往き管６１９、第２の風呂往き管６２１、第３の風呂往き管６２２を流れ、排水管２９９より外部に排水される。具体的には、第２の液体熱交換器３０２の内管３５３内に残っている水は、浴室から外部に排水される。
【０２１５】
このようにして、第２の液体熱交換器３０２の内管３５３内の水が抜かれるとともに、水の入っていない浴槽５０の吸込み口３８８側から空気が浴槽５０の吸込み口３８８に接続された第１の風呂戻り管６２３側に取り込まれる。
この取り込まれた空気は、第１の風呂戻り管６２３、第２の風呂戻り管６２４、電磁弁２４８、風呂戻り四方弁２４９、第３の風呂戻り管６２５、プレート四方弁２５１、プレート往き管６４６、熱回収循環路６１３、回収ポンプ２３６、第２の液体熱交換器３０２の出口管３５５を流れ、第２の液体熱交換器３０２の内管３５３内に送られる。これにより、第２の液体熱交換器３０２の内管３５３内の水は、空気が第２の液体熱交換器３０２の内管３５３内に取り込まれることで、水から空気に確実に置換され入れ替えられる。
【０２１６】
なお、風呂水流スイッチ２５３は、風呂ポンプ入口管６２６の水流を検知する。そこで、水流が途絶えて流れている空気を風呂水流スイッチ２５３が検知すると、制御装置７０は、風呂水流スイッチ２５３からの空気検知を受けて、風呂ポンプ２３５の動作を停止する。
【０２１７】
以上のようにして、制御装置７０が、浴槽５０内に水が無いことを確認した上で、第２の液体熱交換器３０２の内管３５３内から水を抜くことで、第２の液体熱交換器３０２の内管３５３内の水を空気に確実に置換して入れ替えることができる。このため、冬季において、周囲の冷気がヒートポンプ部３０を覆っても、第２の液体熱交換器３０２の内管３５３の凍結を防止することができる。
【０２１８】
上述したように、第２の液体熱交換器３０２と室外の気体熱交換器３０３とは、直列に接続されている。夏季に例えば床冷房運転が実行されるときには、室外の気体熱交換器３０３ではなく、第２の液体熱交換器３０２から排出される熱を用いてタンク１０１内の水が温められる。
ところが、季節が過ぎて冬季になると、室外の気体熱交換器３０３の周囲は冷気で満たされる。さらに、冬季においてヒートポンプ部３０の暖房運転が実行されると、第２の液体熱交換器３０２の内管３５３は、第２の液体熱交換器３０２内における熱媒体循環路３５１を流れる低温の熱媒体により冷却される。そのため、第２の液体熱交換器３０２の内管３５３内に水があると、その水は凍結してしまうおそれがある。そのため、第２の液体熱交換器３０２の内管３５３の水抜きをすることが望ましい。
【０２１９】
そこで、制御装置７０は、外気温度センサ９９からの外気温度信号により冬季が近づいたと判断すると、水の無い浴槽５０の吸込み口３８８から空気を吸い込んで、第２の液体熱交換器３０２の内管３５３内の水を空気に置換する運転を行う。これにより、第２の液体熱交換器３０２の内管３５３の凍結を防ぐことができる。
【０２２０】
そして、季節が過ぎて夏季になったときに、第２の液体熱交換器３０２の内管３５３内に空気があって水が無いと、ヒートポンプ部３０は冷房運転を行うことができない。そこで、制御装置７０は、外気温度センサ９９からの外気温度信号により冬季から季節が移って再び夏季が近づいたと判断すると、再び第２の液体熱交換器３０２の内管３５３内の空気を水に置換することが望ましい。
【０２２１】
以上説明したように、図１９に示す給湯暖房システム２では、浴槽系統の管路は、暖房系統の管路に接続されている。また、浴槽系統の管路の一部は、暖房系統の管路の一部と共通する部分を有している。
ヒートポンプ部３０は、室外の気体熱交換器３０３と、気体熱交換器３０３に接続されて冷房運転時に排熱回収をするための第２の液体熱交換器３０２と、を有し、水・空気置換回路３００を利用して、液体熱交換器３０２の内管３５３に残った水を排水して、液体熱交換器３０２の内管３５３に空気に入れて、液体熱交換器３０２の内管３５３内の水を空気に置換する。制御装置７０は、冬季になった場合に、水・空気置換回路３００を用いて液体熱交換器３０２の内管３５３に残った水を空気に置換する動作の制御を実行する。
【０２２２】
これにより、室外に配置されており、冷房運転時に排熱回収をするためのヒートポンプ部３０の部分である液体熱交換器３０２の内管３５３に水が残っていて、外気温度が下がる冬季にヒートポンプ部３０の液体熱交換器３０２の内管３５３に残っている水が凍結する可能性がある場合に、ヒートポンプ部３０の液体熱交換器３０２の内管３５３の凍結を確実に防止することができる。従って、冬季にヒートポンプ部３０が動作しないことを防ぐことができる。
【０２２３】
制御装置７０は、外気温センサ９９からの外気温度信号を受けて、冬季になったと判断すると、水・空気置換回路３００を用いて液体熱交換器３０２の内管３５３に残った水を空気に置換する。
これにより、制御装置７０が外気温センサ９９からの外気温度信号に基づいて、冬季になったことを判断した上で、水・空気置換回路３００を用いて液体熱交換器３０２の内管３５３に残った水を空気に置換する動作をするので、外気温度が下がる冬季においてだけ、ヒートポンプ部３０の凍結を確実に防止することができる。
【０２２４】
制御装置７０は、水位センサ２５５からの水位信号を受けて、浴槽５０内に水が無いことを確認すると、浴槽５０の吸込み口３８８から空気を水・空気置換回路３００に取り込み、液体熱交換器３０２の内管３５３に残った水を空気に置換する。これにより、制御装置７０が水位センサ２５５からの水位信号に基づいて、浴槽５０内の水が無いことを確認した上で、水・空気置換回路３００を用いて液体熱交換器３０２の内管３５３に残った水を空気に置換する動作をする。
【０２２５】
これにより、制御装置７０は、浴槽５０内に水が無いことを確認する。浴槽５０内に湯水が残っていたとしても、浴槽５０内に残っている水が、水・空気置換回路３００内に誤って入ることを確実に防ぐ。そのため、浴槽５０側から空気がより確実に取り込まれる。このため、液体熱交換器３０２の内管３５３に残った水を空気に確実に置換することができる。従って、ヒートポンプ部３０の凍結を確実に防止することができる。
【０２２６】
なお、前述したように、本実施形態に係る給湯暖房システム２が設置された後には、制御装置７０は、外気温センサ９９から外気温度信号を受けて季節の判断を自動で行う。一方で、本実施形態に係る給湯暖房システム２が設置される前（例えば試運転時など）においては、制御装置７０に対して季節を誤認識等させ、試運転などを実行する必要がある。例えば、外気温センサ９９から送信された外気温度信号を制御装置７０に対して誤認識させる手段としては、氷が入った袋に外気温センサ９９を浸したり、冷却シートを外気温センサ９９に当てたり、使い捨てカイロを外気温センサ９９に当てたりする手段などが挙げられる。あるいは、外気温センサ９９の夏場や冬場に対応する抵抗を用意し、外気温センサ９９の信号の代わりに抵抗の信号を基板に対して与える手段などが挙げられる。あるいは、基板にスイッチ等を設け、制御装置７０に対してスイッチ等から信号を与える手段などが挙げられる。あるいは、季節を認識させる認識信号をリモコンから基板に対して送信する手段などが挙げられる。そして、試運転時に実行されるシーケンスに、水（液体）抜き動作（水・空気置換動作）や注水動作（空気・水置換動作）などのシーケンスが組み込まれる。
【０２２７】
［風呂往き管と風呂戻り管との判別方法］
次に、図２０を参照して、風呂往き管と風呂戻り管との判別方法を説明する。本実施形態では、風呂往き管の一例である第３の風呂往き管６２２に対して、流路を切り替えるための弁としての第１のドレン切替三方弁２４７を取り付ける作業を例に挙げ、風呂往き管と風呂戻り管との判別方法を説明する。
図２０は、風呂往き管と風呂戻り管との判別方法を説明する図である。なお、図２０に示す第１のドレン切替三方弁２４７の取り付け作業は、冬季から夏季に近づくと、ヒートポンプ部３０の第２の液体熱交換器３０２の内管３５３内に水（液体）を再び供給して、内管３５３内の空気を水に再度置換する作業でもある。
【０２２８】
工事者が、図２０に示す給湯暖房システム２を施工する際あるいは施工後に、図２０に示す浴槽５０に対する風呂往き管としての例えば第３の風呂往き管６２２を切断して、第３の風呂往き管６２２の途中に、例えば水の流路を変更するための三方弁としての第１のドレン切替三方弁２４７を取り付ける作業を行う場合がある。
第３の風呂往き管６２２は、浴槽５０の吹き出し口３８９に接続されており、浴槽５０内に湯水を送る管である。一方で、第１の風呂戻り管６２３は、浴槽５０の吸込み口３８８に接続されており、浴槽５０内の湯水を戻すための管である。なお、図７に関して前述したように、第１の風呂戻り管６２３は、湯張り動作において浴槽５０内に湯水を送る管として用いられることがある。
【０２２９】
このように、第３の風呂往き管６２２の途中に、第１のドレン切替三方弁２４７を追加して取り付けるのは、第３の風呂往き管６２２に対して、例えば浴室内に排水管２９９を接続して、制御装置７０がこの第１のドレン切替三方弁２４７を切り替えることで、第３の風呂往き管６２２を通る湯水を、排水管２９９を通して、外部に排水できるようにするためである。
【０２３０】
しかし、工事者が、実際の施工現場で、第３の風呂往き管６２２の途中を切断して、第３の風呂往き管６２２の途中に、第１のドレン切替三方弁２４７を追加して取り付けようとする場合には、次の問題がある。すなわち、工事者は、第３の風呂往き管６２２と、第３の風呂往き管６２２と並んで配置されている第１の風呂戻り管６２３と、を見た目だけでは区別できないことがある。
【０２３１】
もし、工事者が誤って第１の風呂戻り管６２３側を切断してしまうと、第１の風呂戻り管６２３内の湯水が浴槽５０内や浴槽５０の周囲に出てしまう。そうすると、浴槽５０内や浴槽５０の周囲が湯水により水浸しになってしまう。このため、工事者は、どちらの管が切断しようとする第３の風呂往き管６２２であるかをよく確認した上で、第３の風呂往き管６２２を切断して例えば第１のドレン切替三方弁２４７を取り付ける作業を行う必要がある。
【０２３２】
そこで、工事者が第３の風呂往き管６２２に対して第１のドレン切替三方弁２４７を取り付ける工事作業を行う際には、制御装置７０は、図２０に例示する塗りつぶし部分のような水の経路を確保する。すなわち、制御装置７０は、水の経路を切り替え、風呂往き管には通水せず、風呂戻り管のみに通水する制御を実行する。具体的には、工事者が第３の風呂往き管６２２を切断して第１のドレン切替三方弁２４７のような弁を取り付ける工事中には、制御装置７０は、水の経路を切り替え、第３の風呂往き管６２２には全く湯水を入れずに空にしておいて、第１の風呂戻り管６２３側だけに水を入れることで、第３の風呂往き管６２２には水が流れないように制御する。本実施形態の第１の風呂往き管６１９、第２の風呂往き管６２１、および第３の風呂往き管６２２は、本発明の「風呂往き管」に相当する。本実施形態の第１の風呂戻り管６２３、第２の風呂戻り管６２４、および第３の風呂戻り管６２５は、本発明の「風呂戻り管」に相当する。
【０２３３】
これにより、工事者は、第１の風呂戻り管６２３には水が流れているが、第３の風呂往き管６２２には水が流れていない空の状態であることを、湯水の流れる際の音や振動、または管が架橋ポリエチレン管等で構成されている場合には菅の内部における水の流れを目視確認することで判別することができる。従って、工事者は、第３の風呂往き管６２２と第１の風呂戻り管６２３とを容易に区別し、並んでいる管の内の第３の風呂往き管６２２の位置を確認してから、第３の風呂往き管６２２の切断をして、第３の風呂往き管６２２の途中に、第１のドレン切替三方弁２４７を簡単に取り付けることができる。
【０２３４】
図２０において、制御装置７０は、風呂ポンプ２３５と回収ポンプ２３６を停止し、電磁弁２４８を開き、電磁弁２４２を閉じている。
水道源から通水することで、水は、給水管１５１と、水導入管１５２と、混合水導入管１５４と、給湯潜熱熱交換器２０５と、給湯熱交換器２０６と、を流れ、第１の注湯管６４３に入る。この水は、第１の注湯管６４３から、逆止弁２６７と、逆止弁２６８と、第２の注湯管６４４と、第３の注湯管６４５と、プレート四方弁２５１と、を介して、第２の液体熱交換器３０２の入口管３５６に入り、第２の液体熱交換器３０２の出口管３５５から出る。
【０２３５】
そして、図２０に表した矢印Ａ１３および矢印Ａ１４のように、第２の液体熱交換器３０２の出口管３５５から出た水は、回収ポンプ２３６に入って回収ポンプ２３６内を水で満たしてから、熱回収循環路６１３のプレート往き管６４６と、プレート四方弁２５１と、第３の風呂戻り管６２５と、風呂戻り四方弁２４９と、電磁弁２４８と、第２の風呂戻り管６２４と、を経て、浴槽５０に接続された第１の風呂戻り管６２３に入る。
このように、図２０において、制御装置７０は、水の経路を切り替え、水が、第１の風呂戻り管６２３に入るようにして、第３の風呂往き管６２２には全く入らないようにする。
【０２３６】
これにより、工事者は、第３の風呂往き管６２２と第１の風呂戻り管６２３とを容易に区別し、水の流れていない第３の風呂往き管６２２の途中を切断して、例えば第１のドレン切替三方弁２４７のような弁を取り付ける工事を行うことができる。この際に、第３の風呂往き管６２２には全く水は流れず、第３の風呂往き管６２２は空になっている。つまり、水は、第１の風呂戻り管６２３だけに流れ、第３の風呂往き管６２２には流れない。
【０２３７】
工事者は、水が第１の風呂戻り管６２３に流れているが、第３の風呂往き管６２２には流れていないことを、湯水の流れる際の音や振動、または管が架橋ポリエチレン管等で構成されている場合には菅の内部における水の流れを目視確認することで判別することができる。従って、工事者は、どちらの管が第３の風呂往き管６２２であるかをはっきりと確認した上で、第３の風呂往き管６２２の切断することができる。従って、工事者は、第３の風呂往き管６２２の途中に、第１のドレン切替三方弁２４７を簡単にしかも確実に取り付けることができる。このため、工事者は、弁の取り付け工事を確実に行え、工事時間の短縮が図れる。
なお、図２０に示すように水を流す動作を行う際に、制御装置７０は、風呂戻り四方弁２４９を浴槽５０側に切り替えておく。また、制御装置７０が風呂往き三方弁２４６を高温暖房装置４０１方向に切り替えておくと、第１の風呂往き管６１９から排水管２９９への無駄な排水を抑えることができる。
【０２３８】
また、図２０において、給湯暖房システム２を施工する際には、回収ポンプ２３６内には空気が入ったままで水は入っていない。そのため、回収ポンプ２３６が正常に動作するためには、管路に呼び水注水（または注湯）を行って、回収ポンプ２３６内の空気を追い出して回収ポンプ２３６内に水を入れる呼び水注水を行う必要がある。この呼び水注水を行わないと、試運転の際に、風呂ポンプ２３５が正常に動作しない。
【０２３９】
そこで、制御装置７０が図２０に示す塗りつぶし部分のような水の経路を確保することにより、給湯暖房システム２を施工する際には、第２の液体熱交換器３０２の出口管３５５から出た水は、回収ポンプ２３６に入って回収ポンプ２３６内を水で満たすことができる。つまり、回収ポンプ２３６は、水が第１の風呂戻り管６２３に入り第３の風呂往き管６２２には全く入らない経路の途中に設けられている。
このように、工事者が給湯暖房システム２を設置するときに、一定量の水を入れて呼び水注水をして回収ポンプ２３６内を水で満たすことができるので、試運転の際に風呂ポンプ２３５を正常に動作させることができる。
【０２４０】
ここで、図２０を参照して、ヒートポンプ部３０の第２の液体熱交換器３０２の内管３５３内に水（液体）を再び供給して、内管３５３内の空気を水に再度置換する作業について説明する。
図１９に戻って説明すると、夏季から季節が過ぎて冬季になると、気体熱交換器（空気熱交換器）３０３が周囲の冷気に満たされるとともに、冬季においてヒートポンプ部３０の暖房運転が実行されると、第２の液体熱交換器３０２の内管３５３が第２の液体熱交換器３０２内における熱媒体循環路３５１を流れる低温の熱媒体により冷却される。そのため、第２の液体熱交換器３０２の内管３５３内に水が残っていると、この水が凍結してしまうおそれがある。この内管３５３内の水が凍結すると、ヒートポンプ部３０の動作に影響を与えてしまう。
【０２４１】
そこで、図１９において、ヒートポンプ部３０が置かれている周囲が冷気で満たされる冬季では、図１９に示す水・空気置換回路３００を用いて、第２の液体熱交換器３０２の内管３５３内の水を、内管３５３から抜いて空気で置換するための水（液体）抜き動作（水・空気置換動作）が行われる。
【０２４２】
一方で、冬季から再び夏季に近づくと、ヒートポンプ部３０が冷房運転を行うために、ヒートポンプ部３０の第２の液体熱交換器３０２の内管３５３内に水を再び供給して、内管３５３内に残っている空気を水に再度置換する作業を行う必要がある。
季節が過ぎて夏季に近づいて、制御装置７０が、外気温度センサ９９からの外気温度信号により、再び夏季が近づいたと判断すると、再び第２の液体熱交換器３０２の内管３５３内の空気を排出して、その代わりに第２の液体熱交換器３０２の内管３５３内を水に置換する。
【０２４３】
図２０に示す塗りつぶし部分の水の経路は、工事者が、第３の風呂往き管６２２を確認してから、第３の風呂往き管６２２の切断をして、第３の風呂往き管６２２の途中に、第１のドレン切替三方弁２４７を簡単に取り付ける場合を示している。これと同時に、図２０に示す塗りつぶし部分の水の経路は、上述したように、ヒートポンプ部３０の第２の液体熱交換器３０２の内管３５３内の空気を水（液体）に再び置換する空気・水置換作業を再度行う場合にも適用できる。
【０２４４】
このように、ヒートポンプ部３０の第２の液体熱交換器３０２の内管３５３の空気・水置換作業が行われる場合には、外気温センサ９９からの外気温度信号により、外気温度が予め定めた温度になると、制御装置７０は、夏季が近づいたと判断して、上述したように、風呂ポンプ２３５と回収ポンプ２３６とを停止し、電磁弁２４８を開き、電磁弁２４２を閉じる。
【０２４５】
これにより、水は、プレート四方弁２５１を介して、第２の液体熱交換器３０２の入口管３５６から内管３５３に入り、第２の液体熱交換器３０２の出口管３５５から出て回収ポンプ２３６に入る。このように、制御装置７０が、冬季が過ぎて夏季に近づいたと判断すると、第２の液体熱交換器３０２の内管３５３内の空気を水に再び置換して、内管３５３内を水で満たすことができる。つまり、第２の液体熱交換器３０２は、水が第１の風呂戻り管６２３に入り第３の風呂往き管６２２には全く入らない経路の途中に設けられている。
【０２４６】
上述したように、図２０に示すように、浴槽系統の管路は、浴槽５０へ接続されて浴槽５０へ水を通す第３の風呂往き管６２２と、浴槽５０に接続されて浴槽５０から水を戻す第１の風呂戻り管６２３と、を有し、制御装置７０は、水の経路を切り替え、第３の風呂往き管６２２には通水せず、第１の風呂戻り管６２３のみに通水する制御を実行する。
【０２４７】
これにより、水は、第３の風呂往き管６２２には流れないが、第１の風呂戻り管６２３には流れる。このため、第３の風呂往き管６２２には水の流れる音等が無いことで、工事者は、第３の風呂往き管６２２を簡単に判別できる。従って、工事者は第３の風呂往き管６２２の切断をして第１のドレン切替三方弁２４７を容易に取り付けることができる。また、工事者が第３の風呂往き管６２２を切断しても、水が漏れることがない。
【０２４８】
水が第１の風呂戻り管６２３と第２の風呂戻り管６２４のみに流れる経路の途中には、第２の液体熱交換器３０２が配置されている。これにより、第２の液体熱交換器３０２の内管３５３内の空気を水に再び置換して、内管３５３内を水で満たすことができる。
【０２４９】
水が第１の風呂戻り管６２３と第２の風呂戻り管６２４のみに流れる経路の途中には、回収ポンプ２３６が配置されている。これにより、回収ポンプ２３６から空気を出して回収ポンプ２３６に水を入れることができる。これにより、給湯暖房システム２の試運転前には、回収ポンプ２３６は空気が入っていて水が無い状態であっても、回収ポンプ２３６から空気を追い出して回収ポンプ２３６に呼び水注水をして回収ポンプ２３７内に水を入れることができる。このため、その後、回収ポンプ２３６が正常の動作可能となり、給湯暖房システム２の試運転を正常に行うことができる。
【０２５０】
［第２の液体熱交換器の内管の空気・水置換動作］
次に、ヒートポンプ部３０の第２の液体熱交換器３０２の内管３５３内の空気を水に置換する空気・水置換動作について、図２１を参照して説明する。
図２１は、第２の液体熱交換器の内管の空気・水置換動作を説明する図である。
【０２５１】
上述したように、冬季には、ヒートポンプ部３０の第２の液体熱交換器３０２の内管３５３内の水を空気に置換して水抜きをしている。ところが、第２の液体熱交換器３０２の内管３５３内の水が抜かれて空気になっている水抜き中であっても、使用者は、冬季には浴槽５０内の湯水の追い焚きを行うことが多い。このため、浴槽系統の管路のうちの少なくとも一部を有する追い焚き管路には、湯水が充満して残っている。なお、本実施形態の追い焚き管路は、第１の風呂往き管６１９、第２の風呂往き管６２１、第３の風呂往き管６２２、第１の風呂戻り管６２３、第２の風呂戻り管６２４、および第３の風呂戻り管６２５を有する。例えば図９には、追い焚き動作において水が流れる管路が表されている。
【０２５２】
このように、例えば第１の風呂往き管６１９、第２の風呂往き管６２１、第３の風呂往き管６２２、第３の風呂戻り管６２５等を有する追い焚き管路に湯水が充満して残っている状態であるにもかかわらず、季節が冬季から夏季になったからといって、図２０に示すように、制御装置７０が、第２の液体熱交換器３０２の内管３５３内の空気を水に再び置換して、内管３５３内を水で満たす自動注水を行うと、次のような新たな課題が生じる。
【０２５３】
すなわち、図２０に示すように、制御装置７０が、夏前に、内管３５３内を水で満たす自動注水を開始すると、注水開始とともに、まず第１の風呂往き管６１９、第２の風呂往き管６２１、第３の風呂往き管６２２、第３の風呂戻り管６２５等を有する追い焚き管路に残っている湯水が浴槽５０内に追い出されてしまい、浴槽５０内が湯水により水浸しになる。また、水が例えば冬季から夏季まで流れていない第２の液体熱交換器３０２の内管３５３を流れた不衛生な水が、浴槽５０内に入ることがある。
【０２５４】
しかも、第２の液体熱交換器３０２の内管３５３内の空気が圧縮された状態であるために、第１の風呂往き管６１９、第２の風呂往き管６２１、第３の風呂往き管６２２、第３の風呂戻り管６２５等に残っている湯水が浴槽５０内に追い出された時点で、圧縮された空気が勢いよく浴槽５０内に出てしまい、例えば「プシュ」などという大きな音が浴室内に反響することがある。
【０２５５】
このように、浴槽５０内が、第１の風呂往き管６１９、第２の風呂往き管６２１、第３の風呂往き管６２２、第３の風呂戻り管６２５等を有する追い焚き管路に残っている湯水により水浸しになる。この浴槽５０内に導かれた水は、例えば冬季から夏季までの約半年間換水されていない不衛生な水である場合がある。
そこで、制御装置７０は、図２１に示す塗りつぶし部分のように、第１の風呂往き管６１９、第２の風呂往き管６２１、第３の風呂往き管６２２、第３の風呂戻り管６２５等を有する追い焚き管路に充満している湯水が浴槽５０内に入ることを抑えるために、浴槽５０への往き管である第２の風呂往き管６２１および第３の風呂往き管６２２と、第１のドレン切替三方弁２４７と、排水管２９９と、を用いる。
【０２５６】
第１の風呂往き管６１９、第２の風呂往き管６２１、第３の風呂往き管６２２、第３の風呂戻り管６２５等を有する追い焚き管路に充満している湯水が浴槽５０内に入ることを抑えるためには、風呂戻り管である第２の風呂戻り管６２４、第１の風呂戻り管６２３は用いられない。
【０２５７】
図２１において、第１の風呂往き管６１９、第２の風呂往き管６２１、第３の風呂往き管６２２、第３の風呂戻り管６２５等を有する追い焚き動作時の追い焚き管路に充満している湯水の排出動作を、詳しく説明する。
【０２５８】
水道源（水供給源）からの水は、給水管１５１と、水導入管１５２と、混合水導入管１５４と、給湯潜熱熱交換器２０５と、給湯熱交換器２０６と、を流れ、第１の注湯管６４３に導かれる。さらに、この水は、第１の注湯管６４３から、逆止弁２６７と、逆止弁２６８と、第２の注湯管６４４と、第３の注湯管６４５と、プレート四方弁２５１と、を介して、第２の液体熱交換器３０２の入口管３５６に入り、第２の液体熱交換器３０２の出口管３５５から出る。
【０２５９】
そして、第２の液体熱交換器３０２の出口管３５５から出た水は、回収ポンプ２３６に入って回収ポンプ２３６内を水で満たしてから、熱回収循環路６１３のプレート往き管６４６と、プレート四方弁２５１と、第３の風呂戻り管６２５と、風呂戻り四方弁２４９と、シスターン出口管６２９と、シスターン２３７と、第３の低温能力管６３４と、第２の低温能力管６３３と、低温能力切替弁２６３と、第１の低温能力管６３２と、第１の共通管６９１のうちの出口管６０９と、第１の風呂往き管６１９と、第２の風呂往き管６２１と、第３の風呂往き管６２２と、第１のドレン切替三方弁２４７と、を介して、排水管２９９から排出される。
【０２６０】
これにより、第１の風呂往き管６１９、第２の風呂往き管６２１、第３の風呂往き管６２２、第３の風呂戻り管６２５等を有する追い焚き動作時の追い焚き管路に充満している湯水を排水管２９９から排出することができる。
このため、浴槽５０内は、第１の風呂往き管６１９、第２の風呂往き管６２１、第３の風呂往き管６２２、第３の風呂戻り管６２５等に残っている湯水により水浸しになることを抑えることができる。また、水が例えば冬季から夏季まで第２の液体熱交換器３０２の内管３５３を流れていない場合であっても、不衛生な水が、浴槽５０内に入ることを抑えることができる。さらに、不衛生な湯水を追い出す際に、湯水を押し出し終わった時点で、圧縮された空気が浴槽５０内に勢いよく出ることが無くなる。
【０２６１】
また、給湯熱交換器２０６の出口管６０７には、湯量サーボ２２４が設けられている。湯量サーボ２２４は、第１の注湯管６４３等を通って浴槽５０に向かって流れる水の量を制御する。本実施形態の制御装置７０は、湯量サーボ２２４を制御することにより、第２の液体熱交換器３０２の内管３５３の空気・水置換動作において内管３５３で圧縮された空気が浴槽５０内に出る量を制御する。そのため、第１の風呂往き管６１９、第２の風呂往き管６２１、第３の風呂往き管６２２、第３の風呂戻り管６２５等に残っている湯水が浴槽５０内に追い出された時点で、圧縮された空気が勢いよく浴槽５０内に出ることが抑制される。これにより、例えば「プシュ」などという大きな音が浴室内に反響することを抑えることができる。
【０２６２】
なお、図２１に示す塗りつぶし部分の管路では、不衛生な湯水がシスターン２３７の内部に入ることがある。これに対して、本実施形態では、シスターン２３７の内部の水は、空気・水置換動作が所定時間実行されることで新たな水に置換される。あるいは、シスターン２３７の内部の水は、抜かれた後に新たな水が注水されることで新たな水に置換される。具体的には、シスターン２３７の内部の水位は、一部がシスターン２３７の内部に差し込まれた第３の低温能力管６３４の下端まで低下する。例えば、図２１に表したシスターン２３７の内部の水位が約半分程度まで低下する。これは、シスターン２３７の内部に送り込まれた空気の全量が排出されるわけではないためである。これに対して、本実施形態では、シスターン２３７に対する補水動作が実行される。
【０２６３】
すなわち、水供給源から供給される水の圧力によって、水が水導入管１５１，１５２および混合水導入管１５４を流れ、ガス湯沸かし部２０に供給される。ガス湯沸かし部２０に供給された水は、給湯バイパス管６１１を流れるとともに給湯潜熱熱交換器２０５および給湯熱交換器２０６を流れて、湯量サーボ２２４に導かれる。湯量サーボ２２４に導かれた水は、第１の注湯管６４３と、第２の注湯管６４４と、第３の注湯管６４５と、を流れる。図１９に表した矢印Ａ１１および矢印Ａ１２のように、第３の注湯管６４５に導かれた水は、第３の注湯管６４５と風呂ポンプ入口管６２６との接続部を介して風呂ポンプ入口管６２６の両側に分岐して流れる。このとき、バイパスサーボ２２２および湯量サーボ２２４のそれぞれは、制御装置７０の制御により開度を調整し、第１の注湯管６４３に導かれる水の量を制御する。例えば、制御装置７０は、バイパスサーボ２２２および湯量サーボ２２４の開度を絞って水圧を低下させ、第１の注湯管６４３に導かれる水の流量を約５リットル／分以下に設定する。一方で、制御装置７０は、湯張りする動作の制御を実行する場合には、バイパスサーボ２２２および湯量サーボ２２４の開度を全開に設定し、第１の注湯管６４３に導かれる水の流量を約１６リットル／分程度に設定して、速やかに浴槽５０に注湯する。
【０２６４】
第３の注湯管６４５と風呂ポンプ入口管６２６との接続部から風呂ポンプ２３５に向かって流れた水は、矢印Ａ２のように、風呂ポンプ２３５から風呂ポンプ出口管６１４を経て、風呂熱交換器２０７に向かって流れる。このとき、風呂ポンプ２３５は、停止している。そして、風呂熱交換器２０７の出口管６０９からの水は、矢印Ａ１のように、風呂熱交換器２０７の出口管６０９から分岐した第１の低温能力管６３２に入る。
【０２６５】
低温能力切替弁２６３は、制御装置７０の制御により弁の開度を調整し、第１の低温能力管６３２を流れる水の流量を制御する。つまり、低温能力切替弁２６３は、弁の開度を調整し、風呂熱交換器２０７の出口管６０９を通って第１の風呂往き管６１９に導かれる水の流量と、風呂熱交換器２０７の出口管６０９を通って第１の低温能力管６３２に導かれる水の流量と、の比率を制御する。これにより、低温能力切替弁２６３は、弁を開けることにより、第１の低温能力管６３２に水を流す。
【０２６６】
この場合には、制御装置７０は、低温能力切替弁２６３の開制御を行う。オーバーフロー弁２３９は、非通電の状態（制御装置７０により制御されていない状態）で開いている。一方で、オーバーフロー弁２３９は、通電の状態（制御装置７０により制御された状態）で閉じる。シスターン２３７の内部は、オーバーフロー弁２３９が開いているときに大気開放される。つまり、シスターン２３７は、圧力逃がし（空気抜き）の貯留槽として機能する。
これにより、シスターン２３７内には、圧力の影響を受けずにスムーズに水を補給することができる。このオーバーフロー弁２３９の開閉動作は、制御装置７０により制御される。上述したように、オーバーフロー弁２３９は、所定以上の圧力がかかると自動的に開く動作を行うわけではなく、制御装置７０から送信された信号に基づいて開閉動作を行う。
【０２６７】
第１の低温能力管６３２に流れる水は、低温能力切替弁２６３を通って、第１の低温能力四方弁２５９を介して第２の低温能力管６３３に入る。第２の低温能力管６３３に入った水は、第２の低温能力四方弁２６１を介して第３の低温能力管６３４に入る。そして、第３の低温能力管６３４に入った水は、シスターン２３７の内部に入る。
【０２６８】
一方で、第３の注湯管６４５と風呂ポンプ入口管６２６との接続部からプレート四方弁２５１に向かって流れた水は、第２の共通管６９２のうちの第３の風呂戻り管６２５を流れ、風呂戻り四方弁２４９を介してシスターン出口管６２９に導かれる。そして，シスターン出口管６２９に導かれた水は、シスターン２３７の内部に入る。このようにして、シスターン２３７の内部の水位が低下した場合には、オーバーフロー弁２３９を開いて大気開放しながら、水供給源から水を水導入管１５１に供給することで、第３の低温能力管６３４とシスターン出口管６２９との両方を用いてシスターン２３７内に補水をすることができる。
【０２６９】
これにより、シスターン２３７の内部に不衛生な水が入ってきた場合であっても、シスターン２３７の内部の水をきれいな水に置換することができる。このため、シスターン２３７内から浴槽５０等に不衛生な水が入ることを防ぐことができる。
【０２７０】
以上説明したように、本実施形態に係る給湯暖房システム２の浴槽系統の管路は、浴槽５０へ接続されて浴槽５０へ水を送る第１の風呂往き管６１９と第２の風呂往き管６２１と第３の風呂往き管６２２と、浴槽５０に接続されて浴槽５０から水を戻す第1の風呂戻り管６２３と第２の風呂戻り管６２４と、を有する。制御装置７０は、季節が夏季になった場合に、浴槽系統の管路のうちの少なくとも一部と暖房系統の管路のうちの少なくとも一部とを利用して、第２の液体熱交換器３０２の内管３５３の空気を排出し内管３５３に水を入れて内管３５３の空気を水に置換するとともに、第１の風呂往き管６１９、第２の風呂往き管６２１、第３の風呂往き管６２２と、第３の風呂戻り管６２５に通水し、風呂往き管を流れる水を風呂往き管に接続された排水管２９９を通して排出する置換動作の制御を実行する。
【０２７１】
これにより、制御装置７０は、夏季になると、追い焚き管路に残った湯水を排出管２９９を通して排出することができるとともに、自動注水により第２の液体熱交換器３０２の内管３５３内の空気を水に置換できる。これにより、第２の液体熱交換器３０２の内管３５３の空気を水に置換する空気・水置換動作を行う際に、追い焚き管路に残った湯水が浴槽５０内に入ることを抑えることができる。また、水が例えば冬季から夏季まで流れていない第２の液体熱交換器３０２の内管３５３を流れた不衛生な水が、浴槽５０内に入ることを抑えることができる。
【０２７２】
本実施形態に係る給湯暖房システム２は、室外の温度を検出する外気温センサ９９をさらに備える。制御装置７０は、外気温センサ９９からの温度信号を受けて、季節が夏季になったと判断すると、空気・水置換動作の制御を実行する。
これにより、制御装置７０は、夏季を確認してから、自動注水により第２の液体熱交換器３０２の内管３５３の空気を水に置換する空気・水置換動作を実行することができる。
【０２７３】
ガス湯沸かし部２０は、浴槽５０に向かって流れる水の量を制御する湯量サーボ２２４を有する。制御装置７０は、湯量サーボ２２４を制御することにより、空気・水置換動作において内管３５３で圧縮された空気が浴槽５０内に出る量を制御する。
これにより、空気・水置換動作において第２の液体熱交換器３０２の内管３５３で圧縮された空気が浴槽５０内に勢いよく出て、例えば「プシュ」などという大きな音が浴室内に反響することを抑えることができる。
【０２７４】
ガス湯沸かし部２０は、空気・水置換動作の制御が実行されるときに流れる水の経路の途中に設けられたシスターン２３７を有する。シスターン２３７の内部の水は、空気・水置換動作が所定時間実行されることで新たな水に置換される。これにより、シスターン２３７の内部に不衛生な水が入ってきた場合であっても、シスターン２３７の内部の水をきれいな水に置換することができる。このため、シスターン２３７内から浴槽５０等に不衛生な水が入ることを防ぐことができる。
【０２７５】
あるいは、シスターン２３７の内部の水は、抜かれた後に新たな水が注水されることで新たな水に置換される。
これにより、シスターン２３７の内部に不衛生な水が入ってきた場合であっても、シスターン２３７の内部の水は、抜かれた後に新たな水が注水されることで新たな水に置換される。このため、シスターン２３７内から浴槽等に不衛生な水が入ることを防ぐことができる。
【０２７６】
次に、本発明の第２の実施形態について説明する。
〔特徴１：小型化〕
本実施形態の給湯暖房システム２Ａは、タンク部１０Ａと、ガス湯沸かし部２０Ａと、ヒートポンプ部３０と、暖房装置４０と、浴槽５０と、を備える。タンク部１０Ａは、ガス湯沸かし部２０Ａに対して管で接続されている。ガス湯沸かし部２０Ａは、ヒートポンプ部３０と、暖房装置４０と、浴槽５０と、に対して管で接続されている。ヒートポンプ部３０は、ガス湯沸かし部２０Ａを介して暖房装置４０に管で接続されている。一方で、暖房装置４０は、浴槽５０に対して管では接続されていない。すなわち、暖房経路（暖房系統の管路）および浴槽経路（浴槽系統の管路）は、互いに分離されている。この点において、本実施形態の給湯暖房システム２Ａは、図２に関して前述した給湯暖房システム２とは異なる。これにより、本実施形態の給湯暖房システム２Ａは、暖房装置４０内の汚水が浴槽水に混入することをより確実に抑えることができる。
【０２７７】
また、所定の装置に存在する余分な熱ないし湯水をその他の装置に回すようにコントロールすることで（即ち、熱を融通し合うことで）、装置の小型化を図っている。
かくして、小さなスペースしかないマンションや狭小住宅等であっても、高効率の給湯暖房システム２Ａを利用することができる。
そして、例えば、タンク部１０Ａと、ヒートポンプ部３０と、暖房装置４０と、浴槽５０と、に対してガス湯沸かし部２０Ａを管などで繋ぐことで、各装置間を湯水が流通可能となる。これにより、「機能性の向上」「効率性の向上」「快適性の向上」「コストダウン」を更に図れるようになった。以下、これを説明する。
【０２７８】
〔特徴２：機能性の向上〕
本実施形態では、機能性の向上を図っている。
例えば、本実施形態に係る給湯暖房システム２Ａは、浴槽５０の残湯などを風呂熱交換器２０７Ａに送るとともに、タンク部１０Ａの水を風呂熱交換器２０７Ａに送り、浴槽５０の残湯とタンク部１０Ａの水との間で熱交換を行うことで、該残湯の熱をタンク部１０Ａに回収可能な「浴湯熱回収機能」を有している。この機能によれば、エネルギーの無駄を省いて、タンク部１０Ａ内に温水を作ることが出来ると共に、浴槽５０の残湯を冷却して菌の繁殖を抑制できる。
【０２７９】
また、本実施形態のタンク部１０Ａは例えばマンションのパイプシャフトに収容可能なほど小型である。そこで、タンク部１０Ａの湯が所定の温度になったら、その湯を他の装置に回して利用し、タンク部１０Ａでは可及的に次々に新たな湯を生成できる状態にする。これにより、大型の貯湯タンク並みの機能を発揮させている。例えば、本実施形態に係る給湯暖房システム２Ａは、ヒートポンプ部３０の冷房運転時の廃熱を利用してタンク部１０Ａに湯を生成する「廃熱回収機能」を有している。この廃熱回収の際に、湯張りの予約がされている場合において、タンク部１０Ａの湯が基準の温度になったら、タンク部１０Ａの湯を率先して浴槽５０に送る。そして、タンク部１０Ａ内の湯が所定量に低下したら再び廃熱回収機能を利用してタンク部１０Ａに湯を生成し、その湯を再び浴槽５０に送るという動作を繰り返している。これにより、小型のタンク部１０Ａであっても、浴槽５０への所定量の湯張りが可能となる。
【０２８０】
〔特徴３：効率性の向上〕
次に、本実施形態では、上記各装置の効率の向上を図っている。
例えば、ヒートポンプ部３０の起動時の効率向上を図っている。即ち、ヒートポンプ部３０は、停止時に室外の気体熱交換器３０３が冷却機になって、気体熱交換器３０３内の熱媒体が液体になる。そうすると、次回の起動に時間を要して効率が悪化するという特性を有する。そこで、気体熱交換器３０３内における熱媒体の液化を防止する構造ないし制御を採用することで、ヒートポンプ部３０の効率の向上を図っている。熱媒体の液化の防止手段としては、図２に関して前述した給湯暖房システム２の効率性の向上と同様である。この効率性の向上の詳細については、後述する。
【０２８１】
また、本実施形態では、管路内での自然放熱量を抑制することでも効率性の向上を図っている。この効率性の向上についても、図２に関して前述した給湯暖房システム２の効率性の向上と同様である。
【０２８２】
また、本実施形態では、ヒートポンプ部３０に低い温度の液体を送り込むことで、フルパワーで運転することが高効率なヒートポンプ部３０の効率を上げることができる。
例えば、ヒートポンプ部３０だけでは加熱不足なために、ヒートポンプ部３０とガス湯沸かし部２０Ａとの双方を用いて加熱する場合、先ずヒートポンプ部３０で加熱する。その後、所定の不足分の熱を加えるために、ガス湯沸かし部２０Ａの第３の液体熱交換器２７２で熱交換を行うという順序にしている。これにより、ヒートポンプ部３０には低い給水温度の液体が送り込まれ、効率を上げることができる。
【０２８３】
また、浴槽５０の湯を保温だけする場合は、効率性を考慮してヒートポンプ部３０の熱を利用して保温するのが理想的である。しかし、熱い湯がヒートポンプ部３０に送り込まれると、ヒートポンプ部３０の高効率性が没却される。そこで、タンク部１０Ａの水を第３の液体熱交換器２７２に回し、タンク部１０Ａの水で奪熱して温水を生成した後に、低い給水温度の液体をヒートポンプ部３０に送り込んでいる。これにより、ヒートポンプ部３０の効率を上げることができる。
【０２８４】
〔特徴４：快適性の向上〕
次に、本実施形態では、快適性の向上を図っている。
例えば、本実施形態では、夏場に涼しい浴室内でシャワーを浴びることができる。また、冬場に暖かい浴室に入浴することができる。これにより、寒暖の差で生じる脳卒中や心臓発作などを防止することができる。快適性の向上は、図２に関して前述した給湯暖房システム２の快適性の向上と同様である。この快適性の向上の詳細については、後述する。
【０２８５】
〔特徴５：トラブルの回避〕
以上のように、本発明の実施形態では、「小型化」「機能性の向上」「効率性の向上」「快適性の向上」を図っているが、そのような構成及び／又は制御を行う結果、種々のトラブルが発生する恐れが想定される。そこで、本実施形態では、該トラブルを回避するための更なる構成ないし制御を行っている。
【０２８６】
例えば、ヒートポンプ部３０をマンションのパイプシャフト内に設置した場合、発生したドレン水を通常の室外機のようにそのまま排出すると、パイプシャフトを通じて廊下等が濡れる恐れがある。この点、本実施形態では、ヒートポンプ部３０と浴室の排水口とを管で接続して、発生したドレン水をその排水口内に排水するようにしている。
【０２８７】
また、本実施形態では、暖房経路および浴槽経路は、互いに分離されている。そのため、不使用な装置及び管内の換水を行う必要はない。この点において、本実施形態の給湯暖房システム２Ａは、図２に関して前述した給湯暖房システム２とは異なる。
【０２８８】
〔第２の実施形態〕
図２２は、本発明の第２の実施形態に係る給湯暖房システムを表す配管図である。
図２２に表したように、本実施形態に係る給湯暖房システム２Ａは、タンク部１０Ａと、ガス湯沸かし部２０Ａと、ヒートポンプ部３０と、暖房装置４０と、制御装置７０と、を備える。タンク部１０Ａと、ガス湯沸かし部２０Ａと、ヒートポンプ部３０と、制御装置７０と、は図１に表した筐体２１および筐体３３の内部に設けられている。筐体２１および筐体３３は、図１に関して前述した通りである。また、ヒートポンプ部３０、暖房装置４０および制御装置７０は、図２〜図１８に関して前述した給湯暖房システム２が備えるヒートポンプ部３０、暖房装置４０および制御装置７０とそれぞれ同じである。
【０２８９】
タンク部１０Ａは、タンク１０１と、減圧弁１０２と、を有する。図２〜図１８に関して前述した給湯暖房システム２のタンク部１０と比較して、本実施形態のタンク部１０Ａは、プレート熱交換器を有していない。一方で、本実施形態に係る給湯暖房システム２Ａでは、ガス湯沸かし部２０Ａが第３の液体熱交換器２７２を有する。第３の液体熱交換器２７２の詳細については、後述する。
【０２９０】
減圧弁１０２の下流側において、給水管１５１は、タンク１０１の下部に接続されているとともに、タンク１０１の下部において分岐し、回収切替四方弁２８５を介して、第１の給水接続管６６７と、第２の給水接続管６６８と、第２の回収ポンプ入口管６６６と、に接続されている。第１の給水接続管６６７は、給水切替三方弁２７７を介して、給湯熱交換器２０６Ａの出口管６０７と、第３の液体熱交換器２７２の接続管６５１と、に接続されている。タンク１０１の上部には、湯導入管１５３および回収ポンプ出口管６５９が接続されている。タンク部１０Ａの他の構造は、図２に関して前述したタンク部１０の構造と同じである。
【０２９１】
本実施形態に係る給湯暖房システム２Ａのタンク１０１には、過圧逃がし弁（図示せず）が設けられている。過圧逃がし弁は、所定以上の圧力がかかると自動的に開く動作を行う。つまり、過圧逃がし弁は、制御装置７０から送信された信号に基づいて開閉動作を行うわけではない。この点において、タンク１０１に設けられた過圧逃がし弁は、シスターン２３７に設けられたオーバーフロー弁２３９とは異なる。
【０２９２】
ガス湯沸かし部２０Ａは、燃焼装置２０１と、中和器２３１と、ドレンタンク２３３と、風呂ポンプ２３５と、回収ポンプ２３６と、シスターン２３７と、風呂熱交換器２０７Ａと、第３の液体熱交換器２７２と、暖房ポンプ２７５と、を有する。すなわち、図２〜図１８に関して前述した給湯暖房システム２のガス湯沸かし部２０と比較して、本実施形態のガス湯沸かし部２０Ａは、第３の液体熱交換器２７２と、暖房ポンプ２７５と、をさらに有する。また、風呂熱交換器２０７Ａは、燃焼装置２０１の燃焼室２０２ではなく、燃焼装置２０１の燃焼室２０２の外側に設けられている。
【０２９３】
燃焼装置２０１の燃焼室２０２には、第１のバーナ２０３と、第２のバーナ２０４と、給湯潜熱熱交換器２０５と、給湯熱交換器２０６Ａと、が設けられている。第１のバーナ２０３および第２のバーナ２０４は、給湯熱交換器２０６Ａの近傍に設けられ、給湯熱交換器２０６Ａを加熱する。給湯熱交換器２０６Ａは、多数のフィンを有し、第１のバーナ２０３および第２のバーナ２０４の少なくともいずれかにより加熱される。給湯潜熱熱交換器２０５は、給湯熱交換器２０６Ａの上側に設けられ、燃焼室２０２の排ガスに含まれる潜熱を回収する。すなわち、給湯潜熱熱交換器２０５は、第１のバーナ２０３および第２のバーナ２０４の少なくともいずれかの燃焼により給湯熱交換器２０６Ａが熱交換を行った後の燃焼排気と接触する位置に設けられている。
【０２９４】
第３の液体熱交換器２７２は、第３の液体熱交換器２７２の接続管６５１を通って第３の液体熱交換器２７２の内部に導かれた水（液体）と、第１の液体熱交換器３０１から第３の液体熱交換器２７２の内部に導かれた水（液体）と、の間において非接触で熱交換を行うことができる。あるいは、第３の液体熱交換器２７２は、第３の液体熱交換器２７２と風呂熱交換器２０７Ａとに接続された中間配管６５３を通って第３の液体熱交換器２７２の内部に導かれた水（液体）と、第１の液体熱交換器３０１から第３の液体熱交換器２７２の内部に導かれた水（液体）と、の間において非接触で熱交換を行うことができる。すなわち、第３の液体熱交換器２７２の内部において、接続管６５１および中間配管６５３に接続された第３の液体熱交換器２７２の第１の内管６５２は、第１の液体熱交換器３０１の出口管６１６に接続された第３の液体熱交換器２７２の第２の内管６５４と熱的に接続されている。第３の液体熱交換器２７２は、いわゆる液−液熱交換器である。
【０２９５】
風呂熱交換器２０７Ａは、風呂熱交換器２０７Ａの接続管６５５を通って風呂熱交換器２０７Ａの内部に導かれた水（液体）と、浴槽５０から風呂熱交換器２０７Ａの内部に導かれた水（液体）と、の間において非接触で熱交換を行うことができる。あるいは、風呂熱交換器２０７Ａは、第３の液体熱交換器２７２と風呂熱交換器２０７Ａとに接続された中間配管６５３を通って風呂熱交換器２０７Ａの内部に導かれた水（液体）と、浴槽５０から風呂熱交換器２０７Ａの内部に導かれた水（液体）と、の間において非接触で熱交換を行うことができる。すなわち、風呂熱交換器２０７Ａの内部において、中間配管６５３および接続管６５５に接続された風呂熱交換器２０７Ａの第１の内管６５６は、風呂ポンプ出口管６１４に接続された風呂熱交換器２０７Ａの第２の内管６５７と熱的に接続されている。風呂熱交換器２０７Ａは、図２に関して前述した風呂熱交換器２０７とは異なり、いわゆる液−液熱交換器である。
【０２９６】
タンク部１０Ａに関して前述したように、第１の給水接続管６６７は、給水切替三方弁２７７を介して、給湯熱交換器２０６Ａの出口管６０７と、第３の液体熱交換器２７２の接続管６５１と、に接続されている。第３の液体熱交換器２７２の接続管６５１は、第３の液体熱交換器２７２の第１の内管６５２と、中間配管６５３と、風呂熱交換器２０７Ａの第１の内管６５６と、を介して風呂熱交換器２０７Ａの接続管６５５に接続されている。
【０２９７】
第３の液体熱交換器２７２の接続管６５１には、接続管サーミスタ２８８が設けられている。接続管サーミスタ２８８は、第３の液体熱交換器２７２の接続管６５１を流れる水の温度を検出する。中間配管６５３には、中間配管サーミスタ２９１が設けられている。中間配管サーミスタ２９１は、中間配管６５３を流れる水の温度を検出する。風呂熱交換器２０７Ａの接続管６５５には、風呂切替弁２７８および風呂熱交換器サーミスタ２９２が設けられている。風呂切替弁２７８は、弁の開度を調整し、風呂熱交換器２０７Ａの接続管６５５を流れる水の流量を制御する。風呂熱交換器サーミスタ２９２は、風呂熱交換器２０７Ａの接続管６５５を流れる水の温度を検出する。
【０２９８】
給湯熱交換器２０６Ａの出口管６０７には、給湯熱交換器２０６Ａの出口管６０７から分岐した給湯往き管６６１が接続されている。給湯往き管６６１は、湯量サーボ２２４を介して第１の注湯管６４３に接続されている。給湯往き管６６１と給湯熱交換器２０６Ａの出口管６０７との接続部分と、湯量サーボ２２４と、の間において、給湯往き管６６１には、給湯往き管６６１から分岐した風呂熱交換器２０７Ａの接続管６５５が接続されている。すなわち、風呂熱交換器２０７Ａの接続管６５５は、一方の端部において給湯往き管６６１に接続され、他方の端部において風呂熱交換器２０７Ａの第１の内管６５６に接続されている。また、給湯往き管６６１と給湯熱交換器２０６Ａの出口管６０７との接続部分と、湯量サーボ２２４と、の間において、給湯往き管６６１には、給湯往き管６６１から分岐した給湯バイパス管６１１が接続されている。
【０２９９】
中間配管６５３には、中間配管６５３から分岐した第１の回収ポンプ入口管６５８が接続されている。第１の回収ポンプ入口管６５８は、第１の回収三方弁２８２を介して回収ポンプ２３６に接続されている。また、第１の回収ポンプ入口管６５８には、循環水量センサ２７４が設けられている。循環水量センサ２７４は、第１の回収ポンプ入口管６５８を流れる水の流量を検出する。
【０３００】
前述したように、給水管１５１は、回収切替四方弁２８５を介して第２の回収ポンプ入口管６６６に接続されている。第２の回収ポンプ入口管６６６は、第１の回収三方弁２８２を介して第１の回収ポンプ入口管６５８に接続されている。図２２に表した矢印Ａ２６および矢印Ａ２７に表したように、回収ポンプ２３６が駆動すると、水が第２の回収ポンプ入口管６６６を流れ、第１の回収三方弁２８２を介して第１の回収ポンプ入口管６５８に導かれる場合がある。
【０３０１】
また、前述したように、給水管１５１は、回収切替四方弁２８５を介して第２の給水接続管６６８に接続されている。第２の給水接続管６６８には、逆止弁２８６が設けられている。
【０３０２】
タンク部１０Ａに関して前述したように、タンク１０１の上部には、回収ポンプ出口管６５９が接続されている。回収ポンプ出口管６５９は、第２の回収三方弁２８３を介して第２の液体熱交換器３０２の入口管３５６に接続されている。また、回収ポンプ出口管６５９は、第３の回収三方弁２８４を介して第２の液体熱交換器３０２の出口管３５５に接続されている。回収ポンプ出口管６５９には、タンク入口サーミスタ２９３が設けられている。タンク入口サーミスタ２９３は、回収ポンプ出口管６５９を流れる水の温度を検出する。
【０３０３】
暖房ポンプ２７５には、シスターン出口管６２９と、暖房ポンプ出口管６６２と、が接続されている。暖房ポンプ出口管６６２は、ヒートポンプ入口三方弁２４３を介して第１の液体熱交換器３０１の入口管６１５に接続されている。第１の液体熱交換器３０１の出口管６１６は、第３の液体熱交換器２７２の第２の内管６５４を介して第３の液体熱交換器２７２の出口管６６４に接続されている。
【０３０４】
第１の液体熱交換器３０１の出口管６１６には、出口サーミスタ３１２と、入口サーミスタ２８７と、が設けられている。出口サーミスタ３１２は、図２に関して前述した通りである。入口サーミスタ２８７は、第１の液体熱交換器３０１の出口管６１６を流れる水であって、第３の液体熱交換器２７２に流入する直前の水の温度を検出する。第３の液体熱交換器２７２の出口管６６４には、暖房高温サーミスタ２８９が設けられている。暖房高温サーミスタ２８９は、第３の液体熱交換器２７２の出口管６６４を流れる水の温度を検出する。
【０３０５】
第３の液体熱交換器２７２の出口管６６４には、第３の液体熱交換器２７２の出口管６６４から分岐した第１の低温能力管６３２が接続されている。第１の低温能力管６３２には、低温能力切替弁２６３が設けられているとともに、第１の低温能力管６３２から分岐した第２の低温能力管６３３が接続されている。そして、第２の低温能力管６３３は、シスターン２３７に接続されている。また、第１の低温能力管６３２には、補給水電磁弁２７６が設けられている。図２２に表した矢印Ａ２１および矢印Ａ２２のように、補給水電磁弁２７６は、弁の開度を調整し、シスターン２３７に補給される水の流量を制御する。また、図２２に表した矢印Ａ２３、矢印Ａ２４および矢印Ａ２５のように、シスターン２３７から溢れた水は、給湯暖房システム２Ａの外部に排出される。なお、本実施形態に係る給湯暖房システム２Ａのシスターン２３７には、オーバーフロー弁２３９は、設けられていない。
【０３０６】
第１の液体熱交換器３０１の出口管６１６と、第１の暖房往き管６１７と、の接続部には、ヒートポンプ出口三方弁２４４Ａが設けられている。ヒートポンプ出口三方弁２４４Ａは、図２に関して前述したヒートポンプ出口三方弁２４４とは異なり、中間位置を取り得る。すなわち、ヒートポンプ出口三方弁２４４Ａは、第１の液体熱交換器３０１を流れた水が第３の液体熱交換器２７２に導かれる状態と、第１の暖房往き管６１７に導かれる状態と、第３の液体熱交換器２７２および第１の暖房往き管６１７の両方に導かれる状態と、を切り替えることができる。
【０３０７】
第１の暖房往き管６１７は、蓄熱四方弁２７９を介して、第３の液体熱交換器２７２の出口管６６４と、第２の暖房往き管６３５と、第１の暖房バイパス管６６３と、に接続されている。第３の液体熱交換器２７２の出口管６６４には、第３の液体熱交換器２７２の出口管６６４から分岐した第１の高温暖房往き管６２７が接続されている。第１の高温暖房往き管６２７は、第３の液体熱交換器２７２の出口管６６４に対する接続部と、第２の高温暖房往き管４５１に対する接続部と、の間において、第１の暖房バイパス管６６３に接続されている。
【０３０８】
第１の液体熱交換器３０１の出口管６１６には、ヒートポンプ出口三方弁２４４Ａと、入口サーミスタ２８７と、の間において、第２の暖房バイパス管６６５が接続されている。第２の暖房バイパス管６６５は、ヒートポンプ入口三方弁２４３を介して、暖房ポンプ出口管６６２と、第１の液体熱交換器３０１の入口管６１５と、に接続されている。
【０３０９】
第３の注湯管６４５は、電磁弁２８１を介して、風呂ポンプ入口管６２６と、第２の風呂戻り管６２４と、浴槽バイパス管６３１と、に接続されている。風呂ポンプ出口管６１４は、風呂熱交換器２０７Ａの第２の内管６５７を介して第２の風呂往き管６２１に接続されている。第２の風呂戻り管６２４には、風呂水流スイッチ２５３と、風呂戻りサーミスタ２５４と、水位センサ２５５と、が設けられている。風呂水流スイッチ２５３および風呂戻りサーミスタ２５４は、図２に関して前述した通りである。
【０３１０】
図２２に表した矢印Ａ３２、矢印Ａ２４および矢印Ａ２５のように、ドレンタンク２３３から溢れたドレンは、給湯暖房システム２Ａの外部に排出される。ガス湯沸かし部２０Ａの他の構造は、図２に関して前述したガス湯沸かし部２０の構造と同じである。
【０３１１】
次に、タンク部１０Ａと、ガス湯沸かし部２０Ａと、ヒートポンプ部３０と、暖房装置４０と、浴槽５０と、の相互の接続について、図面を参照して説明する。
本実施形態に係る給湯暖房システム２Ａでは、タンク部１０Ａは、ガス湯沸かし部２０Ａに対して管で接続されている。ガス湯沸かし部２０Ａは、ヒートポンプ部３０と、暖房装置４０と、浴槽５０と、に対して管で接続されている。ヒートポンプ部３０は、ガス湯沸かし部２０Ａを介して暖房装置４０に管で接続されている。一方で、暖房装置４０は、浴槽５０に対して管では接続されていない。すなわち、暖房装置４０の系統の管路および浴槽５０の系統の管路は、互いに分離されている。浴槽系統の管路は、暖房系統の管路とは別の系統として設けられている。
【０３１２】
〔ガス湯沸かし部と浴槽との接続〕
まず、ガス湯沸かし部２０Ａと、浴槽５０と、の接続について説明する。ここで説明する管路は、ガス湯沸かし部２０Ａと浴槽５０とを接続する浴槽系統の管路の一例である。給湯熱交換器２０６Ａの出口管６０７は、給湯熱交換器２０６Ａの出口管６０７から分岐した給湯往き管６６１に接続されている。給湯往き管６６１は、湯量サーボ２２４を介して第１の注湯管６４３に接続されている。第１の注湯管６４３は、注湯電磁弁２６６と、逆止弁２６７と、逆止弁２６８と、を介して第２の注湯管６４４に接続されている。
【０３１３】
第２の注湯管６４４は、電磁弁２８１を介して、風呂ポンプ入口管６２６と、浴槽バイパス管６３１と、第２の風呂戻り管６２４と、に接続されている。風呂ポンプ入口管６２６は、風呂ポンプ２３５を介して風呂ポンプ出口管６１４に接続されている。風呂ポンプ出口管６１４は、風呂熱交換器２０７Ａの第２の内管６５７を介して第１の風呂往き管６１９に接続されている。第１の風呂往き管６１９は、循環金具（図示せず）を介して浴槽５０に接続された第２の風呂往き管６２１に接続されている。一方で、第２の風呂戻り管６２４は、循環金具（図示せず）を介して浴槽５０に接続された第１の風呂戻り管６２３に接続されている。
【０３１４】
〔ガス湯沸かし部と暖房装置との接続〕
〔ガス湯沸かし部とヒートポンプ部との接続〕
続いて、ガス湯沸かし部２０Ａと暖房装置４０との接続、およびガス湯沸かし部２０Ａとヒートポンプ部３０との接続について説明する。ここで説明する管路は、ガス湯沸かし部２０Ａと暖房装置４０とを接続する暖房系統の管路の一例である。なお、前述したように、ヒートポンプ部３０は、ガス湯沸かし部２０Ａを介して暖房装置４０に管路で接続されている。
【０３１５】
暖房ポンプ２７５には、暖房ポンプ出口管６６２が接続されている。暖房ポンプ出口管６６２は、ヒートポンプ入口三方弁２４３を介して第１の液体熱交換器３０１の入口管６１５に接続されている。第１の液体熱交換器３０１の入口管６１５は、第１の液体熱交換器３０１の内管３５２を介して第１の液体熱交換器３０１の出口管６１６に接続されている。
【０３１６】
第１の液体熱交換器３０１の出口管６１６は、第３の液体熱交換器２７２の第２の内管６５４を介して第３の液体熱交換器２７２の出口管６６４に接続されている。第３の液体熱交換器２７２の出口管６６４は、第３の液体熱交換器２７２の出口管６６４から分岐した第１の高温暖房往き管６２７に接続されている。第１の高温暖房往き管６２７は、第１の高温暖房往き管６２７から分岐した第１の暖房バイパス管６６３に接続されている。第１の暖房バイパス管６６３は、蓄熱四方弁２７９を介して第２の暖房往き管６３５に接続されている。第２の暖房往き管６３５は、低温往き熱動弁２４１を介して低温暖房往き管４５３に接続されている。低温暖房装置４０２とシスターン２３７との接続は、図２に関して前述した通りである。そして、シスターン２３７は、シスターン出口管６２９を介して暖房ポンプ２７５に接続されている。
【０３１７】
また、前述したように、第３の液体熱交換器２７２の出口管６６４は、第３の液体熱交換器２７２の出口管６６４から分岐した第１の高温暖房往き管６２７に接続されている。第１の高温暖房往き管６２７は、第２の高温暖房往き管４５１に接続されている。高温暖房装置４０１とシスターン２３７との接続は、図２に関して前述した通りである。そして、シスターン２３７は、シスターン出口管６２９を介して暖房ポンプ２７５に接続されている。
【０３１８】
あるいは、ガス湯沸かし部２０Ａは、ガス湯沸かし部２０Ａが有する第１の暖房往き管６１７を通して暖房装置４０に接続されている。すなわち、暖房ポンプ２７５と、第１の液体熱交換器３０１の出口管６１６と、の間の接続は、前述した通りである。第１の液体熱交換器３０１の出口管６１６は、ヒートポンプ出口三方弁２４４Ａを介して第１の暖房往き管６１７に接続されている。第１の暖房往き管６１７は、蓄熱四方弁２７９を介して第２の暖房往き管６３５に接続されている。第２の暖房往き管６３５は、第２の暖房往き管６３５は、低温往き熱動弁２４１を介して低温暖房往き管４５３に接続されている。低温暖房装置４０２とシスターン２３７との接続は、図２に関して前述した通りである。そして、シスターン２３７は、シスターン出口管６２９を介して暖房ポンプ２７５に接続されている。
【０３１９】
また、第１の暖房往き管６１７は、蓄熱四方弁２７９を介して第３の液体熱交換器２７２の出口管６６４に接続されている。前述したように、第３の液体熱交換器２７２の出口管６６４から分岐した第１の高温暖房往き管６２７に接続されている。第１の高温暖房往き管６２７は、第２の高温暖房往き管４５１に接続されている。高温暖房装置４０１とシスターン２３７との接続は、図２に関して前述した通りである。そして、シスターン２３７は、シスターン出口管６２９を介して暖房ポンプ２７５に接続されている。
【０３２０】
〔タンク部とガス湯沸かし部との接続〕
続いて、タンク部１０Ａと、ガス湯沸かし部２０Ａと、の接続について説明する。ここで説明する管路は、タンク部１０Ａとガス湯沸かし部２０Ａとを接続するタンク系統の管路の一例である。タンク部１０Ａは、ガス湯沸かし部２０Ａの燃焼装置２０１に対して管路で接続されている。すなわち、タンク部１０Ａの混合水導入管１５４は、給湯潜熱熱交換器２０５の入口管６０４に接続されている。なお、給湯潜熱熱交換器２０５の入口管６０４は、タンク部１０Ａの混合水導入管１５４と同じ管であってもよいし、タンク部１０Ａの混合水導入管１５４とは別の管であってもよい。つまり、タンク部１０Ａの混合水導入管１５４を流れる水が、給湯潜熱熱交換器２０５の入口管６０４に導かれればよい。
【０３２１】
給湯潜熱熱交換器２０５の入口管６０４は、給湯潜熱熱交換器２０５の出口管６０５に接続されている。給湯潜熱熱交換器２０５の出口管６０５には、給湯潜熱熱交換器２０５の出口管６０５から分岐した給湯熱交換器２０６Ａの入口管６０６が接続されている。給湯熱交換器２０６Ａの入口管６０６は、給湯熱交換器２０６Ａの出口管６０７に接続されている。
【０３２２】
また、タンク部１０Ａは、ガス湯沸かし部２０Ａの液体熱交換器２７２および風呂熱交換器２０７Ａに対して管路で接続されている。すなわち、タンク１０１の下部に接続された給水管１５１は、回収切替四方弁２８５を介して、第１の給水接続管６６７に接続されている。第１の給水接続管６６７は、第３の液体熱交換器２７２の第１の内管６５２を介して中間配管６５３に接続されている。中間配管６５３は、風呂熱交換器２０７Ａの第１の内管６５６を介して風呂熱交換器２０７Ａの接続管６５５に接続されている。
【０３２３】
風呂熱交換器２０７Ａの接続管６５５は、風呂熱交換器２０７Ａの接続管６５５から分岐した第２の給水接続管６６８に接続されている。第２の給水接続管６６８は、回収切替四方弁２８５を介して第２の回収ポンプ入口管６６６に接続されている。第２の回収ポンプ入口管６６６は、第１の回収三方弁２８２を介して第１の回収ポンプ入口管６５８に接続されている。第１の回収ポンプ入口管６５８は、回収ポンプ２３６を介して回収ポンプ出口管６５９に接続されている。そして、回収ポンプ出口管６５９は、タンク１０１の上部に接続されている。
【０３２４】
あるいは、中間配管６５３には、中間配管６５３から分岐した第１の回収ポンプ入口管６５８が接続されている。第１の回収ポンプ入口管６５８は、回収ポンプ２３６を介して回収ポンプ出口管６５９に接続されている。そして、回収ポンプ出口管６５９は、タンク１０１の上部に接続されている。
【０３２５】
〔タンク部とヒートポンプ部との接続〕
続いて、タンク部１０Ａと、ヒートポンプ部３０と、の接続について説明する。ここで説明する管路は、タンク部１０Ａとヒートポンプ部３０とを接続するタンク系統の管路の一例である。タンク部１０Ａと、液体熱交換器２７２および風呂熱交換器２０７Ａと、の接続に関して前述したように、タンク１０１の下部に接続された給水管１５１は、回収切替四方弁２８５を介して、第１の給水接続管６６７に接続されている。第１の給水接続管６６７は、第３の液体熱交換器２７２の第１の内管６５２を介して中間配管６５３に接続されている。第１の回収ポンプ入口管６５８は、回収ポンプ２３６を介して回収ポンプ出口管６５９に接続されている。
【０３２６】
図２２に表した矢印Ａ２８および矢印Ａ２９に表したように、回収ポンプ出口管６５９は、第２の回収三方弁２８３を介して第２の液体熱交換器３０２の入口管３５６に接続されている。第２の液体熱交換器３０２の入口管３５６は、第２の液体熱交換器３０２の内管３５３を介して第２の液体熱交換器３０２の出口管３５５に接続されている。図２２に表した矢印Ａ３０および矢印Ａ３１に表したように、第２の液体熱交換器３０２の出口管３５５は、第３の回収三方弁２８４を介して回収ポンプ出口管６５９に接続されている。そして、回収ポンプ出口管６５９は、タンク１０１の上部に接続されている。
【０３２７】
次に、本実施形態に係る給湯暖房システム２Ａの基本動作について、図面を参照して説明する。
【０３２８】
〔給水予熱動作〕
図２３は、本実施形態に係る給湯暖房システムの給水予熱動作を説明する図である。
図３に関して前述したように、給水予熱動作は、ヒートポンプ部３０において生成された熱により、タンク１０１の内部に貯留された水を加熱する動作である。図２３に表した塗りつぶし部分は、給水予熱動作において水が流れる管路を表している。制御装置７０が給水予熱動作の制御を実行すると、回収ポンプ２３６および暖房ポンプ２７５が駆動する。また、ヒートポンプ部３０の圧縮機３０４は、四方切替弁３０７を介して第１の液体熱交換器３０１に熱媒体を供給する。そのため、給水予熱動作において、第１の液体熱交換器３０１は、暖房機として機能する。一方で、給水予熱動作において、第２の液体熱交換器３０２は、冷房機として機能する。
【０３２９】
図２３に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１の入口管６１５を介して第１の液体熱交換器３０１の内管３５２に導かれる。第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。
【０３３０】
第１の液体熱交換器３０１から流出した水は、第１の液体熱交換器３０１の出口管６１６を流れ、第３の液体熱交換器２７２の第２の内管６５４に導かれる。第３の液体熱交換器２７２の第２の内管６５４を流れる水は、第３の液体熱交換器２７２の出口管６６４と、第１の低温能力管６３２と、第２の低温能力管６３３と、を流れ、シスターン２３７に導かれる。
【０３３１】
一方で、図２３に表した矢印Ａ３４のように、回収ポンプ２３６が駆動すると、タンク１０１の内部の水は、タンク１０１の下部に接続された給水管１５１を流れ、回収切替四方弁２８５および給水切替三方弁２７７を介して第３の液体熱交換器２７２の接続管６５１に導かれる。第３の液体熱交換器２７２の接続管６５１を流れる水は、第３の液体熱交換器２７２の第１の内管６５２に導かれる。
【０３３２】
このとき、第３の液体熱交換器２７２の第１の内管６５２を流れる水の温度は、例えば約１５℃程度である。そして、第３の液体熱交換器２７２の第１の内管６５２を流れる水は、第３の液体熱交換器２７２の第２の内管６５４を流れる水により加熱される。第３の液体熱交換器２７２において加熱され、第３の液体熱交換器２７２から流出して中間配管６５３を流れる水の温度は、例えば約４５℃程度である。一方で、第３の液体熱交換器２７２から流出して第３の液体熱交換器２７２の出口管６６４を流れる水の温度は、例えば約１５℃程度である。
【０３３３】
中間配管６５３を流れる水は、第１の回収ポンプ入口管６５８を流れ、回収ポンプ２３６により回収ポンプ出口管６５９に送り出される。回収ポンプ出口管６５９を流れる水は、タンク１０１の内部に導かれる。これにより、タンク１０１内の上部には、高温（例えば約４５℃程度）の水の層が形成される。タンク１０１内の下部には、低温（例えば約１５℃程度）の水の層が形成される。
【０３３４】
〔給湯動作・蓄熱利用給湯動作〕
図２４は、本実施形態に係る給湯暖房システムの給湯動作および蓄熱利用給湯動作を説明する図である。
図４に関して前述したように、給湯動作は、水供給源（例えば水道）から供給された水を加熱し、給湯栓に供給する動作である。蓄熱利用給湯動作は、タンク１０１の内部に貯留された水であってタンク１０１の内部で加熱された水を給湯栓に供給する動作である。図２４に表した塗りつぶし部分は、給湯動作および蓄熱利用給湯動作において水が流れる管路を表している。
【０３３５】
給湯栓が開かれると、制御装置７０は、水制御弁１１４および湯制御弁１１７の少なくともいずれかを開く。そうすると、水供給源から供給される水の圧力によって、水が混合水導入管１５４を流れ、ガス湯沸かし部２０Ａに供給される。水供給源から供給される水の温度は、例えば約１５℃程度である。
【０３３６】
ガス湯沸かし部２０Ａに供給される水の温度（混合サーミスタ１２１の検出温度）が給湯設定温度よりも低い場合には、制御装置７０は、給湯動作の制御を実行し、燃焼装置２０１を作動させる。すなわち、燃焼装置２０１の内部を流れる水は、第１のバーナ２０３および第２のバーナ２０４の少なくともいずれかにより加熱される。給湯潜熱熱交換器２０５において加熱された水の温度は、例えば約３０℃程度である。給湯熱交換器２０６Ａにおいて加熱された水の温度は、例えば約７０℃程度である。
【０３３７】
加熱された水（湯）は、給湯熱交換器２０６Ａの出口管６０７および給湯往き管６６１を通り、バイパスサーボ２２２により給湯バイパス管６１１に導かれた水と混合し、湯量サーボ２２４を介して給湯栓に供給される。給湯栓に導かれる水の温度は、例えば約４２℃程度である。制御装置７０は、給湯栓に供給される水の温度が、給湯設定温度と一致するように、第１のバーナ２０３および第２のバーナ２０４の出力を制御する。
【０３３８】
タンク１０１に貯留された水の温度（タンク内サーミスタ１１３の検出温度）が給湯設定温度よりも高い場合には、制御装置７０は、蓄熱利用給湯動作の制御を実行し、水制御弁１１４および湯制御弁１１７のそれぞれの開度を調整する。このとき、タンク１０１に貯留された水の温度は、例えば通常約４５℃、最大６０℃程度である。
【０３３９】
水導入管１５２を流れた水と、湯導入管１５３を流れた水と、は混合水導入管１５４で混合水として合流し、燃焼装置２０１を介して給湯栓に供給される。このとき、燃焼装置２０１は、燃焼動作を行わない。つまり、燃焼装置２０１を流れる水は、第１のバーナ２０３および第２のバーナ２０４によっては加熱されない。混合水導入管１５４を流れる水および給湯栓に供給される水の温度は、例えば約４２℃程度である。このように、制御装置７０は、給湯栓に供給される水の温度が、給湯設定温度と一致するように、水制御弁１１４および湯制御弁１１７のそれぞれの開度を制御する。蓄熱利用給湯動作において水が流れる管路は、給湯動作において水が流れる管路と同じである。
【０３４０】
〔ドレン排水動作〕
図２５および図２６は、本実施形態に係る給湯暖房システムのドレン排出動作を説明する図である。
図５および図６に関して前述したように、ドレン排出動作は、ドレンタンク２３３に貯留されたドレンを排出するとともに、管路の洗浄を行う動作である。図２５に表した塗りつぶし部分は、ドレンタンク２３３に貯留されたドレンを排出する動作において水が流れる管路を表している。図２６に表した塗りつぶし部分は、管路の洗浄を行う動作において水が流れる管路を表している。
【０３４１】
使用者が自動ボタン（図示せず）を押すと、制御装置７０は、ドレンタンク２３３に溜まったドレンを排出する動作（ドレン排出動作）の制御を実行した後に、湯張り動作の制御を実行する。これは、図５および図６に関して前述した通りである。
【０３４２】
制御装置７０がドレン排出動作の制御を実行すると、風呂ポンプ２３５が駆動する。そうすると、図２５に表した矢印Ａ９のように、ドレンタンク２３３に貯留されたドレン（水）は、第１のドレンタンク出口管６４１を流れ、第２のドレン切替三方弁２５２を介して第３の注湯管６４５に導かれる。第３の注湯管６４５を流れるドレンは、電磁弁２８１を介して風呂ポンプ入口管６２６に導かれる。
【０３４３】
風呂ポンプ入口管６２６を流れるドレンは、風呂ポンプ２３５により風呂ポンプ出口管６１４に送り出される。続いて、風呂ポンプ出口管６１４を流れるドレンは、風呂熱交換器２０７Ａの第２の内管６５７を通り、第１の風呂往き管６１９に導かれる。第１の風呂往き管６１９を流れるドレンは、第１のドレン切替三方弁２４７を介して排出される。
【０３４４】
続いて、図２６に表したように、制御装置７０は、洗浄動作の制御を実行し、水制御弁１１４を開く。そうすると、水供給源から供給される水の圧力によって、水が水導入管１５２および混合水導入管１５４を流れ、ガス湯沸かし部２０Ａに供給される。ガス湯沸かし部２０Ａに供給された水は、給湯潜熱熱交換器２０５および給湯熱交換器２０６Ａを流れ、給湯往き管６６１に導かれる。給湯往き管６６１を流れる水は、湯量サーボ２２４を介して、第１の注湯管６４３と、第２の注湯管６４４と、第３の注湯管６４５と、を流れる。第３の注湯管６４５を流れる水は、ドレン排出動作に関して前述した管路と同じ管路を流れ、第１のドレン切替三方弁２４７を介して排出される。
【０３４５】
〔第１の湯張り動作・蓄熱湯張り動作〕
図２７は、本実施形態に係る給湯暖房システムの第１の湯張り動作および蓄熱湯張り動作を説明する図である。
第１の湯張り動作は、水供給源（例えば水道）から供給された水を加熱し、浴槽５０に供給する動作である。蓄熱湯張り動作は、タンク１０１の内部に貯留された水であって第３の液体熱交換器２７２で加熱された水を浴槽５０に供給する動作である。図２７に表した塗りつぶし部分は、第１の湯張り動作および蓄熱湯張り動作において水が流れる管路を表している。
【０３４６】
使用者が自動ボタン（図示せず）を押すと、制御装置７０は、図２６に関して前述したドレン排出動作の制御を実行した後に、第１の湯張り動作または蓄熱湯張り動作の制御を実行する。第１の湯張り動作および蓄熱湯張り動作において、制御装置７０は、水制御弁１１４および湯制御弁１１７の少なくともいずれかを開く。そうすると、水供給源から供給される水の圧力によって、水が混合水導入管１５４を流れ、ガス湯沸かし部２０Ａに供給される。水供給源から供給される水の温度は、例えば約１５℃程度である。
【０３４７】
ガス湯沸かし部２０Ａに供給される水の温度（混合サーミスタ１２１の検出温度）が湯張り設定温度よりも低い場合には、制御装置７０は、第１の湯張り動作の制御を実行し、燃焼装置２０１を作動させる。燃焼装置２０１において加熱された水（湯）は、給湯熱交換器２０６Ａの出口管６０７を通り、湯量サーボ２２４に導かれる。これは、図２４に関して前述した通りである。給湯潜熱熱交換器２０５において加熱された水の温度は、例えば約３０℃程度である。給湯熱交換器２０６Ａにおいて加熱された水の温度は、例えば約７０℃程度である。
【０３４８】
湯量サーボ２２４に導かれた水は、バイパスサーボ２２２により給湯バイパス管６１１に導かれた水と混合し、第１の注湯管６４３を流れ、注湯電磁弁２６６と、逆止弁２６７と、逆止弁２６８と、を介して第２の注湯管６４４に導かれる。第２の注湯管６４４に導かれた水は、第２のドレン切替三方弁２５２を介して第３の注湯管６４５に導かれる。第３の注湯管６４５を流れる水は、電磁弁２８１を介して、風呂ポンプ入口管６２６と、浴槽バイパス管６３１と、第２の風呂戻り管６２４と、に導かれる。
【０３４９】
風呂ポンプ入口管６２６を流れる水は、風呂ポンプ２３５により風呂ポンプ出口管６１４に送り出される。続いて、風呂ポンプ出口管６１４を流れる水は、風呂熱交換器２０７Ａの第２の内管６５７を通り、第１の風呂往き管６１９に導かれる。第１の風呂往き管６１９を流れる水は、第２の風呂往き管６２１を流れ、循環金具（図示せず）を介して浴槽５０に供給される。一方で、第２の風呂戻り管６２４を流れる水は、浴槽バイパス管６３１を流れる水と合流し、第１の風呂戻り管６２３を流れ、循環金具（図示せず）を介して浴槽５０に供給される。つまり、第１の湯張り動作において、燃焼装置２０１において加熱された水（湯）は、風呂往き管６１９、６２１および風呂戻り管６２３、６２４の両方を用いて浴槽５０に供給される。
【０３５０】
浴槽５０に導かれる水の温度は、例えば約４２℃程度である。制御装置７０は、浴槽５０に供給される水の温度が、湯張り設定温度と一致するように、第１のバーナ２０３および第２のバーナ２０４の出力を制御する。
【０３５１】
タンク１０１に貯留された水の温度（タンク内サーミスタ１１３の検出温度）が湯張り設定温度よりも高い場合には、制御装置７０は、蓄熱湯張り動作の制御を実行し、水制御弁１１４および湯制御弁１１７のそれぞれの開度を調整する。このとき、タンク１０１に貯留された水の温度は、例えば約４０℃〜６０℃程度である。
【０３５２】
水導入管１５２を流れた水と、湯導入管１５３を流れた水と、は混合水導入管１５４で混合水として合流し、燃焼装置２０１を介して湯量サーボ２２４に導かれる。このとき、燃焼装置２０１は、燃焼動作を行わない。つまり、燃焼装置２０１を流れる水は、第１のバーナ２０３および第２のバーナ２０４によっては加熱されない。制御装置７０は、浴槽５０に供給される水の温度が、湯張り設定温度と一致するように、水制御弁１１４および湯制御弁１１７のそれぞれの開度を制御する。蓄熱湯張り動作において水が流れる管路は、第１の湯張り動作において水が流れる管路と同じである。なお、蓄熱湯張り動作においては、混合水導入管１５４を流れる水は、給湯バイパス管６１１に導かれなくともよい。この場合には、例えば約４０℃〜６０℃程度の水がタンク１０１内から無くなり、例えば約１５℃程度の水が燃焼装置２０１において加熱されないまま浴槽５０に導かれることを抑えることができる。これにより、意図しない追い焚き動作が実行されることを抑えることができる。
【０３５３】
そして、制御装置７０は、浴槽５０の内部の水位が循環金具（図示せず）よりも上になると第１の湯張り動作および蓄熱湯張り動作を一時中断し、浴槽５０の内部の水位を確認する。続いて、制御装置７０は、浴槽５０の内部の水位が設定水位になるまで第１の湯張り動作または蓄熱湯張り動作の制御を実行する。
【０３５４】
〔第２の湯張り動作・蓄熱湯張り動作〕
図２８は、本実施形態に係る給湯暖房システムの第２の湯張り動作および蓄熱湯張り動作を説明する図である。
図２８を参照して説明する第２の湯張り動作は、ガス湯沸かし部２０Ａおよびヒートポンプ部３０を用いて、水供給源（例えば水道）から供給された水を加熱し、浴槽５０に供給する動作である。蓄熱湯張り動作は、タンク１０１の内部に貯留された水であって第３の液体熱交換器２７２で加熱された水を浴槽５０に供給する動作である。図８に関して前述したように、例えばタンク１０１に湯が貯留されていない状態で、夏場などにおいて湯張り設定温度が４０℃以下である場合には、ヒートポンプ部３０を用いることで高い効率の湯張り動作を実現することができる。図２８に表した塗りつぶし部分は、第２の湯張り動作および蓄熱湯張り動作において水が流れる管路を表している。
【０３５５】
使用者が湯張り設定温度を４０℃以下に設定し自動ボタン（図示せず）を押すと、制御装置７０は、ガス湯沸かし部２０Ａおよびヒートポンプ部３０を用いた第２の湯張り動作の制御を実行する。そうすると、回収ポンプ２３６および暖房ポンプ２７５が駆動する。また、制御装置７０は、湯制御弁１１７を開く。さらに、ヒートポンプ部３０の圧縮機３０４は、四方切替弁３０７を介して第１の液体熱交換器３０１に熱媒体を供給する。そのため、第２の湯張り動作において、第１の液体熱交換器３０１は、暖房機として機能する。一方で、第２の湯張り動作において、第２の液体熱交換器３０２は、冷房機として機能する。
【０３５６】
図２８に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１および第３の液体熱交換器２７２を通り、シスターン２３７に導かれる。これは、図２３に関して前述した通りである。このとき、第１の液体熱交換器３０１から流出し第１の液体熱交換器３０１の出口管６１６を流れる水の温度は、例えば約４５℃程度である。
【０３５７】
一方で、図２８に表した矢印Ａ３４のように、回収ポンプ２３６が駆動し、湯制御弁１１７が開くと、水供給源から供給される水の圧力によって、水が給水管１５１を流れ、タンク１０１の下部を通過する。タンク１０１の下部を通過した水は、給水管１５１を引き続き流れ、回収切替四方弁２８５および給水切替三方弁２７７を介して第３の液体熱交換器２７２の接続管６５１に導かれる。第３の液体熱交換器２７２の接続管６５１を流れる水は、第３の液体熱交換器２７２の第１の内管６５２を流れる。
【０３５８】
このとき、第３の液体熱交換器２７２の第１の内管６５２を流れる水の温度は、例えば約１５℃程度である。そして、第３の液体熱交換器２７２の第１の内管６５２を流れる水は、第３の液体熱交換器２７２の第２の内管６５４を流れる水により加熱される。第３の液体熱交換器２７２において加熱され、第３の液体熱交換器２７２から流出して中間配管６５３を流れる水の温度は、例えば約３０℃程度である。一方で、第３の液体熱交換器２７２から流出して第３の液体熱交換器２７２の出口管６６４を流れる水の温度は、例えば約１５℃程度である。
【０３５９】
中間配管６５３を流れる水は、第１の回収ポンプ入口管６５８を流れ、回収ポンプ２３６により回収ポンプ出口管６５９に送り出される。回収ポンプ出口管６５９を流れる水は、タンク１０１の内部に導かれる。これにより、タンク１０１内の上部には、例えば約３０℃程度の水の層が形成される。
【０３６０】
図２８に表した矢印Ａ３５のように、湯制御弁１１７が開いているため、タンク１０１内の上部に形成された層の水（例えば約３０℃程度の水）は、混合水導入管１５４を流れ、ガス湯沸かし部２０Ａに供給される。ガス湯沸かし部２０Ａに供給された水は、燃焼装置２０１の内部を流れ、第１のバーナ２０３および第２のバーナ２０４の少なくともいずれかにより加熱される。給湯潜熱熱交換器２０５において加熱された水の温度は、例えば約３０℃程度である。給湯熱交換器２０６Ａにおいて加熱された水の温度は、例えば約６０℃程度である。
【０３６１】
続いて、燃焼装置２０１において加熱された水（湯）は、給湯熱交換器２０６Ａの出口管６０７を流れ、図２７に関して前述した管路と同じ管路を介して浴槽５０に供給される。浴槽５０に導かれる水の温度は、例えば約４５℃程度である。
【０３６２】
あるいは、図２８を参照して説明した第２の湯張り動作において、タンク１０１の内部に貯留された水であって第３の液体熱交換器２７２で加熱された水は、燃焼装置２０１で加熱されることなく浴槽５０に供給されてもよい。つまり、制御装置７０は、蓄熱湯張り動作の制御を実行してもよい。このとき、タンク１０１内の上部には、例えば約４５℃程度の水の層が形成されている。
【０３６３】
すなわち、使用者が湯張り設定温度を４０℃以下に設定し自動ボタン（図示せず）を押すと、制御装置７０は、回収ポンプ２３６および暖房ポンプ２７５を駆動させる。このとき、回収ポンプ２３６の回転数は、前述した第２の湯張り動作における回収ポンプ２３６の回転数よりも低い。また、暖房ポンプ２７５が駆動したときの水の流れは、前述した通りである。
【０３６４】
前述したように、回収ポンプ２３６が駆動し、湯制御弁１１７が開くと、例えば約１５℃程度の水が、第３の液体熱交換器２７２の第１の内管６５２を流れる。そして、第３の液体熱交換器２７２の第１の内管６５２を流れる水は、第３の液体熱交換器２７２の第２の内管６５４を流れる水により加熱される。第３の液体熱交換器２７２において加熱され、第３の液体熱交換器２７２から流出して中間配管６５３を流れる水の温度は、例えば約４５℃程度である。
【０３６５】
中間配管６５３を流れる水は、第１の回収ポンプ入口管６５８および回収ポンプ出口管６５９を流れ、タンク１０１の内部に導かれる。タンク１０１の内部に導かれる水の温度は、例えば約４５℃程度である。タンク１０１内の上部に形成された層の水（例えば約４５℃程度の水）は、前述した管路を流れ、燃焼装置２０１で加熱されることなく浴槽５０に供給される。なお、蓄熱湯張り動作においては、混合水導入管１５４を流れる水は、給湯バイパス管６１１に導かれなくともよい。この場合には、例えば約４５℃程度の水がタンク１０１内から無くなり、例えば約１５℃程度の水が燃焼装置２０１において加熱されないまま浴槽５０に導かれることを抑えることができる。これにより、意図しない追い焚き動作が実行されることを抑えることができる。
【０３６６】
〔第１の追い焚き動作〕
図２９は、本実施形態に係る給湯暖房システムの第１の追い焚き動作を説明する図である。
第１の追い焚き動作は、浴槽５０の内部の水を循環させて加熱し、加熱された水を浴槽５０に戻す動作である。図２９に表した塗りつぶし部分は、第１の追い焚き動作において水が流れる管路を表している。
【０３６７】
使用者が自動ボタン（図示せず）を押し、図２７に関して前述した第１の湯張り動作および図２８に関して前述した第２の湯張り動作が完了すると、制御装置７０は、浴槽５０の内部の水位を確認し、浴槽５０の内部の水の温度が設定温度と一致するように第１の追い焚き動作の制御を実行する。あるいは、使用者が追い焚きボタン（図示せず）を押すと、制御装置７０は、浴槽５０の内部の水の温度が設定温度と一致するように第１の追い焚き動作の制御を実行する。
【０３６８】
制御装置７０が第１の追い焚き動作の制御を実行すると、風呂ポンプ２３５および回収ポンプ２３６が駆動する。また、制御装置７０は、湯制御弁１１７を開く。
【０３６９】
図２９に表した矢印Ａ３６のように、回収ポンプ２３６が駆動すると、第１の回収ポンプ入口管６５８を流れる水は、回収ポンプ２３６により回収ポンプ出口管６５９に送り出される。回収ポンプ出口管６５９を流れる水は、タンク１０１の内部に導かれる。タンク１０１の内部に導かれる水の温度は、例えば約４５℃程度である。
【０３７０】
図２９に表した矢印Ａ３５のように、湯制御弁１１７が開いているため、タンク１０１内の上部に形成された層の水（例えば約４５℃程度の水）は、混合水導入管１５４を流れ、ガス湯沸かし部２０Ａに供給される。ガス湯沸かし部２０Ａに供給された水は、燃焼装置２０１の内部を流れ、第１のバーナ２０３および第２のバーナ２０４の少なくともいずれかにより加熱される。給湯潜熱熱交換器２０５において加熱された水の温度は、例えば約４５℃程度である。給湯熱交換器２０６Ａにおいて加熱された水の温度は、例えば約８０℃程度である。
【０３７１】
続いて、燃焼装置２０１において加熱された水（湯）は、給湯熱交換器２０６Ａの出口管６０７を流れ、給湯熱交換器２０６Ａの出口管６０７から分岐した風呂熱交換器２０７Ａの接続管６５５に導かれる。図２９に表した矢印Ａ３８のように、風呂熱交換器２０７Ａの接続管６５５を流れる水は、風呂熱交換器２０７Ａの第１の内管６５６に導かれる。風呂熱交換器２０７Ａの第１の内管６５６を流れる水の温度は、例えば約８０℃程度である。風呂熱交換器２０７Ａの第１の内管６５６を流れる水は、中間配管６５３を流れ、第１の回収ポンプ入口管６５８に導かれる。
【０３７２】
一方で、図２９に表した矢印Ａ３７のように、風呂ポンプ２３５が駆動すると、浴槽５０の内部の水は、第１の風呂戻り管６２３と、第２の風呂戻り管６２４と、風呂ポンプ入口管６２６を流れ、風呂ポンプ２３５により風呂ポンプ出口管６１４に送り出される。風呂ポンプ出口管６１４を流れる水は、風呂熱交換器２０７Ａの第２の内管６５７に導かれる。
【０３７３】
このとき、風呂熱交換器２０７Ａの第２の内管６５７を流れる水の温度は、例えば約３０℃程度である。風呂熱交換器２０７Ａの第２の内管６５７を流れる水は、風呂熱交換器２０７Ａの第１の内管６５６を流れる水により加熱される。風呂熱交換器２０７Ａにおいて加熱され、風呂熱交換器２０７Ａから流出して第１の風呂往き管６１９を流れる水の温度は、例えば約６０℃程度である。一方で、風呂熱交換器２０７Ａから流出して中間配管６５３を流れる水の温度は、例えば約４５℃程度である。第１の風呂往き管６１９を流れる水は、第２の風呂往き管６２１を流れ、循環金具（図示せず）を介して浴槽５０に供給される。
【０３７４】
〔第２の追い焚き動作〕
図３０は、本実施形態に係る給湯暖房システムの第２の追い焚き動作を説明する図である。
図２９に関して前述した第１の追い焚き動作では、ガス湯沸かし部２０Ａを用いて浴槽５０から導かれた水を加熱する一方で、図３０を参照して説明する第２の追い焚き動作では、ガス湯沸かし部２０Ａおよびヒートポンプ部３０を用いて浴槽５０から導かれた水を加熱する。図３０に表した塗りつぶし部分は、第２の追い焚き動作において水が流れる管路を表している。
【０３７５】
例えば、浴槽５０の内部に水が残っている状態で使用者が追い焚きボタン（図示せず）を押し、水の温度が比較的低い場合には、制御装置７０は、浴槽５０の内部の水の温度が設定温度と一致するように第２の追い焚き動作の制御を実行する。
【０３７６】
制御装置７０が第２の追い焚き動作の制御を実行すると、風呂ポンプ２３５および回収ポンプ２３６が駆動する。また、制御装置７０は、湯制御弁１１７を開く。さらに、ヒートポンプ部３０の圧縮機３０４は、四方切替弁３０７を介して第１の液体熱交換器３０１に熱媒体を供給する。そのため、第２の追い焚き動作において、第１の液体熱交換器３０１は、暖房機として機能する。一方で、第２の追い焚き動作において、第２の液体熱交換器３０２は、冷房機として機能する。
【０３７７】
図３０に表した矢印Ａ３６のように、回収ポンプ２３６が駆動すると、水が、回収ポンプ２３６により回収ポンプ出口管６５９に送り出される。そして、回収ポンプ出口管６５９を流れる水は、タンク１０１の内部に導かれ、燃焼装置２０１の内部に導かれて加熱され、風呂熱交換器２０７Ａの第１の内管６５６を流れる。これは、図２９に関して前述した第１の追い焚き動作における水の流れと同じである。給湯熱交換器２０６Ａにおいて加熱された水の温度は、例えば約８０℃程度である。また、風呂熱交換器２０７Ａの第１の内管６５６を流れる水の温度は、例えば約８０℃程度である。
【０３７８】
このとき、図２９に関して前述した第１の追い焚き動作と同様に、風呂熱交換器２０７Ａの第２の内管６５７を流れる水は、風呂熱交換器２０７Ａの第１の内管６５６を流れる水により加熱される。風呂熱交換器２０７Ａにおいて加熱され、風呂熱交換器２０７Ａから流出して第１の風呂往き管６１９を流れる水の温度は、例えば約６０℃程度である。一方で、風呂熱交換器２０７Ａから流出して中間配管６５３を流れる水の温度は、例えば約４５℃程度である。第１の風呂往き管６１９を流れる水は、第２の風呂往き管６２１を流れ、循環金具（図示せず）を介して浴槽５０に供給される。
【０３７９】
風呂熱交換器２０７Ａの第１の内管６５６から流出した水は、中間配管６５３を流れ、第３の液体熱交換器２７２の第１の内管６５２に導かれる。このとき、第３の液体熱交換器２７２の第１の内管６５２を流れる水は、第３の液体熱交換器２７２の第２の内管６５４を流れる水により加熱される。
【０３８０】
すなわち、図３０に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１および第３の液体熱交換器２７２を通り、シスターン２３７に導かれる。これは、図２３に関して前述した通りである。このとき、第１の液体熱交換器３０１から流出し第１の液体熱交換器３０１の出口管６１６を介して第３の液体熱交換器２７２の第２の内管６５４を流れる水の温度は、例えば約６０℃程度である。一方で、第３の液体熱交換器２７２の第１の内管６５２を流れる水の温度は、例えば約４５℃程度である。これにより、第３の液体熱交換器２７２の第１の内管６５２を流れる水は、第３の液体熱交換器２７２の第２の内管６５４を流れる水により加熱される。
【０３８１】
第３の液体熱交換器２７２から流出して第３の液体熱交換器２７２の接続管６５１を流れる水の温度は、例えば約６０℃程度である。一方で、第３の液体熱交換器２７２から流出して第３の液体熱交換器２７２の出口管６６４を流れる水の温度は、例えば約４５℃程度である。
【０３８２】
図３０に表した矢印Ａ３９のように、第３の液体熱交換器２７２の接続管６５１を流れる水は、給水切替三方弁２７７を介して第１の給水接続管６６７に導かれる。図３０に表した矢印Ａ２６および矢印Ａ２７に表したように、第１の給水接続管６６７を流れる水は、回収切替四方弁２８５を介して第２の回収ポンプ入口管６６６に導かれる。図３０に表した矢印Ａ３６のように、第２の回収ポンプ入口管６６６を流れる水は、第１の回収三方弁２８２を介して第１の回収ポンプ入口管６５８に導かれ、回収ポンプ２３６により回収ポンプ出口管６５９に送り出される。回収ポンプ出口管６５９を流れる水は、タンク１０１の内部に導かれる。タンク１０１の内部に導かれる水の温度は、例えば約６０℃程度である。
【０３８３】
〔第３の追い焚き動作〕
図３１は、本実施形態に係る給湯暖房システムの第３の追い焚き動作を説明する図である。
図３１を参照して説明する第３の追い焚き動作では、ヒートポンプ部３０を用いて浴槽５０から導かれた水を加熱する。図３１に表した塗りつぶし部分は、第３の追い焚き動作において水が流れる管路を表している。
【０３８４】
使用者が自動ボタン（図示せず）を押し、図２７に関して前述した第１の湯張り動作および図２８に関して前述した第２の湯張り動作が完了すると、制御装置７０は、浴槽５０の内部の水の温度を約３０分毎に確認する。浴槽５０の内部の水の温度と、設定温度と、の差が０．５℃以上である場合には、制御装置７０は、浴槽５０の内部の水の温度が設定温度と一致するように第３の追い焚き動作の制御を実行する。図３１を参照して説明する第３の追い焚き動作は、いわゆる自動運転中の保温動作である。
【０３８５】
例えば、制御装置７０は、水位センサ２５５の検出水位に基づいて使用者が浴槽５０に入ったことを検知すると、ヒートポンプ部３０の運転を開始し、浴槽５０の内部の水の温度低下の程度を確認する。そして、例えば夏場のように温度低下の程度が小さい場合には、制御装置７０は、図３１を参照して説明する第３の追い焚き動作の制御を実行する。一方で、例えば冬場のように温度低下の程度が大きい場合には、制御装置７０は、図３０に関して前述した第２の追い焚き動作の制御を実行する。
【０３８６】
制御装置７０が第３の追い焚き動作を実行すると、風呂ポンプ２３５と、回収ポンプ２３６と、暖房ポンプ２７５と、が駆動する。また、ヒートポンプ部３０の圧縮機３０４は、四方切替弁３０７を介して第１の液体熱交換器３０１に熱媒体を供給する。そのため、第３の追い焚き動作において、第１の液体熱交換器３０１は、暖房機として機能する。一方で、第３の追い焚き動作において、第２の液体熱交換器３０２は、冷房機として機能する。
【０３８７】
図３１に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１および第３の液体熱交換器２７２を通り、シスターン２３７に導かれる。これは、図２３に関して前述した通りである。このとき、第１の液体熱交換器３０１から流出し第１の液体熱交換器３０１の出口管６１６を流れる水の温度は、例えば約４５℃程度である。
【０３８８】
図３１に表した矢印Ａ３４のように、回収ポンプ２３６が駆動すると、タンク１０１の内部の水は、タンク１０１の下部に接続された給水管１５１を流れ、回収切替四方弁２８５および給水切替三方弁２７７を介して第３の液体熱交換器２７２の接続管６５１に導かれる。図３１に表した矢印Ａ４０のように、第３の液体熱交換器２７２の接続管６５１を流れる水は、第３の液体熱交換器２７２の第１の内管６５２に導かれる。
【０３８９】
このとき、第３の液体熱交換器２７２の第１の内管６５２を流れる水の温度は、例えば約１５℃程度である。そして、第３の液体熱交換器２７２の第１の内管６５２を流れる水は、第３の液体熱交換器２７２の第２の内管６５４を流れる水により加熱される。第３の液体熱交換器２７２において加熱され、第３の液体熱交換器２７２から流出して中間配管６５３を流れる水の温度は、例えば約４５℃程度である。一方で、第３の液体熱交換器２７２から流出して第３の液体熱交換器２７２の出口管６６４を流れる水の温度は、例えば約１５℃程度である。
【０３９０】
中間配管６５３を流れる水は、風呂熱交換器２０７Ａの第１の内管６５６に導かれる。このとき、風呂熱交換器２０７Ａの第２の内管６５７を流れる水は、風呂熱交換器２０７Ａの第１の内管６５６を流れる水により加熱される。
【０３９１】
すなわち、図３１に表した矢印Ａ３７のように、風呂ポンプ２３５が駆動すると、浴槽５０の内部の水は、第１の風呂戻り管６２３と、第２の風呂戻り管６２４と、風呂ポンプ入口管６２６を流れ、風呂ポンプ２３５により風呂ポンプ出口管６１４に送り出される。風呂ポンプ出口管６１４を流れる水は、風呂熱交換器２０７Ａの第２の内管６５７に導かれる。このとき、風呂熱交換器２０７Ａの第２の内管６５７を流れる水の温度は、例えば約３０℃程度である。一方で、風呂熱交換器２０７Ａの第１の内管６５６を流れる水の温度は、例えば約４５℃程度である。これにより、風呂熱交換器２０７Ａの第２の内管６５７を流れる水は、風呂熱交換器２０７Ａの第１の内管６５６を流れる水により加熱される。
【０３９２】
風呂熱交換器２０７Ａにおいて加熱され、風呂熱交換器２０７Ａから流出して第１の風呂往き管６１９を流れる水の温度は、例えば約４５℃程度である。一方で、風呂熱交換器２０７Ａから流出して風呂熱交換器２０７Ａの接続管６５５を流れる水の温度は、例えば約３０℃程度である。第１の風呂往き管６１９を流れる水は、第２の風呂往き管６２１を流れ、循環金具（図示せず）を介して浴槽５０に供給される。
【０３９３】
図３１に表した矢印Ａ４１のように、風呂熱交換器２０７Ａの第１の内管６５６を流れる水は、風呂熱交換器２０７Ａの接続管６５５に導かれる。図３１に表した矢印Ａ２６および矢印Ａ２７のように、風呂熱交換器２０７Ａの接続管６５５を流れる水は、回収切替四方弁２８５を介して第２の回収ポンプ入口管６６６に導かれる。図３１に表した矢印Ａ３６のように、第２の回収ポンプ入口管６６６を流れる水は、第１の回収三方弁２８２を介して第１の回収ポンプ入口管６５８に導かれ、回収ポンプ２３６により回収ポンプ出口管６５９に送り出される。回収ポンプ出口管６５９を受け流れる水は、タンク１０１の内部に導かれる。タンク１０１の内部に導かれる水の温度は、例えば約３０℃程度である。
【０３９４】
〔浴湯熱ヒートポンプ部回収動作〕
図３２および図３３は、本実施形態に係る給湯暖房システムの浴湯熱ヒートポンプ部回収動作を説明する図である。
浴湯熱ヒートポンプ部回収動作は、浴槽５０に残った湯を循環させ、その湯の熱をヒートポンプ部３０を介してタンク１０１に貯留された水で回収する動作である。図３２に表した塗りつぶし部分は、浴湯熱ヒートポンプ部回収動作において水が流れる管路を表している。図３３に表した塗りつぶし部分は、浴湯熱ヒートポンプ部回収動作の途中で給湯動作が割り込まれた場合において水が流れる管路を表している。
【０３９５】
自動運転が終了したときに浴槽５０の内部に湯が残っている場合には、制御装置７０は、浴湯熱ヒートポンプ部回収動作の制御を実行する。自動運転が終了したときに浴槽５０の内部に湯が残っている例としては、例えば、使用者が自動ボタン（図示せず）を押して自動運転を手動で停止させた場合や、保温動作が４時間を経過して自動運転が自動的に停止した場合などが挙げられる。
【０３９６】
制御装置７０が浴湯熱ヒートポンプ部回収動作を実行すると、風呂ポンプ２３５と、回収ポンプ２３６と、暖房ポンプ２７５と、が駆動する。また、ヒートポンプ部３０の圧縮機３０４は、四方切替弁３０７を介して第２の液体熱交換器３０２に熱媒体を供給する。そのため、浴湯熱ヒートポンプ部回収動作において、第１の液体熱交換器３０１は、冷房機として機能する。一方で、浴湯熱ヒートポンプ部回収動作において、第２の液体熱交換器３０２は、暖房機として機能する。
【０３９７】
図３２に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１および第３の液体熱交換器２７２を通り、シスターン２３７に導かれる。これは、図２３に関して前述した通りである。このとき、第１の液体熱交換器３０１から流出し第１の液体熱交換器３０１の出口管６１６を流れる水の温度は、例えば約１５℃程度である。
【０３９８】
図３２に表した矢印Ａ２８および矢印Ａ２９のように、回収ポンプ２３６が駆動すると、回収ポンプ２３６から送り出された水は、第２の液体熱交換器３０２の入口管３５６を流れ、第２の液体熱交換器３０２に導かれる。浴湯熱ヒートポンプ部回収動作において、第２の液体熱交換器３０２が暖房機として機能するため、第２の液体熱交換器３０２の内管３５３を流れる水は、第２の液体熱交換器３０２の内部における熱媒体循環路３５１を流れる熱媒体により加熱される。第２の液体熱交換器３０２から流出し第２の液体熱交換器３０２の出口管３５５を流れる水の温度は、例えば約６０℃程度である。
【０３９９】
図３２に表した矢印Ａ３１および矢印Ａ４３のように、第２の液体熱交換器３０２の出口管３５５を流れる水は、第３の回収三方弁２８４を介して回収ポンプ出口管６５９を流れ、タンク１０１の内部に導かれる。タンク１０１の内部に導かれる水の温度は、例えば約６０℃程度である。水制御弁１１４が開いているため、タンク１０１の内部は、タンク１０１の下部に接続された給水管１５１を流れ、混合水導入管１５４を介してガス湯沸かし部２０Ａに供給される。
【０４００】
ガス湯沸かし部２０Ａに供給された水は、燃焼装置２０１を通過し、給湯熱交換器２０６Ａの出口管６０７に導かれる。このとき、燃焼装置２０１は、燃焼動作を行わない。つまり、燃焼装置２０１を流れる水は、第１のバーナ２０３および第２のバーナ２０４によっては加熱されない。給湯熱交換器２０６Ａの出口管６０７を流れる水は、給水切替三方弁２７７を介して第３の液体熱交換器２７２の接続管６５１に導かれる。図３２に表した矢印Ａ４０のように、第３の液体熱交換器２７２の接続管６５１を流れる水は、第３の液体熱交換器２７２の第１の内管６５２に導かれる。
【０４０１】
このとき、第３の液体熱交換器２７２の第１の内管６５２を流れる水の温度は、例えば約３０℃程度である。そして、第３の液体熱交換器２７２の第１の内管６５２を流れる水は、第３の液体熱交換器２７２の第２の内管６５４を流れる水により冷却される。第３の液体熱交換器２７２において冷却され、第３の液体熱交換器２７２から流出して中間配管６５３を流れる水の温度は、例えば約１５℃程度である。一方で、第３の液体熱交換器２７２から流出して第３の液体熱交換器２７２の出口管６６４を流れる水の温度は、例えば約３０℃程度である。
【０４０２】
中間配管６５３を流れる水は、風呂熱交換器２０７Ａの第１の内管６５６に導かれる。このとき、風呂熱交換器２０７Ａの第１の内管６５６を流れる水は、風呂熱交換器２０７Ａの第２の内管６５７を流れる水により加熱される。
【０４０３】
すなわち、図３２に表した矢印Ａ３７のように、風呂ポンプ２３５が駆動すると、浴槽５０の内部の水は、第１の風呂戻り管６２３と、第２の風呂戻り管６２４と、風呂ポンプ入口管６２６を流れ、風呂ポンプ２３５により風呂ポンプ出口管６１４に送り出される。風呂ポンプ出口管６１４を流れる水は、風呂熱交換器２０７Ａの第２の内管６５７に導かれる。このとき、風呂熱交換器２０７Ａの第２の内管６５７を流れる水の温度は、例えば約４５℃程度である。一方で、風呂熱交換器２０７Ａの第１の内管６５６を流れる水の温度は、例えば約１５℃程度である。これにより、風呂熱交換器２０７Ａの第１の内管６５６を流れる水は、風呂熱交換器２０７Ａの第２の内管６５７を流れる水により加熱される。
【０４０４】
風呂熱交換器２０７Ａにおいて冷却され、風呂熱交換器２０７Ａから流出して第１の風呂往き管６１９を流れる水の温度は、例えば約１５℃程度である。一方で、風呂熱交換器２０７Ａから流出して風呂熱交換器２０７Ａの接続管６５５を流れる水の温度は、例えば約４５℃程度である。第１の風呂往き管６１９を流れる水は、第２の風呂往き管６２１を流れ、循環金具（図示せず）を介して浴槽５０に供給される。
【０４０５】
図３２に表した矢印Ａ４１のように、風呂熱交換器２０７Ａの第１の内管６５６を流れる水は、風呂熱交換器２０７Ａの接続管６５５に導かれる。図３２に表した矢印Ａ２６および矢印Ａ２７のように、風呂熱交換器２０７Ａの接続管６５５を流れる水は、回収切替四方弁２８５を介して第２の回収ポンプ入口管６６６に導かれる。図３２に表した矢印Ａ２８のように、第２の回収ポンプ入口管６６６を流れる水は、第１の回収三方弁２８２を介して第１の回収ポンプ入口管６５８に導かれ、回収ポンプ２３６により第２の液体熱交換器３０２の入口管３５６に送り出される。第２の液体熱交換器３０２の入口管３５６を流れる水の温度は、例えば約４５℃程度である。
【０４０６】
このようにして、浴湯熱ヒートポンプ部回収動作において、浴槽５０に残った湯の熱は、ヒートポンプ部３０を介してタンク１０１に貯留された水で回収される。
【０４０７】
ここで、図３２を参照して説明した浴湯熱ヒートポンプ部回収動作の途中で、給湯動作が割り込まれ実行されることがある。つまり、図３２を参照して説明した浴湯熱ヒートポンプ部回収動作の途中で、給湯栓が開かれることがある。この場合には、図３３に表したように、制御装置７０は、湯制御弁１１７を開き、水制御弁１１４を閉じる制御を実行する。また、制御装置７０は、燃焼装置２０１を作動させる。
【０４０８】
図３３に表した矢印Ａ３５のように、湯制御弁１１７が開き、水制御弁１１４が閉じると、タンク１０１内の上部に形成された層の水（例えば約６０℃程度の水）は、混合水導入管１５４を流れ、ガス湯沸かし部２０Ａに供給される。ガス湯沸かし部２０Ａに供給された水は、燃焼装置２０１の内部を流れ、第１のバーナ２０３および第２のバーナ２０４の少なくともいずれかにより加熱される。給湯潜熱熱交換器２０５において加熱された水の温度は、例えば約６０℃程度である。給湯熱交換器２０６Ａにおいて加熱された水の温度は、例えば約８０℃程度である。
【０４０９】
続いて、燃焼装置２０１において加熱された水（湯）は、給湯熱交換器２０６Ａの出口管６０７および給湯往き管６６１を通り、バイパスサーボ２２２により給湯バイパス管６１１に導かれた水と混合し、湯量サーボ２２４を介して給湯栓に供給される。給湯栓に導かれる水の温度は、例えば約４２℃程度である。制御装置７０は、給湯栓に供給される水の温度が、給湯設定温度と一致するように、第１のバーナ２０３および第２のバーナ２０４の出力を制御するとともに、湯量サーボ２２４の開度を制御する。
【０４１０】
なお、本実施形態に係る給湯暖房システム２Ａの浴湯熱ヒートポンプ部回収動作では、例えばファン３０６などを駆動することで第２の液体熱交換器３０２から流出した熱媒体を冷却しなくとも、浴槽５０に残った湯の熱をヒートポンプ部３０を介してタンク１０１に貯留された水で効率良く回収することができる。すなわち、図３２を参照して説明した浴湯熱ヒートポンプ部回収動作では、矢印Ａ４３のように、第２の液体熱交換器３０２において加熱された水は、回収ポンプ出口管６５９を流れ、タンク１０１の内部に導かれる。タンク１０１の内部の水は、タンク１０１の表面に設けられたプレート熱交換器１０３（例えば図２参照）により加熱されるわけではない。そのため、タンク１０１の内部の水に生ずる対流は、自然対流ではなく強制対流である。そのため、例えばファン３０６などを駆動することで第２の液体熱交換器３０２から流出した熱媒体を冷却しなくとも、浴槽５０に残った湯の熱をヒートポンプ部３０により回収し、比較的高温の水をタンク１０１の内部に貯留することができる。
【０４１１】
例えば、使用者が昼間において約４５℃程度の水を使う頻度は、夜間と比較すると高い。そのため、昼間には、制御装置７０は、ファン３０６を駆動させずに、浴槽５０に残った湯の熱をヒートポンプ部３０により回収し、約４５℃程度の水をタンク１０１の内部に貯留してもよい。また、使用者が約４５℃程度の温度よりも高い温度の水をタンク１０１の内部に貯留したい場合には、制御装置７０は、例えばファン３０６などを駆動することで第２の液体熱交換器３０２から流出した熱媒体を冷却することができる。つまり、約４５℃程度の水がタンク１０１の内部に満たされた後で、使用者が約４５℃程度の温度よりも高い温度の水をタンク１０１の内部に貯留したい場合には、制御装置７０は、例えばファン３０６などを駆動することで第２の液体熱交換器３０２から流出した熱媒体を冷却してもよい。
【０４１２】
一方で、使用者が夜間において約４５℃程度の水を使う頻度は、昼間と比較すると低い。例えば、翌日の朝までには比較的長い時間が存在するため、使用者は、約４５℃程度の温度よりも高い温度の水をタンク１０１の内部に貯留したいと考えることがある。この場合には、制御装置７０は、例えばファン３０６などを駆動することで第２の液体熱交換器３０２から流出した熱媒体を冷却してもよい。これにより、翌日の朝までに、約４５℃程度の温度よりも高い温度の水をタンク１０１の内部に貯留することができる。
【０４１３】
〔浴湯熱回収動作〕
図３４は、本実施形態に係る給湯暖房システムの浴湯熱回収動作を説明する図である。
浴湯熱回収動作は、浴槽５０に残った湯を循環させ、その湯の熱をタンク１０１に貯留された水で回収する動作である。図３４に表した塗りつぶし部分は、浴湯熱回収動作において水が流れる管路を表している。
【０４１４】
自動運転が終了したときに浴槽５０の内部に湯が残っている場合には、制御装置７０は、浴湯熱回収動作の制御を実行する。制御装置７０が浴湯熱回収動作を実行すると、風呂ポンプ２３５および回収ポンプ２３６が駆動する。また、制御装置７０は、水制御弁１１４および風呂切替弁２７８を開く。
【０４１５】
図３４に表した矢印Ａ３７のように、風呂ポンプ２３５が駆動すると、浴槽５０の内部の水は、第１の風呂戻り管６２３と、第２の風呂戻り管６２４と、風呂ポンプ入口管６２６を流れ、風呂ポンプ２３５により風呂ポンプ出口管６１４に送り出される。風呂ポンプ出口管６１４を流れる水は、風呂熱交換器２０７Ａの第２の内管６５７に導かれる。風呂熱交換器２０７Ａの第２の内管６５７を流れる水の温度は、例えば約４０℃程度である。
【０４１６】
一方で、図３４に表した矢印Ａ３６のように、回収ポンプ２３６が駆動すると、第１の回収ポンプ入口管６５８を流れる水は、回収ポンプ２３６により回収ポンプ出口管６５９に送り出される。回収ポンプ出口管６５９を流れる水は、タンク１０１の内部に導かれる。水制御弁１１４が開いているため、タンク１０１の内部は、タンク１０１の下部に接続された給水管１５１を流れ、混合水導入管１５４を介してガス湯沸かし部２０Ａに供給される。
【０４１７】
ガス湯沸かし部２０Ａに供給された水は、燃焼装置２０１を通過し、給湯熱交換器２０６Ａの出口管６０７に導かれる。このとき、燃焼装置２０１は、燃焼動作を行わない。つまり、燃焼装置２０１を流れる水は、第１のバーナ２０３および第２のバーナ２０４によっては加熱されない。給湯熱交換器２０６Ａの出口管６０７を流れる水は、給湯熱交換器２０６Ａの出口管６０７から分岐した風呂熱交換器２０７Ａの接続管６５５に導かれる。図３４に表した矢印Ａ３８のように、風呂熱交換器２０７Ａの接続管６５５を流れる水は、風呂熱交換器２０７Ａの第１の内管６５６に導かれる。風呂熱交換器２０７Ａの第１の内管６５６を流れる水の温度は、例えば約１５℃程度である。
【０４１８】
このとき、風呂熱交換器２０７Ａの第１の内管６５６を流れる水は、風呂熱交換器２０７Ａの第２の内管６５７を流れる水により加熱される。風呂熱交換器２０７Ａにおいて加熱され、風呂熱交換器２０７Ａから流出して中間配管６５３を流れる水の温度は、例えば約４５℃程度である。一方で、風呂熱交換器２０７Ａから流出し第１の風呂往き管６１９を流れる水の温度は、例えば約３０℃程度である。
【０４１９】
中間配管６５３を流れる水は、第１の回収ポンプ入口管６５８に導かれる。図３４に表した矢印Ａ３６のように、第１の回収ポンプ入口管６５８を流れる水は、回収ポンプ２３６により回収ポンプ出口管６５９に送り出され、タンク１０１の内部に導かれる。タンク１０１の内部に導かれる水の温度は、例えば約４５℃程度である。
【０４２０】
このようにして、浴湯熱回収動作において、浴槽５０に残った湯の熱は、タンク１０１に貯留された水で回収される。
【０４２１】
なお、本実施形態の給湯暖房システム２Ａでは、暖房経路（暖房系統の管路）および浴槽経路（浴槽系統の管路）は、互いに分離されている。そのため、浴湯熱回収動作が実行された場合であっても、浴槽５０の内部の少なくとも一部の水が、浴槽５０に戻らずシスターン２３７に流れることはなく、シスターン２３７から溢れることはない。
【０４２２】
〔低温暖房動作〕
図３５は、本実施形態に係る給湯暖房システムの低温暖房動作を説明する図である。
低温暖房動作は、低温暖房装置４０２を運転させて居室（床面を含む）を暖房する動作である。図３５に表した塗りつぶし部分は、低温暖房動作において水が流れる管路を表している。
【０４２３】
使用者が低温暖房ボタン（図示せず）を押すと、制御装置７０は、低温暖房装置４０２が設置された居室の温度（例えば床面温度）を急速に上昇させるホットダッシュ運転の制御を実行する。ホットダッシュ運転は、図１４に関して前述した通りである。制御装置７０は、例えば約３０分間にわたってホットダッシュ運転を継続する。また、制御装置７０は、ホットダッシュ運転の開始と略同時にヒートポンプ部３０の運転を開始する。
【０４２４】
制御装置７０が低温暖房動作のうちのホットダッシュ運転の制御を実行すると、回収ポンプ２３６および暖房ポンプ２７５が駆動する。また、制御装置７０は、湯制御弁１１７を開く。
【０４２５】
図３５に表した矢印Ａ３６のように、回収ポンプ２３６が駆動すると、第１の回収ポンプ入口管６５８を流れる水は、回収ポンプ２３６により回収ポンプ出口管６５９に送り出される。回収ポンプ出口管６５９を流れる水は、タンク１０１の内部に導かれる。タンク１０１の内部に導かれる水の温度は、例えば約４５℃程度である。
【０４２６】
図３５に表した矢印Ａ３５のように、湯制御弁１１７が開いているため、タンク１０１内の上部に形成された層の水（例えば約４５℃程度の水）は、混合水導入管１５４を流れ、ガス湯沸かし部２０Ａに供給される。ガス湯沸かし部２０Ａに供給された水は、燃焼装置２０１の内部を流れ、第１のバーナ２０３および第２のバーナ２０４の少なくともいずれかにより加熱される。給湯潜熱熱交換器２０５において加熱された水の温度は、例えば約４５℃程度である。給湯熱交換器２０６Ａにおいて加熱された水の温度は、例えば約８０℃程度である。
【０４２７】
続いて、燃焼装置２０１において加熱された水（湯）は、給湯熱交換器２０６Ａの出口管６０７を流れ、給水切替三方弁２７７を介して第３の液体熱交換器２７２の接続管６５１に導かれる。図３５に表した矢印Ａ４０のように、第３の液体熱交換器２７２の接続管６５１を流れる水は、第３の液体熱交換器２７２の第１の内管６５２に導かれる。第３の液体熱交換器２７２の第１の内管６５２を流れる水の温度は、例えば約８０℃程度である。
【０４２８】
一方で、図３５に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１の入口管６１５を介して第１の液体熱交換器３０１の内管３５２に導かれる。第１の液体熱交換器３０１の内管３５２を流れる水は、第１の液体熱交換器３０１の出口管６１６に導かれる。第１の液体熱交換器３０１の出口管６１６を流れる水の温度は、例えば約３０℃程度である。第１の液体熱交換器３０１の出口管６１６を流れる水は、第３の液体熱交換器２７２の第２の内管６５４に導かれる。
【０４２９】
このとき、第３の液体熱交換器２７２の第２の内管６５４を流れる水は、第３の液体熱交換器２７２の第１の内管６５２を流れる水により加熱される。第３の液体熱交換器２７２から流出して第３の液体熱交換器２７２の出口管６６４を流れる水の温度は、例えば約８０℃程度である。一方で、第３の液体熱交換器２７２から流出して中間配管６５３を流れる水の温度は、例えば約４５℃程度である。
【０４３０】
第３の液体熱交換器２７２の出口管６６４を流れる水は、第３の液体熱交換器２７２の出口管６６４から分岐した第１の高温暖房往き管６２７に導かれる。第１の高温暖房往き管６２７を流れる水は、第１の高温暖房往き管６２７から分岐した第１の暖房バイパス管６６３に導かれる。第１の暖房バイパス管６６３を流れる水は、蓄熱四方弁２７９を介して第２の暖房往き管６３５に導かれる。
【０４３１】
第２の暖房往き管６３５を流れる水は、低温往き熱動弁２４１を介して低温暖房装置４０２に供給される。低温暖房装置４０２に供給された水は、液体合流部４０５を介して暖房戻り管６２８に導かれてシスターン２３７に戻る。
【０４３２】
一方で、第３の液体熱交換器２７２から流出して中間配管６５３を流れる水は、第１の回収ポンプ入口管６５８に導かれる。図３５に表した矢印Ａ３６のように、第１の回収ポンプ入口管６５８を流れる水は、回収ポンプ２３６により回収ポンプ出口管６５９に送り出される。
【０４３３】
居室が冷えている場合において、低温暖房動作のうちのホットダッシュ運転が開始された直後では、低温暖房装置４０２に供給された約８０℃程度の温度の水は、冷やされ、冷たい水としてシスターン２３７に戻る。ヒートポンプ部３０は、運転開始から所定時間が経過すると、熱交換を行う能力を有する。このとき、ヒートポンプ部３０の圧縮機３０４は、四方切替弁３０７を介して第１の液体熱交換器３０１に熱媒体を供給する。そのため、低温暖房動作において、第１の液体熱交換器３０１は、暖房機として機能する。一方で、低温暖房動作において、第２の液体熱交換器３０２は、冷房機として機能する。そして、ホットダッシュ運転の時間が経過してしばらくすると、シスターン２３７に戻る水の温度が上昇し始める。
【０４３４】
そこで、制御装置７０は、使用者が低温暖房ボタン（図示せず）を押してから例えば約３０分間にわたってホットダッシュ運転を行った後、定常運転の制御を実行する。定常運転は、図１４に関して前述した通りである。
【０４３５】
低温暖房動作のうちの定常運転において水が流れる管路は、低温暖房動作のうちのホットダッシュ運転において水が流れる管路と同じである。ホットダッシュ運転では、第１の液体熱交換器３０１を流れる水は加熱されない一方で、定常運転では、第１の液体熱交換器３０１を流れる水は、第１の液体熱交換器３０１の内部における熱媒体循環路３５１を流れる熱媒体により加熱される。第１の液体熱交換器３０１から流出し第１の液体熱交換器３０１の出口管６１６を流れる水の温度は、例えば約４５℃程度である。
【０４３６】
第１の液体熱交換器３０１の出口管６１６を流れる水は、第３の液体熱交換器２７２の第２の内管６５４に導かれる。このとき、第３の液体熱交換器２７２の第２の内管６５４を流れる水は、第３の液体熱交換器２７２の第１の内管６５２を流れる水により加熱される。第３の液体熱交換器２７２から流出して第３の液体熱交換器２７２の出口管６６４を流れる水の温度は、例えば約６０℃程度である。これにより、例えば約６０℃程度の温度の水が低温暖房装置４０２に供給される。
【０４３７】
〔低温低負荷暖房動作〕
図３６および図３７は、本実施形態に係る給湯暖房システムの低温低負荷暖房動作を説明する図である。
低温低負荷暖房動作は、ヒートポンプ部３０を用いて、低温暖房装置４０２を運転させて居室（床面を含む）を暖房する動作である。図３６および図３７に表した塗りつぶし部分は、低温低負荷暖房動作において水が流れる管路を表している。
【０４３８】
図３５に関して前述したように、低温暖房動作のうちの定常運転においては、例えば約６０℃程度の温度の水が低温暖房装置４０２に供給される。ここで、居室の温度の過度の上昇を抑えるため、制御装置７０は、低温低負荷暖房動作の制御を実行する。低温低負荷暖房動作では、例えば約４０℃程度の温度の水が低温暖房装置４０２に供給される。
【０４３９】
図３６に表したように、制御装置７０が低温低負荷暖房動作の制御を実行すると、暖房ポンプ２７５が駆動する。また、ヒートポンプ部３０の圧縮機３０４は、四方切替弁３０７を介して第１の液体熱交換器３０１に熱媒体を供給する。そのため、低温低負荷暖房動作において、第１の液体熱交換器３０１は、暖房機として機能する。一方で、低温低負荷暖房動作において、第２の液体熱交換器３０２は、冷房機として機能する。
【０４４０】
図３６に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２に送り出された水は、第１の液体熱交換器３０１の入口管６１５を流れ、第１の液体熱交換器３０１の内管３５２に導かれる。
【０４４１】
第１の液体熱交換器３０１の内管３５２を流れる水は、第１の液体熱交換器３０１において加熱される。第１の液体熱交換器３０１の出口管６１６を流れる水の温度は、例えば約４５℃程度である。第１の液体熱交換器３０１から流出した水は、ヒートポンプ出口三方弁２４４Ａを介して第１の暖房往き管６１７に導かれる。第１の暖房往き管６１７を流れる水は、蓄熱四方弁２７９を介して第２の暖房往き管６３５に導かれる。
【０４４２】
第２の暖房往き管６３５を流れる水は、低温往き熱動弁２４１を介して低温暖房装置４０２に供給される。これにより、例えば約４０℃程度の温度の水が低温暖房装置４０２に供給される。低温暖房装置４０２に供給された水は、液体合流部４０５を介して暖房戻り管６２８に導かれてシスターン２３７に戻る。低温低負荷暖房動作では、ヒートポンプ部３０を用いて低温暖房装置４０２を運転させるため、エネルギー効率の向上を図ることができる。
【０４４３】
例えば居室の断熱性能が比較的高い場合には、低温暖房装置４０２に供給される水の温度が例えば約４０℃程度であっても、居室の温度が過度に上昇することがある。この場合には、図３７に表したように、制御装置７０は、ヒートポンプ部３０の運転開始／運転停止の制御ではなく、第１の液体熱交換器３０１において加熱された水を第３の液体熱交換器２７２に導く。すなわち、第１の液体熱交換器３０１から流出した水は、ヒートポンプ出口三方弁２４４Ａを介して第１の液体熱交換器３０１の出口管６１６を流れ、第３の液体熱交換器２７２に導かれる。
【０４４４】
一方で、制御装置７０は、回収ポンプ２３６の運転を開始する。回収ポンプ２３６が駆動すると、タンク１０１の下部から流出した水は、回収切替四方弁２８５を介して第１の給水接続管６６７を流れ、図３７に表した矢印Ａ４０のように、給水切替三方弁２７７を介して第３の液体熱交換器２７２の接続管６５１に導かれる。第３の液体熱交換器２７２の接続管６５１を流れた水は、第３の液体熱交換器２７２の第１の内管６５２に導かれる。このとき、第３の液体熱交換器２７２の第２の内管６５４を流れる水は、第３の液体熱交換器２７２の第２の内管６５４を流れる水により加熱される。第３の液体熱交換器２７２から流出して中間配管６５３を流れる水の温度は、例えば約４５℃程度である。
【０４４５】
第３の液体熱交換器２７２から流出して中間配管６５３を流れる水は、第１の回収ポンプ入口管６５８に導かれる。図３７に表した矢印Ａ３６のように、第１の回収ポンプ入口管６５８を流れる水は、回収ポンプ２３６により回収ポンプ出口管６５９に送り出される。回収ポンプ出口管６５９を流れる水は、タンク１０１の内部に導かれる。タンク１０１の内部に導かれる水の温度は、例えば約４５℃程度である。
【０４４６】
このようにして、制御装置７０は、ヒートポンプ出口三方弁２４４Ａを切り替えることより、第１の液体熱交換器３０１において加熱された水が低温暖房装置４０２に導かれる状態と、第３の液体熱交換器２７２に導かれる状態と、を切り替える。これにより、低温低負荷暖房動作では、居室温度の過度の上昇が抑えられるとともに、ヒートポンプ部３０の効率の低下が抑えられる。
【０４４７】
〔第１の高温暖房動作〕
図３８は、本実施形態に係る給湯暖房システムの第１の高温暖房動作を説明する図である。
第１の高温暖房動作は、高温暖房装置４０１を運転させて居室（例えば浴室など）を暖房する動作である。図３８に表した塗りつぶし部分は、第１の高温暖房動作において水が流れる管路を表している。
【０４４８】
使用者が高温暖房ボタン（図示せず）を押すと、制御装置７０は、第１の高温暖房動作の制御を実行する。制御装置７０が第１の高温暖房動作の制御を実行すると、回収ポンプ２３６および暖房ポンプ２７５が駆動する。また、制御装置７０は、湯制御弁１１７を開く。
【０４４９】
第１の高温暖房動作において回収ポンプ２３６が駆動したときの水の流れは、図３５に関して前述した低温暖房動作において回収ポンプ２３６が駆動したときの水の流れと同じである。但し、第１の高温暖房動作において、タンク１０１の内部に導かれる水の温度は、例えば約６０℃程度である。そのため、混合水導入管１５４を流れ、ガス湯沸かし部２０Ａに供給される水の温度は、例えば約６０℃程度である。また、給湯熱交換器２０６Ａにおいて加熱された水の温度は、例えば約８０℃程度である。
【０４５０】
一方で、図３５に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、ヒートポンプ入口三方弁２４３を介して第２の暖房バイパス管６６５に導かれる。すなわち、暖房ポンプ出口管６６２を流れる水は、第１の液体熱交換器３０１を通らない。  
【０４５１】
第２の暖房バイパス管６６５を流れる水は、第１の液体熱交換器３０１の出口管６１６に導かれる。第１の液体熱交換器３０１の出口管６１６を流れる水の温度は、例えば約３０℃程度である。第１の液体熱交換器３０１の出口管６１６を流れる水は、第３の液体熱交換器２７２の第２の内管６５４に導かれる。
【０４５２】
このとき、第３の液体熱交換器２７２の第２の内管６５４を流れる水は、第３の液体熱交換器２７２の第１の内管６５２を流れる水により加熱される。第３の液体熱交換器２７２から流出して第３の液体熱交換器２７２の出口管６６４を流れる水の温度は、例えば約８０℃程度である。一方で、第３の液体熱交換器２７２から流出して中間配管６５３を流れる水の温度は、例えば約６０℃程度である。
【０４５３】
第３の液体熱交換器２７２の出口管６６４を流れる水は、第３の液体熱交換器２７２の出口管６６４から分岐した第１の高温暖房往き管６２７と、蓄熱四方弁２７９を介して第１の暖房バイパス管６６３と、に導かれる。第１の暖房バイパス管６６３を流れる水は、第１の高温暖房往き管６２７を流れる水と合流し、第２の高温暖房往き管４５１を流れて高温暖房装置４０１に供給される。高温暖房装置４０１に供給される水の温度は、例えば約８０℃程度である。高温暖房装置４０１に供給された水は、液体合流部４０５を介して暖房戻り管６２８に導かれてシスターン２３７に戻る。
【０４５４】
〔第２の高温暖房動作〕
図３９は、本実施形態に係る給湯暖房システムの第２の高温暖房動作を説明する図である。
図３９を参照して説明する第２の高温暖房動作は、図３８に関して前述した第１の高温暖房動作と同様に、高温暖房装置４０１を運転させて居室（例えば浴室など）を暖房する動作である。図３９に表した塗りつぶし部分は、第２の高温暖房動作において水が流れる管路を表している。
【０４５５】
使用者が高温暖房ボタン（図示せず）を押したときに、ヒートポンプ部３０が運転中である場合には、制御装置７０は、図３９を参照して説明する第２の高温暖房動作の制御を実行する。制御装置７０が第２の高温暖房動作の制御を実行すると、回収ポンプ２３６および暖房ポンプ２７５が駆動する。また、制御装置７０は、湯制御弁１１７を開く。さらに、ヒートポンプ部３０の圧縮機３０４は、四方切替弁３０７を介して第１の液体熱交換器３０１に熱媒体を供給する。そのため、第２の高温暖房動作において、第１の液体熱交換器３０１は、暖房機として機能する。一方で、第２の高温暖房動作において、第２の液体熱交換器３０２は、冷房機として機能する。
【０４５６】
第２の高温暖房動作において回収ポンプ２３６が駆動したときの水の流れは、図３８に関して前述した第１の高温暖房動作において回収ポンプ２３６が駆動したときの水の流れと同じである。管路を流れる水の温度は、図３８に関して前述した第１の高温暖房動作において管路を流れる水の温度と同じである。すなわち、タンク１０１の内部に導かれる水の温度は、例えば約６０℃程度である。混合水導入管１５４を流れ、ガス湯沸かし部２０Ａに供給される水の温度は、例えば約６０℃程度である。また、給湯熱交換器２０６Ａにおいて加熱された水の温度は、例えば約８０℃程度である。
【０４５７】
一方で、図３５に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１の入口管６１５を介して第１の液体熱交換器３０１の内管３５２に導かれる。
【０４５８】
このとき、第１の液体熱交換器３０１の内管３５２を流れる水は、第１の液体熱交換器３０１の内部における熱媒体循環路３５１を流れる熱媒体により加熱される。第１の液体熱交換器３０１から流出し第１の液体熱交換器３０１の出口管６１６を流れる水の温度は、例えば約４５℃程度である。
【０４５９】
第１の液体熱交換器３０１の出口管６１６を流れる水は、第３の液体熱交換器２７２の第２の内管６５４に導かれる。このとき、第３の液体熱交換器２７２の第２の内管６５４を流れる水は、第３の液体熱交換器２７２の第１の内管６５２を流れる水により加熱される。第３の液体熱交換器２７２から流出して第３の液体熱交換器２７２の出口管６６４を流れる水の温度は、例えば約８０℃程度である。これにより、例えば約８０℃程度の温度の水が高温暖房装置４０１に供給される。なお、例えば約８０℃程度の温度の水が高温暖房装置４０１に供給され、シスターン２３７に戻るときの管路は、図３８に関して前述した第１の高温暖房動作における管路と同じである。
【０４６０】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【符号の説明】
【０４６１】
２、２Ａ・・・給湯暖房システム、  １０、１０Ａ・・・タンク部、  ２０、２０Ａ・・・ガス湯沸かし部、  ２１・・・筐体、  ３０・・・ヒートポンプ部、  ３１・・・吸気部、  ３２・・・排気部、  ３３・・・筐体、  ４０・・・暖房装置、  ５０・・・浴槽、  ７０・・・制御装置、  ９９・・・外気温センサ、  １０１・・・タンク、  １０２・・・減圧弁、  １０３・・・プレート熱交換器、  １０４・・・水抜き栓、  １１１・・・第１のタンク表面サーミスタ、  １１２・・・第２のタンク表面サーミスタ、  １１３・・・タンク内サーミスタ、  １１４・・・水制御弁、  １１５・・・水量センサ、  １１６・・・水温サーミスタ、  １１７・・・湯制御弁、  １１８・・・湯量センサ、  １１９・・・湯温サーミスタ、  １２１・・・混合サーミスタ、  １２３・・・プレート入口サーミスタ、  １５１・・・給水管、  １５２・・・水導入管、  １５３・・・湯導入管、  １５４・・・混合水導入管、  ２０１・・・燃焼装置、  ２０２・・・燃焼室、  ２０３・・・第１のバーナ、  ２０４・・・第２のバーナ、  ２０５・・・給湯潜熱熱交換器、  ２０６、２０６Ａ・・・給湯熱交換器、  ２０７、２０７Ａ・・・風呂熱交換器、  ２０８・・・燃焼ファン、  ２１１・・・元ガス電磁弁、  ２１２・・・ガス比例弁、  ２１３・・・第１のガス電磁弁、  ２１４・・・第２のガス電磁弁、  ２１５・・・点火プラグ、  ２１６・・・フレームロッド、２１７・・・過熱防止装置、  ２１８・・・水管サーミスタ、  ２１９・・・熱交換サーミスタ、  ２２１・・・水量センサ  ２２２・・・バイパスサーボ、  ２２３・・・給湯サーミスタ、  ２２４・・・湯量サーボ、  ２２５・・・給湯受け皿、  ２２６・・・排気口、  ２２７・・・水抜き栓、  ２２８・・・吸気口、  ２３１・・・中和器、  ２３２・・・中和器水位電極、  ２３３・・・ドレンタンク、  ２３４・・・水位電極、  ２３５・・・風呂ポンプ、  ２３６・・・回収ポンプ、  ２３７・・・シスターン、  ２３８・・・水位電極、  ２３９・・・オーバーフロー弁、  ２４１・・・熱動弁、  ２４２・・・電磁弁、  ２４３・・・ヒートポンプ入口三方弁、  ２４４・・・ヒートポンプ出口三方弁、  ２４４Ａ・・・ヒートポンプ出口三方弁、  ２４５・・・風呂往き四方弁、  ２４６・・・風呂往き三方弁、  ２４７・・・第１のドレン切替三方弁、  ２４８・・・電磁弁、  ２４９・・・風呂戻り四方弁、  ２５１・・・プレート四方弁、  ２５２・・・第２のドレン切替三方弁、  ２５３・・・風呂水流スイッチ、  ２５４・・・風呂戻りサーミスタ、  ２５５・・・水位センサ、  ２５６・・・第１の風呂往きサーミスタ、  ２５７・・・第２の風呂往きサーミスタ、  ２５８・・・電磁弁、  ２５９・・・第１の低温能力四方弁、  ２６１・・・第２の低温能力四方弁、  ２６２・・・蓄熱三方弁、  ２６３・・・低温能力切替弁、  ２６４・・・電磁弁、  ２６５・・・逆止弁、  ２６６・・・注湯電磁弁、  ２６７、２６８・・・逆止弁、  ２６９・・・湯量センサ、  ２７１・・・注湯三方弁、  ２７２・・・第３の液体熱交換器、２７４・・・循環水量センサ、  ２７５・・・暖房ポンプ、  ２７６・・・補給水電磁弁、  ２７７・・・給水切替三方弁、  ２７８・・・風呂切替弁、  ２７９・・・蓄熱四方弁、  ２８１・・・電磁弁、  ２８２・・・第１の回収三方弁、  ２８３・・・第２の回収三方弁、  ２８４・・・第３の回収三方弁、  ２８５・・・回収切替四方弁、  ２８６・・・逆止弁、  ２８７・・・入口サーミスタ、  ２８８・・・接続管サーミスタ  ２８９・・・暖房高温サーミスタ、  ２９１・・・中間配管サーミスタ、  ２９２・・・風呂熱交換器サーミスタ、  ２９３・・・タンク入口サーミスタ、  ２９４・・・大気開放弁、  ２９９・・・排水管、  ３００・・・水・空気置換回路、  ３０１・・・第１の液体熱交換器、  ３０２・・・第２の液体熱交換器、  ３０３・・・気体熱交換器、  ３０４・・・圧縮機、  ３０５・・・膨張弁、  ３０６・・・ファン、  ３０７・・・四方切替弁、  ３０８・・・除霜弁、  ３１１・・・入口サーミスタ、  ３１２・・・出口サーミスタ、  ３１３・・・水抜き栓、  ３１４・・・圧力センサ、  ３１５・・・給気口、  ３２５・・・排気口、  ３５１・・・熱媒体循環路、  ３５２、３５３・・・内管、  ３５４・・・熱媒体バイパス管、  ３５５・・・出口管、  ３５６・・・入口管、  ３５７・・・水抜き管、  ３８８・・・吸込み口、  ３８９・・・吹き出し口、  ４０１・・・高温暖房装置、  ４０２・・・低温暖房装置、  ４０３・・・暖房ファン、  ４０４・・・熱動弁、  ４０５・・・液体合流部、  ４５１・・・第２の高温暖房往き管、  ４５２・・・高温暖房戻り管、  ４５３・・・低温暖房往き管、  ４５４・・・低温暖房戻り管、  ６０１・・・ガス管、  ６０２・・・第１のガス分岐管、  ６０３・・・第２のガス分岐管、  ６０４・・・入口管、  ６０５・・・出口管、  ６０６・・・入口管、  ６０７・・・出口管、  ６０８・・・入口管、  ６０９・・・出口管、  ６１１・・・給湯バイパス管、  ６１２・・・給湯管、  ６１３・・・熱回収循環路、  ６１４・・・風呂ポンプ出口管、  ６１５・・・入口管、  ６１６・・・出口管、  ６１７・・・第１の暖房往き管、  ６１８・・・暖房バイパス管、  ６１９・・・第１の風呂往き管、  ６２１・・・第２の風呂往き管、  ６２２・・・第３の風呂往き管、  ６２３・・・第１の風呂戻り管、  ６２４・・・第２の風呂戻り管、  ６２５・・・第３の風呂戻り管、  ６２６・・・風呂ポンプ入口管、  ６２７・・・第１の高温暖房往き管、  ６２８・・・暖房戻り管、  ６２９・・・シスターン出口管、  ６３１・・・浴槽バイパス管、  ６３２・・・第１の低温能力管、  ６３３・・・第２の低温能力管、  ６３４・・・第３の低温能力管、  ６３５・・・第２の暖房往き管、  ６３６・・・第３の暖房往き管、  ６３７・・・第４の暖房往き管、  ６３８・・・タンク往き管、  ６３９・・・ドレン排出管、  ６４１・・・第１のドレンタンク出口管、  ６４２・・・第２のドレンタンク出口管、  ６４３・・・第１の注湯管、  ６４４・・・第２の注湯管、  ６４５・・・第３の注湯管、  ６４６・・・プレート往き管、  ６５１・・・接続管、  ６５２・・・第１の内管、  ６５３・・・中間配管、  ６５４・・・第２の内管、  ６５５・・・接続管、  ６５６・・・第１の内管、  ６５７・・・第２の内管、  ６５８・・・第１の回収ポンプ入口管、  ６５９・・・回収ポンプ出口管、  ６６１・・・給湯往き管、  ６６２・・・暖房ポンプ出口管、  ６６３・・・第１の暖房バイパス管、  ６６４・・・出口管、  ６６５・・・第２の暖房バイパス管、  ６６６・・・第２の回収ポンプ入口管、  ６６７・・・第１の給水接続管、  ６６８・・・第２の給水接続管、  ６９１・・・第１の共通管、  ６９２・・・第２の共通管
【図１】
2019117015.tif 000003
【図２】
2019117015.tif 000004
【図３】
2019117015.tif 000005
【図４】
2019117015.tif 000006
【図５】
2019117015.tif 000007
【図６】
2019117015.tif 000008
【図７】
2019117015.tif 000009
【図８】
2019117015.tif 000010
【図９】
2019117015.tif 000011
【図１０】
2019117015.tif 000012
【図１１】
2019117015.tif 000013
【図１２】
2019117015.tif 000014
【図１３】
2019117015.tif 000015
【図１４】
2019117015.tif 000016
【図１５】
2019117015.tif 000017
【図１６】
2019117015.tif 000018
【図１７】
2019117015.tif 000019
【図１８】
2019117015.tif 000020
【図１９】
2019117015.tif 000021
【図２０】
2019117015.tif 000022
【図２１】
2019117015.tif 000023
【図２２】
2019117015.tif 000024
【図２３】
2019117015.tif 000025
【図２４】
2019117015.tif 000026
【図２５】
2019117015.tif 000027
【図２６】
2019117015.tif 000028
【図２７】
2019117015.tif 000029
【図２８】
2019117015.tif 000030
【図２９】
2019117015.tif 000031
【図３０】
2019117015.tif 000032
【図３１】
2019117015.tif 000033
【図３２】
2019117015.tif 000034
【図３３】
2019117015.tif 000035
【図３４】
2019117015.tif 000036
【図３５】
2019117015.tif 000037
【図３６】
2019117015.tif 000038
【図３７】
2019117015.tif 000039
【図３８】
2019117015.tif 000040
【図３９】
2019117015.tif 000041